(57)【要約】【課題】携帯情報端末で、パーソナルコンピュータ用の文書ファイルをフォーマットの制限なく閲覧可能なシステムを提供する。【解決手段】メール処理手段１１１は、メール分離手段１１０１で受信メールをメール本文と添付された文書とに分離し、該文書を画像変換手段１１０２でページ単位の画像に変換し、テキスト抽出手段１１０３でテキストを抽出し、データ登録手段１１０４で、画像とテキストとをサーバ１１３に登録し、添付ファイル情報付加手段１１０５でサーバ１１３へのアクセス用情報をメール本文に付加して、メール送信手段１１０６で携帯情報端末１１２に送信する。携帯情報端末１１２は、メール受信手段１１０８が受け取ったメールのアクセス用情報に従い、データダウンロード手段１１０９でサーバ１１３から画像とテキストとをダウンロードし、画像テキスト表示手段１１１０で、画像とテキストとの同時表示またはいずれかの切り替え表示をする。【選択図】図１
2007199983.tif 000002
【特許請求の範囲】
【請求項１】
文書ファイルを含む添付ファイル付きのメールを処理するメール処理手段と、携帯電話に代表される携帯情報端末と、文書に関する情報を登録するサーバと、前記メール処理手段、前記携帯情報端末、前記サーバを相互に接続するネットワークから構成され、前記メール処理手段が処理するメールに添付されている文書ファイルを前記携帯情報端末にて閲覧する文書ファイル閲覧システムにおいて、
前記メール処理手段は、外部からのメールを受信して、メール本文と添付されている文書ファイルとを分離する、メール分離手段と、前記文書ファイルを、ページ毎に、元ファイルのレイアウト、フォント、色を含む情報を前記携帯情報端末で忠実に再現可能な画像に変換する、画像変換手段と、前記文書ファイルから抽出可能なテキストを忠実に抜き出す、テキスト抽出手段と、前記画像変換手段によりページ毎に変換した画像と、前記テキスト抽出手段により抽出したテキストと、を、前記サーバに登録する、データ登録手段と、前記サーバに登録した画像とテキストとにアクセスするために必要な情報を、添付ファイル情報として、前記メール分離手段により分離した前記メール本文に付加する、添付ファイル情報付加手段と、前記添付ファイル情報が付加された前記メール本文を、当該メール本文内に指示されている前記携帯情報端末のアドレスに対して、前記ネットワークを介して送付する、メール送信手段と、を備え、
前記サーバは、前記メール処理手段によって登録された画像とテキストに対する前記携帯情報端末からのダウンロード要求を前記ネットワークを介して受け取った際に、画像とテキストとを要求元の前記携帯情報端末に前記ネットワークを介して送信する、データ送信手段を備え、
前記携帯情報端末は、前記添付ファイル情報が付加された前記メール本文を前記メール処理手段から前記ネットワークを介して受け取る、メール受信手段と、受け取った前記添付ファイル情報に従って、前記サーバに前記ネットワークを介してダウンロード要求をすることにより、前記サーバから画像とテキストとをダウンロードする、データダウンロード手段と、小画面であっても前記文書ファイルの内容を確実に把握できるように、ユーザの要求に応じて、前記サーバからダウンロードした画像とテキストとを同時表示するか、または、画像とテキストとを切り替えていずれかを表示する、画像テキスト表示手段と、表示されたテキストと画像とのそれぞれをスクロール表示するスクロール手段と、前記文書ファイルが複数ページの場合、ページを切り替えて表示するページ切替手段と、を備えて、
構成されていることを特徴とする、文書ファイル閲覧システム。
【請求項２】
文書ファイルを処理する文書ファイル処理手段と、携帯電話に代表される携帯情報端末と、文書に関する情報を登録するサーバと、前記文書ファイル処理手段、前記携帯情報端末、前記サーバを相互に接続するネットワークから構成され、前記文書ファイル処理手段が処理する文書ファイルを前記携帯情報端末にて閲覧する文書ファイル閲覧システムにおいて、
前記文書ファイル処理手段は、外部からあらかじめ指定した箇所に配置された文書ファイルを、ページ毎に、元ファイルのレイアウト、フォント、色を含む情報を前記携帯情報端末で忠実に再現可能な画像に変換する、画像変換手段と、前記文書ファイルから抽出可能なテキストを忠実に抜き出す、テキスト抽出手段と、前記画像変換手段によりページ毎に変換した画像と、前記テキスト抽出手段により抽出したテキストと、を、前記サーバに登録する、データ登録手段と、前記サーバに登録した画像とテキストとにアクセスするために必要な情報を、アクセス情報として生成して保存する、アクセス情報生成手段と、前記アクセス情報生成手段が生成して保存した全ての前記アクセス情報のうち、いずれかを選択することが可能な一覧情報を生成して、前記サーバに登録する一覧生成手段を備え、
前記サーバは、前記文書ファイル処理手段によって登録された前記一覧情報に対する、または、前記文書ファイル処理手段によって登録された画像とテキストとに対する前記携帯情報端末からのダウンロード要求を前記ネットワークを介して受け取った際に、要求された前記一覧情報、または、画像とテキストとを要求元の前記携帯情報端末に前記ネットワークを介して送信する、データ送信手段を備え、
前記携帯情報端末は、前記サーバに前記ネットワークを介して前記一覧情報のダウンロード要求をすることにより、前記サーバに登録された前記一覧情報を前記ネットワークを介してダウンロードして一覧表示する一覧表示手段と、一覧表示された前記一覧情報の中から、ユーザが指定した前記アクセス情報に基づいて、前記サーバに前記ネットワークを介してダウンロード要求をすることにより、前記サーバから画像とテキストとをダウンロードする、データダウンロード手段と、小画面であっても前記文書ファイルの内容を確実に把握できるように、ユーザの要求に応じて、前記サーバからダウンロードした画像とテキストとを同時表示するか、または、画像とテキストとを切り替えていずれかを表示する、画像テキスト表示手段と、表示されたテキストと画像とのそれぞれをスクロール表示するスクロール手段と、前記文書ファイルが複数ページの場合、ページを切り替えて表示するページ切替手段と、を備えて、
構成されていることを特徴とする、文書ファイル閲覧システム。
【請求項３】
請求項１または２に記載の文書ファイル閲覧システムにおいて、
前記メール処理手段または前記文書ファイル処理手段は、前記テキスト抽出手段により前記文書ファイルからテキストを抽出した際に、文字毎の位置、サイズ、フォント種別を含む情報またはそのいずれかの１乃至複数の組み合わせの情報を抽出して、文字メタファイルとして保存する、文字メタファイル抽出手段を備え、当該文字メタファイル抽出手段により抽出された前記文字メタファイルを、当該文書ファイルの画像とテキストとともに、前記サーバに登録し、
前記携帯情報端末が、前記ネットワークを介して、前記サーバから前記文書ファイルの画像とテキストとをダウンロードする際に、当該文書ファイルの前記文字メタファイルをも同時にダウンロードする、複合データダウンロード手段を、前記データダウンロード手段の代わりに備え、かつ、ユーザの要求に応じて、前記サーバからダウンロードした画像とテキストとを同時表示するか、または、画像とテキストとを切り替えていずれかを表示する際に、テキストを表示する場合、前記複合データダウンロード手段がダウンロードした前記文字メタファイルを解釈し、文字メタファイルに記述されている、文字の位置、サイズ、フォント種別を含む情報に従って、文字を配置して表示する複合データ表示手段を、前記画像テキスト表示手段の代わりに備えて、
構成されていることを特徴とする、文書ファイル閲覧システム。
【請求項４】
請求項３に記載の文書ファイル閲覧システムにおいて、
前記携帯情報端末が、テキストと画像とを同時に表示する場合、前記複合データダウンロード手段がダウンロードした前記文字メタファイルに基づいて、テキストとそれに対応する画像とが常に画面上に同時に表示されるように、前記複合データ表示手段と連携して、テキストと画像とを同期してスクロールする、同期スクロール手段を備えて、
構成されていることを特徴とする、文書ファイル閲覧システム。
【請求項５】
請求項４に記載の文書ファイル閲覧システムにおいて、
前記携帯情報端末が、表示中のテキストの内、ユーザが指定した部分を識別する、指定範囲識別手段と、前記複合データダウンロード手段がダウンロードした前記文字メタファイルに基づいて、前記複合データ表示手段と連携して、前記指定範囲識別手段が指定した部分を、反転表示させたり、あるいは、枠で囲むと、同時に、対応する画像内のテキスト表示位置においても、反転表示させたり、枠で囲む処理を行う、テキストマーク手段を備えて、
構成されていることを特徴とする、文書ファイル閲覧システム。
【請求項６】
請求項３乃至５のいずれかに記載の文書ファイル閲覧システムにおいて、
前記携帯情報端末が、前記複合データダウンロード手段がダウンロードした前記文字メタファイルに基づいて、前記複合データ表示手段と連携して、画像中のテキスト表示領域を削除し、代わりに、対応するテキストを、より大きいサイズに代表される、視認性の高いフォントの文字を上書き表示する、テキスト上書き手段を備えて、
構成されていることを特徴とする、文書ファイル閲覧システム。
【請求項７】
請求項３乃至５のいずれかに記載の文書ファイル閲覧システムにおいて、
前記携帯情報端末が、表示している画像中のテキストの内、ユーザが指定した部分を識別する、指定範囲識別手段と、前記複合データダウンロード手段がダウンロードした前記文字メタファイルに基づいて、前記複合データ表示手段と連携して、前記指定範囲識別手段が指定した部分について、画像中のテキストを削除し、代わりに、対応するテキストを、より大きいサイズに代表される、視認性の高いフォントの文字を上書き表示する、テキスト上書き手段を備えて、
構成されていることを特徴とする、文書ファイル閲覧システム。
【請求項８】
請求項１乃至７のいずれかに記載の文書ファイル閲覧システムにおいて、
前記メール処理手段または前記文書ファイル処理手段が、あらかじめ設定した、ファイルサイズ、画像サイズ、ページ数に代表されるダウンロードするデータについての制限を、データ制限として保持する、データ制限保持手段と、前記データ制限保持手段に保持された前記データ制限に収まるように、画像圧縮のアルゴリズムや、色数、画素サイズを変更するように、前記画像変換手段に指示する、画像サイズ調整手段と、前記データ制限に収まるように、前記テキスト抽出手段によって抽出されたテキストや、前記文字メタファイル抽出手段によって抽出された前記文字メタファイルを圧縮して、前記データ登録手段に引き渡す、テキスト圧縮手段と、前記データ制限に収まるように、ページ数を増減するように前記画像変換手段に指示する、ページ数調整手段と、前記データ制限に収まるように、前記サーバからダウンロードすべき画像、テキスト、前記文字メタファイルのいずれか１乃至複数の組み合わせのデータを選択し、選択したデータだけを前記データ登録手段に引き渡す、データ種別選択手段をと備えて、
構成されていることを特徴とする、文書ファイル閲覧システム。
【請求項９】
請求項８に記載の文書ファイル閲覧システムにおいて、
前記携帯情報端末が、ユーザが前記データ制限保持手段に保持されるべき前記データ制限を作成する、データ制限作成手段と、作成した前記データ制限を、前記ネットワークを介して、前記メール処理手段または前記文書ファイル処理手段に対して送信する、データ制限送信手段を備え、
前記メール処理手段または前記文書ファイル処理手段が、前記ネットワークを介して、前記携帯情報端末から送信されてくる前記データ制限を受け取って、前記データ制限保持手段に引き渡す、データ制限受信手段を備えて、
構成されていることを特徴とする、文書ファイル閲覧システム。
【請求項１０】
請求項１乃至９のいずれかに記載の文書ファイル閲覧システムにおいて、
前記携帯情報端末が、画像とテキストとを表示する際に、ユーザがあらかじめ指定した、画像表示領域とテキスト表示領域とのそれぞれのサイズ、位置、領域数を表示領域設定として保持する、表示領域保持手段と、前記表示領域保持手段に保持した前記表示領域設定か、または、表示の都度、ユーザが指定した表示領域に従って、前記画像テキスト表示手段または前記複合データ表示手段に対して表示領域を指示する、表示領域設定手段を備えて、
構成されていることを特徴とする、文書ファイル閲覧システム。
【請求項１１】
請求項１乃至１０のいずれかに記載の文書ファイル閲覧システムにおいて、
前記携帯情報端末が、ユーザの指示によって、または、自動的に、画像を拡大、縮小、回転、変形に代表される画像変換を実施し、その画像変換結果を前記画像テキスト表示手段または前記複合データ表示手段に対して引き渡す、画像変換手段を備えて、
構成されていることを特徴とする、文書ファイル閲覧システム。
【請求項１２】
請求項１乃至１１のいずれかに記載の文書ファイル閲覧システムにおいて、
前記携帯情報端末が、ユーザの指示によって、または、自動的に、画像の濃淡補正、色彩補正、ボケ補正、ノイズ除去に代表される画像処理を実施し、その画像処理結果を前記画像テキスト表示手段または前記複合データ表示手段に対して引き渡す、画像処理手段を備えて、
構成されていることを特徴とする、文書ファイル閲覧システム。
【請求項１３】
請求項１乃至１２のいずれかに記載の文書ファイル閲覧システムにおいて、
前記携帯情報端末が、ユーザの指示によって、または、自動的に、テキスト表示領域のフォントサイズ、フォント種別、書体に代表されるフォント調整を実施し、そのフォント調整結果を前記画像テキスト表示手段または前記複合データ表示手段に対して指示する、フォント調整手段を備えて、
構成されていることを特徴とする、文書ファイル閲覧システム。
【請求項１４】
請求項１乃至１３のいずれかに記載の文書ファイル閲覧システムにおいて、
前記携帯情報端末が、自動的に、テキストをスクロールする、自動テキストスクロール手段を備えて、
構成されていることを特徴とする、文書ファイル閲覧システム。
【請求項１５】
請求項１乃至１４のいずれかに記載の文書ファイル閲覧システムにおいて、
前記メール処理手段または前記文書ファイル処理手段が、ユーザが指定した画像サイズまたは画像分割数を、画像分割設定として保持する、画像分割設定保持手段と、前記画像分割設定保持手段に保持された前記画像分割設定に従って、前記画像変換手段が生成した画像を、分割して、前記画像分割設定とともに前記データ登録手段に引き渡す、画像分割手段と、を備え、当該画像分割手段により分割された画像と前記画像分割設定とを、当該文書ファイルのテキストとともに前記サーバに登録し、
前記携帯情報端末が、前記ネットワークを介して、前記サーバから前記文書ファイルの分割された画像とテキストと前記画像分割設定とをダウンロードした際に、前記画像分割設定に基づいて、分割された画像のうち、表示に必要な部分のみを選択して再構成し、前記画像テキスト表示手段または前記複合データ表示手段に対して引き渡す、画像再構成手段を備えて、
構成されていることを特徴とする、文書ファイル閲覧システム。
【請求項１６】
請求項１乃至１５のいずれかに記載の文書ファイル閲覧システムにおいて、
前記メール処理手段または前記文書ファイル処理手段が、ユーザが指定したファイルサイズに対する制限をファイルサイズ設定として保持する、ファイルサイズ設定保持手段と、当該ファイルサイズ設定保持手段に設定保持された前記ファイルサイズ設定に従って、前記データ登録手段が前記サーバに登録しようとする画像、テキスト、前記文字メタファイルを、データファイルに分割し、分割前後のファイルの対応関係を分割対応表として、分割した前記データファイルとともにデータ登録手段に引き渡す、ファイル分割手段と、を備え、当該ファイル分割手段により分割された前記データファイルと前記分割対応表とを、前記サーバに登録し、
前記携帯情報端末が、前記ネットワークを介して、前記サーバから前記文書ファイルの分割された前記データファイルと前記分割対応表とをダウンロードした際に、前記分割対応表に基づいて、分割された前記データファイルを再構成し、前記画像テキスト表示手段または前記複合データ表示手段に対して引き渡す、ファイル再構成手段を備えて、
構成されていることを特徴とする、文書ファイル閲覧システム。
【請求項１７】
請求項１乃至１６のいずれかに記載の文書ファイル閲覧システムにおいて、
前記メール処理手段または前記文書ファイル処理手段が、画像の文字認識により、画像の中からテキストを抽出し、文字毎の座標やフォント種別を含む文字メタ情報を抽出する文字認識手段と、前記文字認識手段による文字認識結果と、前記テキスト抽出手段により前記文書ファイルからテキストを抽出した際に、文字毎の位置、サイズ、フォント種別を含む情報またはそのいずれかの１乃至複数の組み合わせの情報として抽出した文字メタファイルとを比較し、互いを補完し合う新たな文字メタファイルを作成し、前記データ登録手段に引き渡す、マッチング手段と、を備えて、
構成されていることを特徴とする、文書ファイル閲覧システム。
【請求項１８】
請求項１乃至１７のいずれかに記載の文書ファイル閲覧システムにおいて、
前記携帯情報端末が、画像とテキストとを表示する際に、自動的に、ページを切り替えて表示する、自動ページ切替手段を備えて、
構成されていることを特徴とする、文書ファイル閲覧システム。
【請求項１９】
請求項１乃至１８のいずれかに記載の文書ファイル閲覧システムにおいて、
前記携帯情報端末が、全ページの画像を縮小画像で一覧表示し、ユーザが一覧表示された縮小画像の中から１つの縮小画像を選択すると、選択された縮小画像のページの画像及びテキストを表示する、サムネイル表示手段を備えて、
構成されていることを特徴とする、文書ファイル閲覧システム。
【請求項２０】
請求項１乃至１８のいずれかに記載の文書ファイル閲覧システムにおいて、
前記携帯情報端末が、全ページについてページ毎の概要やタイトルを一覧表示し、ユーザが一覧の中から１つの概要やタイトルを選択すると、選択された概要やタイトルに該当するページの画像及びテキストを表示する、目次表示手段を備えて、
構成されていることを特徴とする、文書ファイル閲覧システム。
【請求項２１】
文書ファイルを含む添付ファイル付きのメールを処理するメール処理手段と、携帯電話に代表される携帯情報端末と、文書に関する情報を登録するサーバと、前記メール処理手段、前記携帯情報端末、前記サーバを相互に接続するネットワークから構成され、前記メール処理手段が処理するメールに添付されている文書ファイルを前記携帯情報端末にて閲覧する文書ファイル閲覧方法であって、
前記メール処理手段は、外部からのメールを受信して、メール本文と添付されている文書ファイルとを分離する、メール分離ステップと、前記文書ファイルを、ページ毎に、元ファイルのレイアウト、フォント、色を含む情報を前記携帯情報端末で忠実に再現可能な画像に変換する、画像変換ステップと、前記文書ファイルから抽出可能なテキストを忠実に抜き出す、テキスト抽出ステップと、前記画像変換ステップによりページ毎に変換した画像と、前記テキスト抽出ステップにより抽出したテキストとを、前記サーバに登録する、データ登録ステップと、前記サーバに登録した画像とテキストとにアクセスするために必要な情報を、添付ファイル情報として、前記メール分離ステップにより分離した前記メール本文に付加する、添付ファイル情報付加ステップと、前記添付ファイル情報が付加された前記メール本文を、当該メール本文内に指示されている前記携帯情報端末のアドレスに対して、前記ネットワークを介して送付する、メール送信ステップと、を有し、
前記サーバは、前記メール処理手段によって登録された画像とテキストに対する前記携帯情報端末からのダウンロード要求を前記ネットワークを介して受け取った際に、画像とテキストとを要求元の前記携帯情報端末に前記ネットワークを介して送信する、データ送信ステップを有し、
前記携帯情報端末は、前記添付ファイル情報が付加された前記メール本文を前記メール処理手段から前記ネットワークを介して受け取る、メール受信ステップと、受け取った前記添付ファイル情報に従って、前記サーバに前記ネットワークを介してダウンロード要求をすることにより、前記サーバから画像とテキストとをダウンロードする、データダウンロードステップと、小画面であっても前記文書ファイルの内容を確実に把握できるように、ユーザの要求に応じて、前記サーバからダウンロードした画像とテキストとを同時表示するか、または、画像とテキストとを切り替えていずれかを表示する、画像テキスト表示ステップと、表示されたテキストと画像とのそれぞれをスクロール表示するスクロールステップと、前記文書ファイルが複数ページの場合、ページを切り替えて表示するページ切替ステップと、を有して、
構成されていることを特徴とする、文書ファイル閲覧方法。
【請求項２２】
文書ファイルを処理する文書ファイル処理手段と、携帯電話に代表される携帯情報端末と、文書に関する情報を登録するサーバと、前記文書ファイル処理手段、前記携帯情報端末、前記サーバを相互に接続するネットワークから構成され、前記文書ファイル処理手段が処理する文書ファイルを前記携帯情報端末にて閲覧する文書ファイル閲覧方法であって、
前記文書ファイル処理手段は、外部からあらかじめ指定した箇所に配置された文書ファイルを、ページ毎に、元ファイルのレイアウト、フォント、色を含む情報を前記携帯情報端末で忠実に再現可能な画像に変換する、画像変換ステップと、前記文書ファイルから抽出可能なテキストを忠実に抜き出す、テキスト抽出ステップと、前記画像変換ステップによりページ毎に変換した画像と、前記テキスト抽出ステップにより抽出したテキストとを、前記サーバに登録する、データ登録ステップと、前記サーバに登録した画像とテキストとにアクセスするために必要な情報を、アクセス情報として生成して保存する、アクセス情報生成ステップと、前記アクセス情報生成ステップが生成して保存した全ての前記アクセス情報のうち、いずれかを選択することが可能な一覧情報を生成して、前記サーバに登録する一覧生成ステップと、を有し、
前記サーバは、前記文書ファイル処理手段によって登録された前記一覧情報に対する、または、前記文書ファイル処理手段によって登録された画像とテキストとに対する前記携帯情報端末からのダウンロード要求を前記ネットワークを介して受け取った際に、要求された前記一覧情報、または、画像とテキストとを要求元の前記携帯情報端末に前記ネットワークを介して送信する、データ送信ステップを有し、
前記携帯情報端末は、前記サーバに前記ネットワークを介して前記一覧情報のダウンロード要求をすることにより、前記サーバに登録された前記一覧情報を前記ネットワークを介してダウンロードして一覧表示する一覧表示ステップと、一覧表示された前記一覧情報の中から、ユーザが指定した前記アクセス情報に基づいて、前記サーバに前記ネットワークを介してダウンロード要求をすることにより、前記サーバから画像とテキストとをダウンロードする、データダウンロードステップと、小画面であっても前記文書ファイルの内容を確実に把握できるように、ユーザの要求に応じて、前記サーバからダウンロードした画像とテキストとを同時表示するか、または、画像とテキストとを切り替えていずれかを表示する、画像テキスト表示ステップと、表示されたテキストと画像とのそれぞれをスクロール表示するスクロールステップと、前記文書ファイルが複数ページの場合、ページを切り替えて表示するページ切替ステップと、を有して、
構成されていることを特徴とする、文書ファイル閲覧方法。
【請求項２３】
請求項２１または２２に記載の文書ファイル閲覧方法において、
前記メール処理手段または前記文書ファイル処理手段は、前記テキスト抽出ステップにより前記文書ファイルからテキストを抽出した際に、文字毎の位置、サイズ、フォント種別を含む情報またはそのいずれかの１乃至複数の組み合わせの情報を抽出して、文字メタファイルとして保存する、文字メタファイル抽出ステップを有し、当該文字メタファイル抽出ステップにより抽出された前記文字メタファイルを、当該文書ファイルの画像とテキストとともに、前記サーバに登録し、
前記携帯情報端末が、前記ネットワークを介して、前記サーバから前記文書ファイルの画像とテキストとをダウンロードする際に、当該文書ファイルの前記文字メタファイルをも同時にダウンロードする、複合データダウンロードステップを、前記データダウンロードステップの代わりに有し、かつ、ユーザの要求に応じて、前記サーバからダウンロードした画像とテキストとを同時表示するか、または、画像とテキストとを切り替えていずれかを表示する際に、テキストを表示する場合、前記複合データダウンロードステップがダウンロードした前記文字メタファイルを解釈し、文字メタファイルに記述されている、文字の位置、サイズ、フォント種別を含む情報に従って、文字を配置して表示する複合データ表示ステップを、前記画像テキスト表示ステップの代わりに有して、
構成されていることを特徴とする、文書ファイル閲覧方法。
【請求項２４】
請求項２１乃至２３のいずれかに記載の文書ファイル閲覧方法を、コンピュータが実行可能なプログラム論理として実現することを特徴とする文書閲覧プログラム。
【発明の詳細な説明】
【技術分野】
【０００１】
本発明は、文書ファイル閲覧システム、文書ファイル閲覧方法、及び、文書閲覧プログラムに関し、特に、携帯電話を始めとする低性能・多種類の携帯情報端末を用いて、パーソナルコンピュータ用に作成された文書ファイルなど幅広い形式の文書ファイルを閲覧可能とする文書ファイル閲覧システム、文書ファイル閲覧方法、及び、文書閲覧プログラムに関する。
【背景技術】
【０００２】
近年、携帯電話を始めとする携帯情報端末の表示機能の高画質化・高精細化に伴い、これら携帯情報端末でも、パーソナルコンピュータ用に作成された文書ファイルも閲覧したいというニーズが高まってきている。しかし、携帯情報端末は、計算能力や表示能力、記憶容量などの点で、パーソナルコンピュータに比べ、劣っているという制限があり、パーソナルコンピュータ用に用いられているアプリケーションを、そのまま、搭載することはできない。一部の携帯情報端末においては、互換性を謳ったアプリケーションが搭載されている場合もあるが、前述のような制限により、その互換性は低く、実用的なものと言えるまでには至っていない。
【０００３】
そのため、前述のような制限を回避する種々な方法が模索されている。例えば、特許文献１に示す特開２００４−２７２６５８号公報「携帯情報端末のテキストデータ入力支援方法及び装置」では、文書ファイルそのものを携帯情報端末で閲覧するのではなく、カメラで撮影した原稿の画像を文字認識することによって、文書の中身の把握を目指すシステムを提案している。
【０００４】
また、画面が小さいこと、表示できるファイルフォーマットが限定されていることなど、携帯電話の特性を考慮して、パーソナルコンピュータなどからのメール添付ファイルをＦＡＸを併用して確認するシステムが、特許文献２に示す特開２００３−３７６３２号公報「電子メールアクセスシステム及び電子メールアクセス方法」で提案されている。しかし、ＦＡＸが必要であることから、携帯性が無い点が課題として残ってしまう。そこで、携帯電話のみでメール添付ファイルを確認するようなシステムが開発され、一部に実用化されている。
【０００５】
その例として、特許文献３に示す特開２００３−３７６３１号公報「電子メール転送方法」や特許文献４に示す特開２００１−３１２４４６号公報「情報処理装置及び方法、情報処理システム、並びに媒体」などでは、パーソナルコンピュータからのメールを携帯電話に転送するシステムが提案されている。
【０００６】
また、一方では、ＳＶＧ−Ｔｉｎｙ（Ｓｃａｌａｂｌｅ  Ｖｅｃｔｏｒ  Ｇｒａｐｈｉｃｓ−Ｔｉｎｙ：Ｗ３Ｃ制定のモバイルツール向けグラフィックスフォーマット）のようなオープンな汎用フォーマットやＪＰＥＧなどの一般的な画像を表示可能な一部の携帯情報端末に対して、パーソナルコンピュータ用のファイルをこれらの汎用フォーマットや画像に変換するサービスやソフトウェアが提供されるようになってきている。
【０００７】
このようなサービスの一例として、特許文献５に示す特開２００１−２８２５８９号公報「遠隔ファイル変換システム、媒体及び情報集合体」や特許文献６に示す特開２００２−８２８８７号公報「メールサーバ、メール処理方法、及びメール処理プログラム格納媒体」では、広く使われているＰＤＦ（Ｐｏｒｔａｂｌｅ  Ｄｏｃｕｍｅｎｔ  Ｆｏｒｍａｔ）フォーマットに変換するシステムが提案されている。
【特許文献１】特開２００４−２７２６５８号公報（第７−９頁）
【特許文献２】特開２００３−３７６３２号公報（第５−６頁）
【特許文献３】特開２００３−３７６３１号公報（第４−５頁）
【特許文献４】特開２００１−３１２４４６号公報（第８−１１頁）
【特許文献５】特開２００１−２８２５８９号公報（第７−９頁）
【特許文献６】特開２００２−８２８８７号公報（第４−６頁）
【発明の開示】
【発明が解決しようとする課題】
【０００８】
しかしながら、前記特許文献１では、カメラで撮影した原稿を文字認識する旨記載されているが、現状の文字認識の精度は１００％ではなく、必ず、文字認識誤りが発生してしまう。その上、画像中の文字サイズの制限が大きく、照明条件などの撮影環境に、文字認識率が大きく影響されてしまい、実用的ではない。更に、飾り字や背景に模様がある見出しなどについては認識できなかったり認識率が大きく低下したりする。このため、文字認識だけに頼らない方法が必要であるが、文字認識以外にどのような方法を使うのか、そして、それをどのように文字認識と併用するのかといった方法については全く言及されていない。
【０００９】
また、前記特許文献３や前記特許文献４には、メール添付ファイルも携帯電話で読むことが可能となるように変換する旨の記載がなされているが、具体的な変換方法が記載されておらず、現状では、パーソナルコンピュータから送信される、多様なフォーマットの添付ファイルを携帯電話ですべては表示することができないと看做さざるを得ない。また、計算資源やメモリが不十分な携帯電話ならではの問題点とその解決方法についての記載も無く、更には、画面が小さい携帯電話であっても、ユーザが内容を確認できるための方策が示されておらず、これらの技術からは実用的なシステムを構築することができない。
【００１０】
また、一般的に、多くのパーソナルコンピュータ用アプリケーションのファイル（文書ファイル）形式について、そのフォーマット内容が非公開であるため、携帯情報端末に搭載されているアプリケーションは、パーソナルコンピュータ上のアプリケーションと互換性を維持することができず、携帯情報端末では、パーソナルコンピュータ用アプリケーションのファイルを正常に表示できない場合が多い。
【００１１】
また、仮に表示できるとしても、表示可能なアプリケーションの種類は大幅に限定されてしまう。更に、パーソナルコンピュータ用アプリケーションのファイルを正常に表示するためには一般に高性能の演算処理や大きな記憶領域を要し、多くの携帯電話では、そのファイルを搭載することができない。たとえ搭載できたとしても、当該ファイルの表示が遅く実用に耐えない場合が多い。
【００１２】
ここで、ＳＶＧ−Ｔｉｎｙなどのように、標準化され、公開されている汎用フォーマットを利用する場合、各種アプリケーションのフォーマットを当該汎用フォーマットにあらかじめ変換できさえすれば、携帯情報端末での表示が可能である。ところが、この場合も、パーソナルコンピュータ用アプリケーションはそのフォーマット内容が非公開であるため、正確に変換できない場合が多い。特に、レイアウトやフォント、色が変わってしまう。
【００１３】
また、ＳＶＧ−Ｔｉｎｙは、携帯情報端末での実行を想定したものではあるが、やはり処理が重く、特に、携帯電話のように演算能力や記憶領域の大きさが厳しく制限されているような端末では、表示が非常に遅くなる場合があるし、表示すらできない場合もある。ＳＶＧ−Ｔｉｎｙ以外の場合について、データをテキスト及びそのサイズやフォントなどの属性として保持したり、図形を線と座標のベクトル形式で保持したりするフォーマットであっても同様な問題が存在する。
【００１４】
ベクトル形式の例として広く普及しているものにＰＤＦフォーマットがある。前記特許文献５や前記特許文献６では、このＰＤＦフォーマットにファイルを変換するシステムを提案している。しかしながら、ＰＤＦフォーマットはベクトル形式であるため、前述のＳＶＧ−Ｔｉｎｙと同じ問題が存在する。すなわち、レイアウトやフォント、色が変わってしまう場合があるし、ファイルの種類によっては変換さえできない場合がある。その上、表示するためには高い演算能力や大きな記憶領域が必要であり、特に、携帯電話などの性能が不十分な携帯情報端末では、表示が非常に遅くなり、時には、表示すらできない場合さえ存在する。このため、ベクトル形式以外のフォーマットに変換すべきであるが、前記特許文献５や前記特許文献６では、ＰＤＦフォーマット以外のどのようなフォーマットへどのような手段で変換するのかについては一切言及していない。
【００１５】
一方、ＪＰＥＧなどの画像を利用する場合、大部分の携帯情報端末では、これら画像を高速表示する機能が標準で備わっているため、高速に表示することができる。しかしながら、画像であるため、文字の潰れや、ジャギー（ギザギザ）の発生などにより、見辛くなり、内容を確認できなくなる場合がある。高解像度の画像とすれば、これらの問題を回避することができるが、携帯情報端末での表示が遅くなり、場合によっては表示すらできなくなってしまう。これらの観点から、ＪＰＥＧなどの画像を携帯情報端末での文書閲覧用として利用する方法について、今まではほとんど検討されていなかった。
【００１６】
また、従来の携帯情報端末での文書ファイルの表示技術については、ＳＶＧ−Ｔｉｎｙなどのフォーマットを用いて文書ファイルを表示可能とすることを目標として、文書ファイルをいかに正確に隅々まで解析して、表示できるか否かという点に検討の主眼が置かれていたため、文書ファイルの内容例えばレイアウトなどの見栄えをパーソナルコンピュータなどと同等に表示することができなかった。つまり、今までは、パーソナルコンピュータで作成された文書ファイルについて、文字情報といった中身と、レイアウトといった見栄えとの両方を、携帯情報端末で正確に提示する方法についてほとんど考慮されてこなかった。
【００１７】
また、携帯電話のように、通信回線のバンド幅が狭く、エラーが発生しやすい環境で、文書ファイルなどを高速にデータ伝送することも考慮されてこなかった。
【００１８】
さらに、携帯情報端末特有の、乏しい計算・記憶資源を考慮した文書ファイルに関するデータ変換方法や、データサイズの調整方法も考慮されてこなかった。
【００１９】
そこで、本発明の目的は、携帯電話やＰＤＡ（Ｐｅｒｓｏｎａｌ  Ｄｉｇｉｔａｌ  Ａｓｓｉｓｔａｎｔｓ）などに代表される携帯情報端末であっても、パーソナルコンピュータ用アプリケーションが作成した文書ファイルなどを含む幅広い文書ファイルを、フォーマットの制限なく、閲覧可能とする文書ファイル閲覧システム、文書ファイル閲覧方法、及び、文書閲覧プログラムを提供することにある。
【００２０】
本発明のさらに他の目的は、携帯電話のような処理能力・記憶容量が大きく制限された携帯情報端末であっても、文書ファイルの内容把握を確実に可能とするために、効果的な表示を実現する文書ファイル閲覧システム、文書ファイル閲覧方法、及び、文書閲覧プログラムを提供することにある。
【００２１】
本発明のさらに他の目的は、携帯電話のような処理能力・記憶容量が大きく制限された携帯情報端末であっても、表示までの待ち時間を低減し、高速に表示するためのデータ変換を施すことを可能とする文書ファイル閲覧システム、文書ファイル閲覧方法、及び、文書閲覧プログラムを提供することにある。
【課題を解決するための手段】
【００２２】
前述の課題を解決するため、本発明による文書ファイル閲覧システム、文書ファイル閲覧方法、及び、文書閲覧プログラムは、次のような特徴的な構成を採用している。
【００２３】
（１）文書ファイルを含む添付ファイル付きのメールを処理するメール処理手段と、携帯電話に代表される携帯情報端末と、文書に関する情報を登録するサーバと、前記メール処理手段、前記携帯情報端末、前記サーバを相互に接続するネットワークから構成され、前記メール処理手段が処理するメールに添付されている文書ファイルを前記携帯情報端末にて閲覧する文書ファイル閲覧システムにおいて、
前記メール処理手段は、外部からのメールを受信して、メール本文と添付されている文書ファイルとを分離する、メール分離手段と、前記文書ファイルを、ページ毎に、元ファイルのレイアウト、フォント、色を含む情報を前記携帯情報端末で忠実に再現可能な画像に変換する、画像変換手段と、前記文書ファイルから抽出可能なテキストを忠実に抜き出す、テキスト抽出手段と、前記画像変換手段によりページ毎に変換した画像と、前記テキスト抽出手段により抽出したテキストと、を、前記サーバに登録する、データ登録手段と、前記サーバに登録した画像とテキストとにアクセスするために必要な情報を、添付ファイル情報として、前記メール分離手段により分離した前記メール本文に付加する、添付ファイル情報付加手段と、前記添付ファイル情報が付加された前記メール本文を、当該メール本文内に指示されている前記携帯情報端末のアドレスに対して、前記ネットワークを介して送付する、メール送信手段と、を備え、
前記サーバは、前記メール処理手段によって登録された画像とテキストに対する前記携帯情報端末からのダウンロード要求を前記ネットワークを介して受け取った際に、画像とテキストとを要求元の前記携帯情報端末に前記ネットワークを介して送信する、データ送信手段を備え、
前記携帯情報端末は、前記添付ファイル情報が付加された前記メール本文を前記メール処理手段から前記ネットワークを介して受け取る、メール受信手段と、受け取った前記添付ファイル情報に従って、前記サーバに前記ネットワークを介してダウンロード要求をすることにより、前記サーバから画像とテキストとをダウンロードする、データダウンロード手段と、小画面であっても前記文書ファイルの内容を確実に把握できるように、ユーザの要求に応じて、前記サーバからダウンロードした画像とテキストとを同時表示するか、または、画像とテキストとを切り替えていずれかを表示する、画像テキスト表示手段と、表示されたテキストと画像とのそれぞれをスクロール表示するスクロール手段と、前記文書ファイルが複数ページの場合、ページを切り替えて表示するページ切替手段と、を備えて、
構成されている、文書ファイル閲覧システム。
（２）文書ファイルを処理する文書ファイル処理手段と、携帯電話に代表される携帯情報端末と、文書に関する情報を登録するサーバと、前記文書ファイル処理手段、前記携帯情報端末、前記サーバを相互に接続するネットワークから構成され、前記文書ファイル処理手段が処理する文書ファイルを前記携帯情報端末にて閲覧する文書ファイル閲覧システムにおいて、
前記文書ファイル処理手段は、外部からあらかじめ指定した箇所に配置された文書ファイルを、ページ毎に、元ファイルのレイアウト、フォント、色を含む情報を前記携帯情報端末で忠実に再現可能な画像に変換する、画像変換手段と、前記文書ファイルから抽出可能なテキストを忠実に抜き出す、テキスト抽出手段と、前記画像変換手段によりページ毎に変換した画像と、前記テキスト抽出手段により抽出したテキストと、を、前記サーバに登録する、データ登録手段と、前記サーバに登録した画像とテキストとにアクセスするために必要な情報を、アクセス情報として生成して保存する、アクセス情報生成手段と、前記アクセス情報生成手段が生成して保存した全ての前記アクセス情報のうち、いずれかを選択することが可能な一覧情報を生成して、前記サーバに登録する一覧生成手段を備え、
前記サーバは、前記文書ファイル処理手段によって登録された前記一覧情報に対する、または、前記文書ファイル処理手段によって登録された画像とテキストとに対する前記携帯情報端末からのダウンロード要求を前記ネットワークを介して受け取った際に、要求された前記一覧情報、または、画像とテキストとを要求元の前記携帯情報端末に前記ネットワークを介して送信する、データ送信手段を備え、
前記携帯情報端末は、前記サーバに前記ネットワークを介して前記一覧情報のダウンロード要求をすることにより、前記サーバに登録された前記一覧情報を前記ネットワークを介してダウンロードして一覧表示する一覧表示手段と、一覧表示された前記一覧情報の中から、ユーザが指定した前記アクセス情報に基づいて、前記サーバに前記ネットワークを介してダウンロード要求をすることにより、前記サーバから画像とテキストとをダウンロードする、データダウンロード手段と、小画面であっても前記文書ファイルの内容を確実に把握できるように、ユーザの要求に応じて、前記サーバからダウンロードした画像とテキストとを同時表示するか、または、画像とテキストとを切り替えていずれかを表示する、画像テキスト表示手段と、表示されたテキストと画像とのそれぞれをスクロール表示するスクロール手段と、前記文書ファイルが複数ページの場合、ページを切り替えて表示するページ切替手段と、を備えて、
構成されている、文書ファイル閲覧システム。
（３）請求項１または２に記載の文書ファイル閲覧システムにおいて、
前記メール処理手段または前記文書ファイル処理手段は、前記テキスト抽出手段により前記文書ファイルからテキストを抽出した際に、文字毎の位置、サイズ、フォント種別を含む情報またはそのいずれかの１乃至複数の組み合わせの情報を抽出して、文字メタファイルとして保存する、文字メタファイル抽出手段を備え、当該文字メタファイル抽出手段により抽出された前記文字メタファイルを、当該文書ファイルの画像とテキストとともに、前記サーバに登録し、
前記携帯情報端末が、前記ネットワークを介して、前記サーバから前記文書ファイルの画像とテキストとをダウンロードする際に、当該文書ファイルの前記文字メタファイルをも同時にダウンロードする、複合データダウンロード手段を、前記データダウンロード手段の代わりに備え、かつ、ユーザの要求に応じて、前記サーバからダウンロードした画像とテキストとを同時表示するか、または、画像とテキストとを切り替えていずれかを表示する際に、テキストを表示する場合、前記複合データダウンロード手段がダウンロードした前記文字メタファイルを解釈し、文字メタファイルに記述されている、文字の位置、サイズ、フォント種別を含む情報に従って、文字を配置して表示する複合データ表示手段を、前記画像テキスト表示手段の代わりに備えて、
構成されている、文書ファイル閲覧システム。
（４）請求項３に記載の文書ファイル閲覧システムにおいて、
前記携帯情報端末が、テキストと画像とを同時に表示する場合、前記複合データダウンロード手段がダウンロードした前記文字メタファイルに基づいて、テキストとそれに対応する画像とが常に画面上に同時に表示されるように、前記複合データ表示手段と連携して、テキストと画像とを同期してスクロールする、同期スクロール手段を備えて、
構成されている、文書ファイル閲覧システム。
（５）請求項４に記載の文書ファイル閲覧システムにおいて、
前記携帯情報端末が、表示中のテキストの内、ユーザが指定した部分を識別する、指定範囲識別手段と、前記複合データダウンロード手段がダウンロードした前記文字メタファイルに基づいて、前記複合データ表示手段と連携して、前記指定範囲識別手段が指定した部分を、反転表示させたり、あるいは、枠で囲むと、同時に、対応する画像内のテキスト表示位置においても、反転表示させたり、枠で囲む処理を行う、テキストマーク手段を備えて、
構成されている、文書ファイル閲覧システム。
（６）請求項３乃至５のいずれかに記載の文書ファイル閲覧システムにおいて、
前記携帯情報端末が、前記複合データダウンロード手段がダウンロードした前記文字メタファイルに基づいて、前記複合データ表示手段と連携して、画像中のテキスト表示領域を削除し、代わりに、対応するテキストを、より大きいサイズに代表される、視認性の高いフォントの文字を上書き表示する、テキスト上書き手段を備えて、
構成されている、文書ファイル閲覧システム。
（７）請求項３乃至５のいずれかに記載の文書ファイル閲覧システムにおいて、
前記携帯情報端末が、表示している画像中のテキストの内、ユーザが指定した部分を識別する、指定範囲識別手段と、前記複合データダウンロード手段がダウンロードした前記文字メタファイルに基づいて、前記複合データ表示手段と連携して、前記指定範囲識別手段が指定した部分について、画像中のテキストを削除し、代わりに、対応するテキストを、より大きいサイズに代表される、視認性の高いフォントの文字を上書き表示する、テキスト上書き手段を備えて、
構成されている、文書ファイル閲覧システム。
（８）請求項１乃至７のいずれかに記載の文書ファイル閲覧システムにおいて、
前記メール処理手段または前記文書ファイル処理手段が、あらかじめ設定した、ファイルサイズ、画像サイズ、ページ数に代表されるダウンロードするデータについての制限を、データ制限として保持する、データ制限保持手段と、前記データ制限保持手段に保持された前記データ制限に収まるように、画像圧縮のアルゴリズムや、色数、画素サイズを変更するように、前記画像変換手段に指示する、画像サイズ調整手段と、前記データ制限に収まるように、前記テキスト抽出手段によって抽出されたテキストや、前記文字メタファイル抽出手段によって抽出された前記文字メタファイルを圧縮して、前記データ登録手段に引き渡す、テキスト圧縮手段と、前記データ制限に収まるように、ページ数を増減するように前記画像変換手段に指示する、ページ数調整手段と、前記データ制限に収まるように、前記サーバからダウンロードすべき画像、テキスト、前記文字メタファイルのいずれか１乃至複数の組み合わせのデータを選択し、選択したデータだけを前記データ登録手段に引き渡す、データ種別選択手段をと備えて、
構成されている、文書ファイル閲覧システム。
（９）請求項８に記載の文書ファイル閲覧システムにおいて、
前記携帯情報端末が、ユーザが前記データ制限保持手段に保持されるべき前記データ制限を作成する、データ制限作成手段と、作成した前記データ制限を、前記ネットワークを介して、前記メール処理手段または前記文書ファイル処理手段に対して送信する、データ制限送信手段を備え、
前記メール処理手段または前記文書ファイル処理手段が、前記ネットワークを介して、前記携帯情報端末から送信されてくる前記データ制限を受け取って、前記データ制限保持手段に引き渡す、データ制限受信手段を備えて、
構成されている、文書ファイル閲覧システム。
（１０）請求項１乃至９のいずれかに記載の文書ファイル閲覧システムにおいて、
前記携帯情報端末が、画像とテキストとを表示する際に、ユーザがあらかじめ指定した、画像表示領域とテキスト表示領域とのそれぞれのサイズ、位置、領域数を表示領域設定として保持する、表示領域保持手段と、前記表示領域保持手段に保持した前記表示領域設定か、または、表示の都度、ユーザが指定した表示領域に従って、前記画像テキスト表示手段または前記複合データ表示手段に対して表示領域を指示する、表示領域設定手段を備えて、
構成されている、文書ファイル閲覧システム。
（１１）請求項１乃至１０のいずれかに記載の文書ファイル閲覧システムにおいて、
前記携帯情報端末が、ユーザの指示によって、または、自動的に、画像を拡大、縮小、回転、変形に代表される画像変換を実施し、その画像変換結果を前記画像テキスト表示手段または前記複合データ表示手段に対して引き渡す、画像変換手段を備えて、
構成されている、文書ファイル閲覧システム。
（１２）請求項１乃至１１のいずれかに記載の文書ファイル閲覧システムにおいて、
前記携帯情報端末が、ユーザの指示によって、または、自動的に、画像の濃淡補正、色彩補正、ボケ補正、ノイズ除去に代表される画像処理を実施し、その画像処理結果を前記画像テキスト表示手段または前記複合データ表示手段に対して引き渡す、画像処理手段を備えて、
構成されている、文書ファイル閲覧システム。
（１３）請求項１乃至１２のいずれかに記載の文書ファイル閲覧システムにおいて、
前記携帯情報端末が、ユーザの指示によって、または、自動的に、テキスト表示領域のフォントサイズ、フォント種別、書体に代表されるフォント調整を実施し、そのフォント調整結果を前記画像テキスト表示手段または前記複合データ表示手段に対して指示する、フォント調整手段を備えて、
構成されている、文書ファイル閲覧システム。
（１４）請求項１乃至１３のいずれかに記載の文書ファイル閲覧システムにおいて、
前記携帯情報端末が、自動的に、テキストをスクロールする、自動テキストスクロール手段を備えて、
構成されている、文書ファイル閲覧システム。
（１５）請求項１乃至１４のいずれかに記載の文書ファイル閲覧システムにおいて、
前記メール処理手段または前記文書ファイル処理手段が、ユーザが指定した画像サイズまたは画像分割数を、画像分割設定として保持する、画像分割設定保持手段と、前記画像分割設定保持手段に保持された前記画像分割設定に従って、前記画像変換手段が生成した画像を、分割して、前記画像分割設定とともに前記データ登録手段に引き渡す、画像分割手段と、を備え、当該画像分割手段により分割された画像と前記画像分割設定とを、当該文書ファイルのテキストとともに前記サーバに登録し、
前記携帯情報端末が、前記ネットワークを介して、前記サーバから前記文書ファイルの分割された画像とテキストと前記画像分割設定とをダウンロードした際に、前記画像分割設定に基づいて、分割された画像のうち、表示に必要な部分のみを選択して再構成し、前記画像テキスト表示手段または前記複合データ表示手段に対して引き渡す、画像再構成手段を備えて、
構成されている、文書ファイル閲覧システム。
（１６）請求項１乃至１５のいずれかに記載の文書ファイル閲覧システムにおいて、
前記メール処理手段または前記文書ファイル処理手段が、ユーザが指定したファイルサイズに対する制限をファイルサイズ設定として保持する、ファイルサイズ設定保持手段と、当該ファイルサイズ設定保持手段に設定保持された前記ファイルサイズ設定に従って、前記データ登録手段が前記サーバに登録しようとする画像、テキスト、前記文字メタファイルを、データファイルに分割し、分割前後のファイルの対応関係を分割対応表として、分割した前記データファイルとともにデータ登録手段に引き渡す、ファイル分割手段と、を備え、当該ファイル分割手段により分割された前記データファイルと前記分割対応表とを、前記サーバに登録し、
前記携帯情報端末が、前記ネットワークを介して、前記サーバから前記文書ファイルの分割された前記データファイルと前記分割対応表とをダウンロードした際に、前記分割対応表に基づいて、分割された前記データファイルを再構成し、前記画像テキスト表示手段または前記複合データ表示手段に対して引き渡す、ファイル再構成手段を備えて、
構成されている、文書ファイル閲覧システム。
（１７）請求項１乃至１６のいずれかに記載の文書ファイル閲覧システムにおいて、
前記メール処理手段または前記文書ファイル処理手段が、画像の文字認識により、画像の中からテキストを抽出し、文字毎の座標やフォント種別を含む文字メタ情報を抽出する文字認識手段と、前記文字認識手段による文字認識結果と、前記テキスト抽出手段により前記文書ファイルからテキストを抽出した際に、文字毎の位置、サイズ、フォント種別を含む情報またはそのいずれかの１乃至複数の組み合わせの情報として抽出した文字メタファイルとを比較し、互いを補完し合う新たな文字メタファイルを作成し、前記データ登録手段に引き渡す、マッチング手段と、を備えて、
構成されている、文書ファイル閲覧システム。
（１８）請求項１乃至１７のいずれかに記載の文書ファイル閲覧システムにおいて、
前記携帯情報端末が、画像とテキストとを表示する際に、自動的に、ページを切り替えて表示する、自動ページ切替手段を備えて、
構成されている、文書ファイル閲覧システム。
（１９）請求項１乃至１８のいずれかに記載の文書ファイル閲覧システムにおいて、
前記携帯情報端末が、全ページの画像を縮小画像で一覧表示し、ユーザが一覧表示された縮小画像の中から１つの縮小画像を選択すると、選択された縮小画像のページの画像及びテキストを表示する、サムネイル表示手段を備えて、
構成されている、文書ファイル閲覧システム。
（２０）請求項１乃至１８のいずれかに記載の文書ファイル閲覧システムにおいて、
前記携帯情報端末が、全ページについてページ毎の概要やタイトルを一覧表示し、ユーザが一覧の中から１つの概要やタイトルを選択すると、選択された概要やタイトルに該当するページの画像及びテキストを表示する、目次表示手段を備えて、
構成されている、文書ファイル閲覧システム。
（２１）文書ファイルを含む添付ファイル付きのメールを処理するメール処理手段と、携帯電話に代表される携帯情報端末と、文書に関する情報を登録するサーバと、前記メール処理手段、前記携帯情報端末、前記サーバを相互に接続するネットワークから構成され、前記メール処理手段が処理するメールに添付されている文書ファイルを前記携帯情報端末にて閲覧する文書ファイル閲覧方法であって、
前記メール処理手段は、外部からのメールを受信して、メール本文と添付されている文書ファイルとを分離する、メール分離ステップと、前記文書ファイルを、ページ毎に、元ファイルのレイアウト、フォント、色を含む情報を前記携帯情報端末で忠実に再現可能な画像に変換する、画像変換ステップと、前記文書ファイルから抽出可能なテキストを忠実に抜き出す、テキスト抽出ステップと、前記画像変換ステップによりページ毎に変換した画像と、前記テキスト抽出ステップにより抽出したテキストとを、前記サーバに登録する、データ登録ステップと、前記サーバに登録した画像とテキストとにアクセスするために必要な情報を、添付ファイル情報として、前記メール分離ステップにより分離した前記メール本文に付加する、添付ファイル情報付加ステップと、前記添付ファイル情報が付加された前記メール本文を、当該メール本文内に指示されている前記携帯情報端末のアドレスに対して、前記ネットワークを介して送付する、メール送信ステップと、を有し、
前記サーバは、前記メール処理手段によって登録された画像とテキストに対する前記携帯情報端末からのダウンロード要求を前記ネットワークを介して受け取った際に、画像とテキストとを要求元の前記携帯情報端末に前記ネットワークを介して送信する、データ送信ステップを有し、
前記携帯情報端末は、前記添付ファイル情報が付加された前記メール本文を前記メール処理手段から前記ネットワークを介して受け取る、メール受信ステップと、受け取った前記添付ファイル情報に従って、前記サーバに前記ネットワークを介してダウンロード要求をすることにより、前記サーバから画像とテキストとをダウンロードする、データダウンロードステップと、小画面であっても前記文書ファイルの内容を確実に把握できるように、ユーザの要求に応じて、前記サーバからダウンロードした画像とテキストとを同時表示するか、または、画像とテキストとを切り替えていずれかを表示する、画像テキスト表示ステップと、表示されたテキストと画像とのそれぞれをスクロール表示するスクロールステップと、前記文書ファイルが複数ページの場合、ページを切り替えて表示するページ切替ステップと、を有して、
構成されている、文書ファイル閲覧方法。
（２２）文書ファイルを処理する文書ファイル処理手段と、携帯電話に代表される携帯情報端末と、文書に関する情報を登録するサーバと、前記文書ファイル処理手段、前記携帯情報端末、前記サーバを相互に接続するネットワークから構成され、前記文書ファイル処理手段が処理する文書ファイルを前記携帯情報端末にて閲覧する文書ファイル閲覧方法であって、
前記文書ファイル処理手段は、外部からあらかじめ指定した箇所に配置された文書ファイルを、ページ毎に、元ファイルのレイアウト、フォント、色を含む情報を前記携帯情報端末で忠実に再現可能な画像に変換する、画像変換ステップと、前記文書ファイルから抽出可能なテキストを忠実に抜き出す、テキスト抽出ステップと、前記画像変換ステップによりページ毎に変換した画像と、前記テキスト抽出ステップにより抽出したテキストとを、前記サーバに登録する、データ登録ステップと、前記サーバに登録した画像とテキストとにアクセスするために必要な情報を、アクセス情報として生成して保存する、アクセス情報生成ステップと、前記アクセス情報生成ステップが生成して保存した全ての前記アクセス情報のうち、いずれかを選択することが可能な一覧情報を生成して、前記サーバに登録する一覧生成ステップと、を有し、
前記サーバは、前記文書ファイル処理手段によって登録された前記一覧情報に対する、または、前記文書ファイル処理手段によって登録された画像とテキストとに対する前記携帯情報端末からのダウンロード要求を前記ネットワークを介して受け取った際に、要求された前記一覧情報、または、画像とテキストとを要求元の前記携帯情報端末に前記ネットワークを介して送信する、データ送信ステップを有し、
前記携帯情報端末は、前記サーバに前記ネットワークを介して前記一覧情報のダウンロード要求をすることにより、前記サーバに登録された前記一覧情報を前記ネットワークを介してダウンロードして一覧表示する一覧表示ステップと、一覧表示された前記一覧情報の中から、ユーザが指定した前記アクセス情報に基づいて、前記サーバに前記ネットワークを介してダウンロード要求をすることにより、前記サーバから画像とテキストとをダウンロードする、データダウンロードステップと、小画面であっても前記文書ファイルの内容を確実に把握できるように、ユーザの要求に応じて、前記サーバからダウンロードした画像とテキストとを同時表示するか、または、画像とテキストとを切り替えていずれかを表示する、画像テキスト表示ステップと、表示されたテキストと画像とのそれぞれをスクロール表示するスクロールステップと、前記文書ファイルが複数ページの場合、ページを切り替えて表示するページ切替ステップと、を有して、
構成されている、文書ファイル閲覧方法。
（２３）請求項２１または２２に記載の文書ファイル閲覧方法において、
前記メール処理手段または前記文書ファイル処理手段は、前記テキスト抽出ステップにより前記文書ファイルからテキストを抽出した際に、文字毎の位置、サイズ、フォント種別を含む情報またはそのいずれかの１乃至複数の組み合わせの情報を抽出して、文字メタファイルとして保存する、文字メタファイル抽出ステップを有し、当該文字メタファイル抽出ステップにより抽出された前記文字メタファイルを、当該文書ファイルの画像とテキストとともに、前記サーバに登録し、
前記携帯情報端末が、前記ネットワークを介して、前記サーバから前記文書ファイルの画像とテキストとをダウンロードする際に、当該文書ファイルの前記文字メタファイルをも同時にダウンロードする、複合データダウンロードステップを、前記データダウンロードステップの代わりに有し、かつ、ユーザの要求に応じて、前記サーバからダウンロードした画像とテキストとを同時表示するか、または、画像とテキストとを切り替えていずれかを表示する際に、テキストを表示する場合、前記複合データダウンロードステップがダウンロードした前記文字メタファイルを解釈し、文字メタファイルに記述されている、文字の位置、サイズ、フォント種別を含む情報に従って、文字を配置して表示する複合データ表示ステップを、前記画像テキスト表示ステップの代わりに有して、
構成されている、文書ファイル閲覧方法。
（２４）請求項２１乃至２３のいずれかに記載の文書ファイル閲覧方法を、コンピュータが実行可能なプログラム論理として実現する文書閲覧プログラム。
【発明の効果】
【００２４】
本発明の文書ファイル閲覧システム、文書ファイル閲覧方法、及び、文書閲覧プログラムによれば、次のような効果を奏することができる。 
【００２５】
第１の効果は、携帯情報端末上で、パーソナルコンピュータ用の文書ファイルを表示可能とするために、文書ファイルを、ページ毎に画像に変換する画像変換手段と、添付ファイルからテキストを抜き出すテキスト抽出手段とを、メール処理手段や文書ファイル処理手段としてあらかじめ有し、変換した画像と抽出したテキストとをサーバに登録することにより、携帯情報端末においては、サーバからダウンロードして、画像テキスト表示手段によって、変換した画像と抽出したテキストを同時に表示するか、または、切り替えて表示することを可能にすることにある。もって、携帯情報端末では、画像を高速に表示するためのハードウェアやファームウェア、基本ソフトウェアなどがあらかじめ搭載されている場合が多いので、画像を表示し、高速に文書を確認することができる。また、携帯情報端末には画像解像度の限界があるので、テキスト抽出手段により抽出したテキストを表示することにより、文字が潰れてしまって視認できなくなることを防止し、文書ファイルに記述されている内容をより確実に把握することができる。さらに、画像とテキストとを同時に表示することにより、ユーザが、画像上の文章に対するテキストを確認しやすくすることができる。
【００２６】
第２の効果は、文書ファイルからテキストを抽出する際に、文字毎の座標やサイズ、フォント種別などの全てまたはその組み合わせの一部を抽出し、文字メタファイルとして保存する文字メタファイル抽出手段を、メール処理手段や文書ファイル処理手段としてあらかじめ有し、変換した画像と抽出したテキストと共に、抽出した文字メタファイルをもサーバに登録することにより、携帯情報端末においては、サーバからダウンロードして、複合データ表示手段によって、この文字メタファイルを解釈し、テキスト表示時に文字メタファイルに記述されている、文字の位置、サイズ、フォント種別などに従って、文字を配置して、携帯情報端末上に表示することができることにある。もって、テキストを画像上の文書の配置と似た配置で表示することができ、画像上の文章とテキストとの対応をより確実に得ることができる。
【００２７】
第３の効果は、携帯情報端末上で、テキストと画像とを同時に表示する際に、同期スクロール手段により、テキストと画像とを同期してスクロールすることができることにある。もって、画像上の文章とそれに対応するテキストとが同時にスクロールされるので、画像上の文章とテキストとの対応をより確実に得ることができる。
【００２８】
第４の効果は、携帯情報端末のユーザが、テキストマーク手段により、テキスト表示領域内で指定したテキスト部分を反転表示させたり、枠で囲んだりした場合に、同時に、対応する画像表示領域内のテキスト表示位置においても、反転表示させたり、枠で囲んだりすることができることにある。もって、指定したテキストに対応する、画像上の文章に目印を付すことができるので、画像上の文章とテキストとの対応をより確実に得ることができる。
【００２９】
第５の効果は、携帯情報端末上で、テキスト上書き手段により、画像表示領域中のテキスト表示領域を削除して、代わりに、よりサイズが大きいといった、視認性の高いフォントの文字を上書き表示することができることにある。もって、画像上の文章をより確実に判読できるようになる。
【００３０】
第６の効果は、指定範囲識別手段により、携帯情報端末のユーザが指定した部分を識別し、テキスト上書き手段により、ユーザが指定した部分について、画像中のテキスト表示領域を削除して、代わりに、よりサイズが大きいといった、視認性の高いフォントの文字を上書き表示することができることにある。もって、画像上で、ユーザが指定した文章をより確実に判読できるようになる。
【００３１】
第７の効果は、あらかじめ設定したデータ制限に収まるように、画像圧縮のアルゴリズムや、色数、画素サイズを変更する、画像サイズ調整手段と、データ制限に収まるように、抽出されたテキストや、抽出された文字メタファイルを圧縮する、テキスト圧縮手段と、データ制限に収まるように、ページ数を増減する、ページ数調整手段と、データ制限に収まるように、画像、テキスト、文字メタファイルから、ダウンロードすべきデータの組み合わせを選択する、データ種別選択手段とをメール処理手段としてあらかじめ有し、圧縮した画像サイズやテキスト、ページ数、データの組み合わせをサーバに登録することにより、携帯情報端末においては、サーバからダウンロードして、複合データ表示手段によって、確実に、文書ファイルを、携帯情報端末上に表示することができることにある。もって、ユーザが、文書ファイルの中身をより多く得られるようにすることができる。
【００３２】
第８の効果は、データ制限作成手段により、第７の効果に示した前記データ制限をユーザが携帯情報端末から任意の値に設定することができることにある。もって、ユーザが自由に携帯情報端末から必要なデータサイズを指定することができる。
【００３３】
第９の効果は、携帯情報端末において、表示領域保持手段の他に、表示領域設定手段を有することにより、ユーザが、画像表示領域とテキスト表示領域とのそれぞれのサイズ及び位置を設定することができることにある。もって、ユーザが見やすい配置で画像とテキストとを表示して、ユーザに対するストレスを低減させることができるため、文書ファイルの中身をより効率的に把握できるようになる。
【００３４】
第１０の効果は、携帯情報端末において、画像変換手段により、ユーザが見やすいように、ユーザによって、または、自動的に、画像を拡大、縮小、回転及び変形させるような画像変換を行うことができることにある。もって、画像をより見やすくし、ユーザが画像の中身をより確実に把握できるようになる。
【００３５】
第１１の効果は、携帯情報端末において、画像処理手段により、ユーザが見やすいように、ユーザによって、または、自動的に、画像の濃淡補正や、色彩補正、ボケ補正、ノイズ除去などの画像処理を実施することができることにある。もって、画像をより見やすくし、ユーザが画像の中身をより確実に把握できるようになる。
【００３６】
第１２の効果は、携帯情報端末において、フォント調整手段により、ユーザが見やすいように、ユーザによって、または、自動的に、テキスト表示領域のフォントサイズやフォント種別、書体を変更することができることにある。もって、テキストをより見やすくし、ユーザがテキストの中身をより確実に把握できるようになる。
【００３７】
第１３の効果は、携帯情報端末において、自動テキストスクロール手段により、ユーザが見やすいように、自動的にテキストをスクロールすることができることにある。もって、テキストを素早く見ることができ、ユーザが迅速にテキストの中身を把握できるようになる。
【００３８】
第１４の効果は、携帯情報端末に表示する画像を画素単位で分割または等分割する、画像分割手段を、メール処理手段や文書ファイル処理手段としてあらかじめ有し、分割した画像とテキストと共に、分割画像設定に関する情報をもサーバに登録することにより、携帯情報端末においては、サーバからダウンロードして、画像再構成手段によって、分割画像設定に関する情報を基にして、分割画像の中から、表示に必要な部分のみを選択して再構成することができることにある。もって、携帯情報端末で画像表示に必要なメモリを節約するために、メモリ搭載量の小さい携帯情報端末であっても、画像を表示できるようになる。また、画像ファイルとして表示に必要な部分しか読み込まないため、画像ファイル読み込み時間及び表示処理時間を短縮することができ、高速に表示できるようになる。
【００３９】
第１５の効果は、携帯情報端末にダウンロードする画像ファイル、及び、テキストファイル、文字メタファイルを、あらかじめ設定したバイト数単位で分割または等分割するファイル分割手段を、メール処理手段や文書ファイル処理手段としてあらかじめ有し、分割したファイルと共に、分割対応表に関する情報をもサーバに登録することにより、携帯情報端末においては、サーバからダウンロードして、ファイル再構成手段によって、分割対応表に関する情報を基にして、分割されたファイルを元に戻すことができることにある。もって、通信時に転送できるファイルサイズが制限されている携帯情報端末であっても、ファイルサイズの大きな画像を転送することができる。また、転送エラーが起こっても、再送の単位が小さく、再送の遅延を小さくすることができるので、ファイルを分割しない場合よりも早く転送・表示することができる。
【００４０】
第１６の効果は、画像から文字認識により、テキスト及びその位置などを抽出する文字認識手段と、文字認識結果と抽出したテキストや文字メタファイルとを比較し、互いを補完し合う新たな文字メタファイルを作成する、マッチング手段とを、メール処理手段や文書ファイル処理手段としてあらかじめ有し、画像とテキストと共に、新たな文字メタファイルをもサーバに登録することにより、携帯情報端末においては、サーバからダウンロードして、複合データ表示手段により、新たな文字メタファイルを基にして、画像とテキストとで補完し合って、テキストをより正確に表示することができることにある。もって、画像中に埋め込まれた文字についても、テキストとして表示することができる。
【００４１】
第１７の効果は、携帯情報端末において、自動ページ切替手段により、自動的にページ切替表示することができることにある。もって、素早く文書内容を概観することができる。
【００４２】
第１８の効果は、携帯情報端末において、サムネイル表示手段により、全ページの画像を縮小画像で一覧表示し、ユーザが縮小画像の一覧の中からいずれか１つの縮小画像を選択することによって、そのページの画像及びテキストを表示することができることにある。もって、素早く画像全体を概観し、特定の注目すべきページを素早く見つけ出し、表示することができる。
【００４３】
第１９の効果は、携帯情報端末において、目次表示手段により、全ページについてページ毎の概要やタイトルを一覧表示し、ユーザが一覧の中からいずれか１つの概要やタイトルを選択することによって、そのページの画像及びテキストを表示することができることにある。もって、素早くテキスト全体を概観し、特定の注目すべきページを素早く見つけ出し、表示することができる。
【発明を実施するための最良の形態】
【００４４】
以下、本発明による文書ファイル閲覧システム、文書ファイル閲覧方法、及び、文書閲覧プログラムの好適実施形態例について添付図を参照して説明する。
【００４５】
（第1の実施形態）
本実施形態は、携帯情報端末で文書ファイルを表示する際に、当該文書ファイルの画像イメージと文書ファイルから抽出したテキストとの両方を、同時または切り替えて表示するものであり、表示画像の解像度に限界がある携帯情報端末では、画像の文字が潰れてしまう場合があったとしても、抽出したテキストを表示することにより、ユーザが、画像上の文章に対するテキストを確認しやすくし、文書ファイルに記述されている内容をより確実に把握することができるようにする例を示している。
【００４６】
図１は、本発明による文書ファイル閲覧システムのブロック構成に関する第１の実施形態を示すブロック図である。図１に示す第１の実施形態においては、文書ファイル閲覧システム１１０は、パーソナルコンピュータ１１５から受信した文書ファイルに関するデータを生成するメール処理手段１１１と、文書ファイルを閲覧する携帯情報端末１１２と、文書ファイルに関するデータを登録するサーバ１１３と、これらを相互に接続するネットワーク１１４と、を少なくとも含んで構成されている。サーバ１１３は、例えばＷｅｂサーバとして構成する。
【００４７】
メール処理手段１１１とサーバ１１３とは、例えば、パーソナルコンピュータやワークステーションなどから構成される。また、メール処理手段１１１とサーバ１１３とは、ネットワーク１１４を介して互いに接続されていても良いし、同一コンピュータシステム内で直接通信可能なように構成しても良い。図１は、直接通信する場合を例示している。
【００４８】
一方、携帯情報端末１１２は、例えば、携帯電話やＰＤＡ（Ｐｅｒｓｏｎａｌ  Ｄｉｇｉｔａｌ  Ａｓｓｉｓｔａｎｔｓ）、ノートＰＣなどから構成される。携帯情報端末１１２は、メール処理手段１１１やサーバ１１３とは、無線あるいは有線などから構成されるネットワーク１１４を介して接続される。
【００４９】
メール処理手段１１１は、メール分離手段１１０１、画像変換手段１１０２、テキスト抽出手段１１０３、データ登録手段１１０４、添付ファイル情報付加手段１１０５、メール送信手段１１０６を少なくとも含んで構成されている。メール分離手段１１０１は、ネットワーク１１４を介して、例えば、パーソナルコンピュータ１１５から送信された電子メールを受信し、メール本文と添付ファイルとに分離するものである。画像変換手段１１０２は、受信した電子メールの添付ファイルをページ毎に画像に変換するものである。
【００５０】
また、テキスト抽出手段１１０３は、受信した電子メールの添付ファイルからテキストを抜き出すものである。データ登録手段１１０４は、画像変換手段１１０２によってページ毎に変換した画像と、テキスト抽出手段１１０３によって抽出したテキストとを、サーバ１１３に登録するものである。
【００５１】
また、添付ファイル情報付加手段１１０５は、携帯情報端末１１２がネットワーク１１４を介してサーバ１１３に登録された画像とテキストにアクセスすることを可能とするために、登録したサーバ１１３の名称やアドレスと、登録した場所など、アクセスに必要な情報を、添付ファイル情報として、携帯情報端末１１２へ送信するメール本文に付加するものである。メール送信手段１１０６は、添付ファイル情報付加手段１１０５によって添付ファイル情報が付加されたメールを、メール内で指示されている携帯情報端末１１２のアドレスに対して送付するものである。
【００５２】
サーバ１１３は、メール処理手段１１１によって登録された画像とテキストとを、アクセス要求があった携帯情報端末１１２に対して、ネットワーク１１４を介して送信するデータ送信手段１１０７を少なくとも含んで構成されている。
【００５３】
携帯情報端末１１２は、メール受信手段１１０８、データダウンロード手段１１０９、画像テキスト表示手段１１１０、スクロール手段１１１１、ページ切替手段１１１２を少なくとも含んで構成されている。メール受信手段１１０８は、メール処理手段１１１からの添付ファイル情報が付加されたメールを、ネットワーク１１４を介して、受け取るものである。データダウンロード手段１１０９は、メール受信手段１１０８が受信したメールに付加された添付ファイル情報に従って、サーバ１１３にアクセスして、サーバ１１３から画像とテキストとをダウンロードするものである。
【００５４】
また、画像テキスト表示手段１１１０は、ユーザ操作部１１６の操作に応じて、サーバ１１３からダウンロードした画像とテキストとを同時に画面表示するか、または、切り替えて画面表示するものである。スクロール手段１１１１は、テキストと画像それぞれをスクロール表示するものである。ページ切替手段１１１２は、閲覧ファイルとして複数のページが存在している場合、ページを切り替えて表示するものである。
【００５５】
（動作の説明）
次に、本発明の第１の実施形態として、図１に示す文書ファイル閲覧システム１１０について、その動作を説明する。
【００５６】
メール処理手段１１１は、直接通信によりまたはネットワーク１１４を介して、例えばパーソナルコンピュータ１１５から送信されてきた電子メールを受信する。ここで、受信した電子メールには、最終的な配信先である、携帯情報端末１１２のメールアドレスが記載されている。また、受信した電子メールには、携帯情報端末１１２へ送信するメール本文と添付ファイルとが含まれている。該添付ファイルについては、複数個含まれていても良い。また、該添付ファイルの符号化方式については、例えば実際に広く採用されているＭＩＭＥ（Multipurpose Internet Mail Extension）フォーマットにエンコードされているものであっても良い。
【００５７】
パーソナルコンピュータ１１５からメール処理手段１１１へ電子メールを送信する手段としては、例えば、一般的なメールソフトとして、その宛先に、メール処理手段１１１のアドレスを指定し、本文中に、最終的な配送先である、携帯情報端末１１２のアドレスを記述する方法がある。その他、一般的なメールソフトを改造して、宛先として最終的な配送先である、携帯情報端末１１２のアドレスのみを記述することとし、メール処理手段１１１のアドレスについては、設定ファイル等にあらかじめ記述することにして、ユーザは、メールソフトに対してメール処理手段１１１のアドレスを明示的には指定しなくても良いものとすることも可能である。
【００５８】
メール処理手段１１１が、パーソナルコンピュータ１１５から電子メールを受信すると、メール分離手段１１０１は、受信した電子メールについて、メール本文と添付ファイルとを分離する。また、宛先である携帯情報端末１１２のメールアドレスを抽出する。
【００５９】
画像変換手段１１０２は、受信した電子メールから分離された添付ファイルを、ページ毎に、例えば、ＪＰＥＧといったフォーマットの画像に変換する。一方、テキスト抽出手段１１０３は、受信した電子メールから分離された添付ファイルの中から、ページ毎にテキストデータを抜き出す。
【００６０】
ここで、画像変換手段１１０２とテキスト抽出手段１１０３とは、例えば、擬似プリンタドライバ形式を採用する。擬似プリンタドライバ形式とは、コンピュータのアプリケーションからは普通のプリンタのように扱われるものであるが、印刷指示を行うと、通常は、プリンタに送出されるべきページ毎の画像データを遮断して、プリンタへは送出しないで抜き取ることができる。同時に、通常は、プリンタに送出されるべきページ毎のテキストも遮断して、プリンタへは送出しないで抜き取ることができる。本実施形態の場合は、受信した電子メールから分離された添付ファイルの印刷指示を行うと、画像変換手段１１０２とテキスト抽出手段１１０３とのそれぞれが、当該添付ファイルを、ページ毎に、例えば、ＪＰＥＧといったフォーマットの画像に変換したり、当該添付ファイルの中から、ページ毎にテキストデータを抜き出したりする。
【００６１】
なお、標準的なプリンタドライバの作成方法は、広く公開されており、公開されたプリンタドライバの作成方法を基にして、擬似プリンタドライバ形式を構成することができる。また、擬似プリンタドライバ形式は、印刷機能を備え、標準的なプリンタドライバに対応した、ほぼ全てのアプリケーションに対応することができる。ただし、一般に、擬似プリンタドライバ形式を実現するには、経験と高いスキルが必要であるため、通常、擬似プリンタドライバ形式を採用しないで、アプリケーションのファイルを独自に解釈する専用ソフトウェアを開発する場合が多い。
【００６２】
しかしながら、アプリケーションのファイルは、そのフォーマットが完全に非公開であったり、一部しか公開していなかったりするため、画像に変換できなかったり、テキストを抽出できなかったりすることがある。あるいは、たとえ、画像に変換できたとしても、レイアウトやフォント、色が元ファイルと異なってしまうことが多い。さらには、アプリケーション毎にフォーマットの解析が必要となり、多様なアプリケーションへの対応ができなくなる。
【００６３】
一方、擬似プリンタドライバ形式は、広範囲なアプリケーションに対応することができるが、万能ではなく、ごく一部、対応できないアプリケーションも存在する。対応できないアプリケーションについては、そのファイルフォーマットを解釈することができる、公開されている別のソフトウェアを、前記擬似プリンタドライバ形式と併用するようにしても良い。または、当該ファイルフォーマットを解釈するように独自に作成した専用ソフトウェアと、前記擬似プリンタドライバ形式とを併用しても良い。
【００６４】
更に、画像変換手段１１０２とテキスト抽出手段１１０３として、特開２００４−３５９８０３号公報に記載されているような方法を利用して、例えば、対象ファイルを作成したアプリケーションを自動的に起動することにより画面キャプチャし、キャプチャしたこの画面から画像を自動生成し、同時に、該アプリケーションのテキスト部分を選択して保存する機能を自動実行することによってテキストを抽出するようにしても良い。
【００６５】
データ登録手段１１０４は、画像変換手段１１０２によって変換した画像とテキスト抽出手段１１０３によって抽出したテキストデータとをサーバ１１３に登録する。データ登録手段１１０４からの登録要求を受け取ったサーバ１１３では、例えば、添付ファイル毎に、サーバ１１３のあらかじめ定めた特定のフォルダにまとめて、画像とテキストデータとのそれぞれのファイルを配置する。
【００６６】
添付ファイル情報付加手段１１０５は、変換した画像ファイルや抽出したテキストファイルと、添付ファイル名や添付ファイルのページ番号との対応付け、及び、該画像ファイルやテキストファイルを登録したサーバ１１３の名称やアドレスと、登録したサーバ１１３のフォルダなど、該画像ファイルやテキストファイルへのアクセスに必要な情報を、添付ファイル情報として、メール分離手段１１０１にて分離した前記メール本文に付加する。ここで、サーバ１１３をＷｅｂサーバとして構成している場合は、添付ファイル情報は、例えば、ＵＲＬ（Ｕｎｉｆｏｒｍ  Ｒｅｓｏｕｒｃｅ  Ｌｏｃａｔｏｒ）で示すようにしても良い。
【００６７】
メール送信手段１１０６は、添付ファイル情報付加手段１１０５によって添付ファイル情報が付加されたメール本文を、当該電子メール内に指示されている携帯情報端末１１２のアドレスに対して、ネットワーク１１４を介して送付する。
【００６８】
また、サーバ１１３のデータ送信手段１１０７は、携帯情報端末１１２からアクセス要求があった場合に、要求された画像とテキストとを登録フォルダから取り出して、要求元の携帯情報端末１１２に対して、ネットワーク１１４を介して送信する。
【００６９】
次に、携帯情報端末１１２側の各ブロックの動作について説明する。メール受信手段１１０８は、ネットワーク１１４を介して、メール処理手段１１１のメール送信手段１１０６から送信されてくる電子メールを受信する。携帯情報端末１１２のユーザが、受信した電子メールを開いて、メール本文に付加されている例えばＵＲＬで示された前記添付ファイル情報を、例えば、マウスでクリックしたり、タッチペンで指定したり、カーソルを重ねて、特定のボタンを押すなどユーザ操作部１１６の操作入力をすることによって選択すると、データダウンロード手段１１０９は、当該添付ファイル情報が示す画像やテキストファイルに対するアクセス要求を、サーバ１１３に対して、ネットワーク１１４を介して送信することによって、サーバ１１３のデータ送信手段１１０７から、要求した画像とテキストとをネットワーク１１４を介して受け取る。
【００７０】
画像テキスト表示手段１１１０は、データダウンロード手段１１０９によってサーバ１１３からダウンロードした画像とテキストとを、画面上に同時表示するか、または、画像のみの表示とテキストのみの表示とを切り替えて表示する。画像とテキストとを同時表示する場合、例えば、画像表示領域とテキスト表示領域とを、図２２に示すように並べる。
【００７１】
図２２は、携帯情報端末１１２上の画像表示領域とテキスト表示領域との配置例を示す模式図である。図２２（Ａ）は、画面の上側に画像表示領域を、下側にテキスト表示領域を割り当てる例を示し、図２２（Ｂ）は、図２２（Ａ）に更に追加して画面の左上に画像表示領域に重複させてテキスト表示領域を確保している例を示している。また、図２２（Ｃ）は、画面の左側に画像表示領域を、右側にテキスト表示領域を割り当てるとともに、画面左側の中央部には、画像表示領域に重複させてテキスト表示領域を確保している例を示している。
【００７２】
なお、画像とテキストとの同時表示か、画像のみかテキストのみかの選択は、ユーザが、例えば、携帯情報端末１１２上の特定のボタンを押すことによって指定することができる。
【００７３】
スクロール手段１１１１は、カーソルキーなどのキー入力や、マウス、ジョイスティックなどによるユーザ操作部１１６からの操作入力に従って、画像及びテキストの表示画面をスクロールして表示する。
【００７４】
ページ切替手段１１１２は、画像やテキストが複数ページに亘って存在している場合、ユーザが特定のキー操作やマウス操作、タッチパネル操作を行うといったユーザ操作部１１６からの操作入力により、ページを切り替えて表示する。
【００７５】
以上のように、図１に示す文書ファイル閲覧システム１１０においては、メール処理手段１１１側に画像変換手段１１０２、テキスト抽出手段１１０３を配置して、パーソナルコンピュータ１１５からの受信メールに添付されている添付ファイルを、携帯情報端末１１２でも表示可能な画像フォーマットの画像に変換するとともに、添付ファイルに含まれているテキストデータを抽出して、変換した画像と抽出したテキストとをサーバ１１３に登録し、携帯情報端末１１２に備えたデータダウンロード手段１１０９によりサーバ１１３より画像やテキストをダウンロードして、画像テキスト表示手段１１１０によって、携帯情報端末１１２の画面上に画像とテキストとの両方を同時にまたは切り替えて表示させることが可能になる。
【００７６】
なお、携帯情報端末１１２には、一般に、ＪＰＥＧなどの画像を高速に表示するためのハードウェアやファームウェア、基本ソフトウェアなどがあらかじめ搭載されている場合が多く、画像を表示し、高速に文書を確認することができる。ただし、表示可能な画像には解像度の限界があり、文字が潰れてしまう場合がある。しかし、本実施形態では、メール処理手段１１１側のテキスト抽出手段１１０３にて抽出したテキストを表示することにより、文字の潰れが生じないようにし、文書ファイルに記述されている内容をより確実に把握することができる。また、画像とテキストとを同時に表示することにより、ユーザが、画像上の文章に対応するテキストが同時に表示されるので、その内容を確認し易くすることができる。
【００７７】
（他の実施形態）
次に、本発明の文書ファイル閲覧システム他の実施形態について、図を参照しながら、その構成と動作とを説明する。
【００７８】
（第２の実施形態）
まず、第２の実施形態の構成について、図２を用いて説明する。本実施形態においては、文書ファイルの画像イメージとテキストとを登録したサーバから、表示したい画像イメージとテキストを検索してダウンロードしやすくするために、登録された画像とテキストとの一覧を、携帯情報端末に表示する例を示している。
【００７９】
図２は、本発明による文書ファイル閲覧システムのブロック構成に関する第２の実施形態を示すブロック図である。図２に示す第２の実施形態においては、文書ファイル閲覧システム１２０は、パーソナルコンピュータ１２５から受信した文書ファイルに関するデータを生成する文書ファイル処理手段１２１と、文書ファイルを閲覧する携帯情報端末１２２と、文書ファイルに関するデータを登録するサーバ１２３と、これらを相互に接続するネットワーク１２４と、を少なくとも含んで構成されている。サーバ１２３は、例えばＷｅｂサーバとして構成する。
【００８０】
文書ファイル処理手段１２１とサーバ１２３とは、例えば、パーソナルコンピュータやワークステーションなどから構成される。また、文書ファイル処理手段１２１とサーバ１２３とは、ネットワーク１２４を介して互いに接続されていても良いし、同一コンピュータシステム内で直接通信可能なように構成しても良いし、あるいは、文書ファイル処理手段１２１とサーバ１２３とを一体化して構成しても良い。図２は、直接通信する場合を例示している。
【００８１】
一方、携帯情報端末１２２は、第１の実施形態と同様、例えば、携帯電話やＰＤＡ（Ｐｅｒｓｏｎａｌ  Ｄｉｇｉｔａｌ  Ａｓｓｉｓｔａｎｔｓ）、ノートＰＣなどから構成され、サーバ１２３とは、無線あるいは有線などから構成されるネットワーク１２４を介して接続される。
【００８２】
文書ファイル処理手段１２１は、画像変換手段１２０２、テキスト抽出手段１２０３、データ登録手段１２０４、アクセス情報生成手段１２０５、一覧生成手段１２０６を少なくとも含んで構成されている。画像変換手段１２０２は、ネットワーク１２４を介して、例えば、パーソナルコンピュータ１２５から受信したデータ中のあらかじめ指定した箇所に配置したファイルを、自動的に、ページ毎に、画像へと変換するものである。テキスト抽出手段１２０３は、指定した箇所に配置されている前記ファイルからテキストを抜き出すものである。
【００８３】
また、データ登録手段１２０４は、画像変換手段１２０２によってページ毎に変換した画像と、テキスト抽出手段１２０３によって抽出したテキストと、をサーバ１２３に登録するものである。
【００８４】
また、アクセス情報生成手段１２０５は、携帯情報端末１２２がネットワーク１２４を介してサーバ１２３に登録された画像とテキストにアクセスすることを可能とするために、登録したサーバ１２３の名称やアドレスと、登録した場所など、アクセスに必要な情報を、アクセス情報として保存するものである。一覧生成手段１２０６は、画像変換手段１２０２によって変換され、サーバ１２３に登録された全てのファイルについて、ファイル毎にアクセスするためのアクセス情報を、一覧表示可能な一覧情報として生成して、サーバ１２３に登録するものである。
【００８５】
サーバ１２３は、文書ファイル処理手段１２１によって登録された画像とテキストと一覧情報とを、アクセス要求があった携帯情報端末１２２に対して、ネットワーク１２４を介して送信するデータ送信手段１２０７を少なくとも含んで構成されている。
【００８６】
携帯情報端末１２２は、一覧表示手段１２０８、データダウンロード手段１２０９、画像テキスト表示手段１２１０、スクロール手段１２１１、ページ切替手段１２１２を少なくとも含んで構成されている。一覧表示手段１２０８は、ネットワーク１２４を介して、サーバ１２３に登録されている一覧情報にアクセスして、サーバ１２３に登録された文書ファイルの一覧情報を受け取って、画面表示するものである。
【００８７】
また、データダウンロード手段１２０９は、一覧表示手段１２０８により一覧表示された文書ファイルの中から、ユーザがユーザ操作部１２６により指定した文書ファイルのダウンロード指示に従って、サーバ１２３にアクセスして、サーバ１２３から、対応した文書ファイルに関する、変換された画像と抽出されたテキストとをダウンロードするものである。
【００８８】
また、画像テキスト表示手段１２１０は、ユーザ操作部１２６の操作に応じて、サーバ１２３からダウンロードした画像とテキストとを同時に画面表示するか、または、切り替えて画面表示するものである。スクロール手段１２１１は、テキストと画像それぞれをスクロール表示するものである。ページ切替手段１２１２は、閲覧ファイルとして複数のページが存在している場合、ページを切り替えて表示するものである。
【００８９】
（動作の説明）
次に、本発明の第２の実施形態として図２に示す、文書ファイル閲覧システム１２０について、その動作を説明する。  
【００９０】
ユーザは、パーソナルコンピュータ１２５のアプリケーションを用いて作成した文書ファイルを、ネットワーク１２４を介して、文書ファイル処理手段１２１に転送したりして、文書ファイル処理手段１２１内の特定のフォルダに配置させる。
【００９１】
画像変換手段１２０２は、常時、その特定のフォルダを監視しており、新たなファイルが配置されたことを検出した場合、あるいは、ユーザ操作部１２６によるユーザからのキーボード入力やマウス入力で指定したファイルの変換指示があった場合、当該ファイルの各ページを自動的に画像に変換する。テキスト抽出手段１２０３も、同様に、常時、その特定のフォルダを監視しており、新たなファイルが配置されたことを検出した場合、あるいは、ユーザ操作部１２６によるユーザからのキーボード入力やマウス入力で指定したファイルからのテキスト抽出指示があった場合、当該ファイルからテキストを自動的に抽出する。
【００９２】
画像変換手段１２０２とテキスト抽出手段１２０３とは、第１の実施形態と同様に、例えば、擬似プリンタドライバ形式を採用する。第１の実施形態の場合と同様に、擬似プリンタドライバ形式に対応することができないアプリケーションについては、そのファイルフォーマットを解釈することができる、公開されている別のソフトウェアを、前記擬似プリンタドライバ形式と併用するようにしても良い。または、当該ファイルフォーマットを解釈するように独自に作成した専用ソフトウェアと、前記擬似プリンタドライバ形式とを併用しても良い。
【００９３】
データ登録手段１２０４は、画像変換手段１２０２によって変換した画像とテキスト抽出手段１２０３によって抽出したテキストデータとをサーバ１２３に登録する。データ登録手段１２０４からの登録要求を受け取ったサーバ１２３では、例えば、添付ファイル毎に、サーバ１２３のあらかじめ定めた特定のフォルダにまとめて、画像とテキストデータとのそれぞれのファイルを配置する。
【００９４】
アクセス情報生成手段１２０５は、画像変換手段１２０２によって変換した画像ファイルやテキスト抽出手段１２０３によって抽出したテキストファイルと、添付ファイル名や添付ファイルのページ番号との対応付け、及び、該画像ファイルやテキストファイルを登録したサーバ１２３の名称やアドレスと、登録したサーバ１２３のフォルダなど、該画像ファイルやテキストファイルへのアクセスに必要な情報を、文書ファイル毎に、アクセス情報として生成して保存するとともに、一覧生成手段１２０６に渡す。
【００９５】
一覧生成手段１２０６は、アクセス情報生成手段１２０５から受け取った複数の文書ファイルのアクセス情報を、一覧できるように、一覧情報（一覧メタファイル）としてまとめ、例えば、ＨＴＭＬ形式やＸＭＬ形式を用いたファイルとして、サーバ１２３の特定のフォルダに特定のファイル名称を付して登録する。例えば、一般的なＷｅｂサーバにアクセスした場合、特定の指定が無い場合には、ルートフォルダの「index.html」というファイルを読み込むことになっているため、サーバ１２３がＷｅｂサーバであった場合は、この「index.html」内に一覧情報を記述しても良い。
【００９６】
また、サーバ１２３のデータ送信手段１２０７は、携帯情報端末１２２からアクセス要求があった場合に、要求された画像とテキストと一覧メタファイルとを登録フォルダから取り出して、要求元の携帯情報端末１２２に対して、ネットワーク１２４を介して送信する。
【００９７】
次に、携帯情報端末１２２側の各ブロックの動作について説明する。一覧表示手段１２０８は、ネットワーク１２４を介して、サーバ１２３のデータ送信手段１２０７から送信されてくる一覧メタファイルすなわち一覧情報を受け取り、当該一覧メタファイルに記述された情報を基にして、携帯情報端末１２２上の画面に、サーバ１２３に登録された全てのファイルについての情報を一覧表示する。携帯情報端末１２２のユーザが、一覧表示されたファイル情報の中からいずれかのファイルを、例えば、マウスでクリックしたり、タッチペンで指定したり、カーソルを重ねて、特定のボタンを押すなどの操作をすることによって選択すると、データダウンロード手段１２０９は、当該ファイル情報が示す画像やテキストファイルに対するアクセス要求を、サーバ１２３に対して、ネットワーク１２４を介して送信する。この結果、サーバ１２３のデータ送信手段１２０７から、要求した画像とテキストとをネットワーク１２４を介して受け取る。
【００９８】
画像テキスト表示手段１２１０は、データダウンロード手段１２０９によってサーバ１２３からダウンロードした画像とテキストとを、画面上に同時表示するか、または、画像のみの表示とテキストのみの表示とを切り替えて表示する。画像とテキストとを同時表示する場合、例えば、画像表示領域とテキスト表示領域とを、第１の実施形態の場合と同様に、図２２に示すように並べる。なお、画像とテキストとの同時表示か、画像のみの表示かテキストのみの表示かの選択は、ユーザが、例えば、携帯情報端末１２２上の特定のボタンを押すことによって指定することができる。
【００９９】
スクロール手段１２１１は、カーソルキーなどのキー入力や、マウス、ジョイスティックなどによるユーザ操作部１２６からの操作入力に従って、画像及びテキストの表示画面をスクロールして表示する。
【０１００】
ページ切替手段１２１２は、画像やテキストが複数ページに亘って存在している場合、ユーザが特定のキー操作やマウス操作、タッチパネル操作を行うといったユーザ操作部１２６からの操作入力により、ページを切り替えて表示する。
【０１０１】
以上のように、図２に示す文書ファイル閲覧システム１２０においては、文書ファイル処理手段１２１側にアクセス情報生成手段１２０５、一覧生成手段１２０６を配置することによって、携帯情報端末１２２は、サーバ１２３に登録されている全ての文書ファイルに関する情報を一覧表示させることが可能であり、ユーザが所望する文書ファイルを素早く検索することが可能となる。
【０１０２】
（第３の実施形態）
次に、第３の実施形態の構成について、図３を用いて説明する。本実施形態においては、文書ファイルの画像イメージ中から抽出したテキストを画像上の文書の配置と似た配置で表示することにより、画像上の文書すなわち文書ファイル中の文字列とテキストとの対応をより確実に得ることが可能となる例を示している。
【０１０３】
図３は、本発明による文書ファイル閲覧システムのブロック構成に関する第３の実施形態を示すブロック図である。図３に示す第３の実施形態においては、第１の実施形態と同様、文書ファイル閲覧システム１３０は、パーソナルコンピュータ１３５から受信した文書ファイルに関するデータを生成するメール処理手段１３１と、文書ファイルを閲覧する携帯情報端末１３２と、文書ファイルに関するデータを登録するサーバ１３３と、これらを相互に接続するネットワーク１３４と、を少なくとも含んで構成されている。サーバ１３３は、例えばＷｅｂサーバとして構成する。
【０１０４】
メール処理手段１３１とサーバ１３３とは、第１の実施形態と同様、例えば、パーソナルコンピュータやワークステーションなどから構成される。また、メール処理手段１３１とサーバ１３３とは、ネットワーク１３４を介して互いに接続されていても良いし、同一コンピュータシステム内で直接通信可能なように構成しても良い。図３は、直接通信する場合を例示している。
【０１０５】
一方、携帯情報端末１３２は、第１の実施形態と同様、例えば、携帯電話やＰＤＡ（Ｐｅｒｓｏｎａｌ  Ｄｉｇｉｔａｌ  Ａｓｓｉｓｔａｎｔｓ）、ノートＰＣなどから構成される。携帯情報端末１３２は、メール処理手段１３１やサーバ１３３とは、無線あるいは有線などから構成されるネットワーク１３４を介して接続される。
【０１０６】
メール処理手段１３１は、第１の実施形態と同様に、メール分離手段１３０１、画像変換手段１３０２、テキスト抽出手段１３０３、データ登録手段１３０４、添付ファイル情報付加手段１３０５、メール送信手段１３０６を備えているが、更に、文字メタファイル抽出手段１３１３を少なくとも含んで構成されている。メール分離手段１３０１、画像変換手段１３０２、テキスト抽出手段１３０３、添付ファイル情報付加手段１３０５、メール送信手段１３０６のそれぞれは、図１にて示した第１の実施形態におけるメール分離手段１１０１、画像変換手段１１０２、テキスト抽出手段１１０３、添付ファイル情報付加手段１１０５、メール送信手段１１０６と同一のものであり、ここでの重複する説明は省略する。
【０１０７】
データ登録手段１３０４は、画像変換手段１３０２によってページ毎に変換した画像と、テキスト抽出手段１３０３によって抽出したテキストと、後述する文字メタファイル抽出手段１３１３によって抽出された文字メタファイルとを、サーバ１３３に登録するものである。
【０１０８】
文字メタファイル抽出手段１３１３は、テキスト抽出手段１３０３がファイルからテキストを抽出する際、文字毎の座標やサイズ、フォント種別、文字の位置などの全てまたはその組み合わせの一部を抽出し、文字メタファイルとして保存するものである。ここで、フォント種別には、例えば、フォントの書体、デザイン、色、太さ等がある。また、文字の位置とは、何行目の何番目の文字か、という情報以外に、ページ毎に画像化されたその画像上の座標を含む。
【０１０９】
さらに、画像上の文字座標は、例えば、図２３に示すように、画像左上コーナを原点として、文字の外接矩形の左上コーナの縦横座標と、文字の外接矩形の右下コーナとの縦横座標で示す。座標は例えば画素を単位として示す。図２３は、画像上の文字座標の付与方法の一例を示す模式図であり、例えば、文字‘Ａ’の座標は、文字の左上コーナ（ｘ１，ｙ１）と右下コーナ（ｘ２，ｙ２）とを用いて、
（ｘ１，ｙ１）−（ｘ２，ｙ２）
と表すことができる。
【０１１０】
なお、座標系の付与方法については、前述した以外に、左下を原点とする方法、画像中央を原点とする方法など、数多くの方法がある。同様に、文字の座標の示し方についても、文字の外接矩形の左上コーナと外接矩形のサイズの組み合わせや、外接矩形の中心座標と外接矩形のサイズの組み合わせなど、数多くの方法がある。
【０１１１】
また、文字メタファイルのファイル形式としては、例えば、ＸＭＬ形式やＨＴＭＬ形式を用いる。なお、テキストを別ファイルとせず、文字メタファイルに含めても良い。
【０１１２】
文字メタファイルには、数多くの形式が存在しているが、単純な例を示すと、例えば、図２４に示すように、文字毎に座標を付加して表現する形式がある。この場合、座標情報を削除すればテキストが得られるので、文字メタファイルにはテキストが含まれているとみなすことができる。ここに、図２４は、文字メタファイルの表現形式の一例を示す模式図であり、抽出された文字列の文字ごとに、左上Ｘ，Ｙ座標、右下Ｘ，Ｙ座標を付加して表現する例を示している。
【０１１３】
一方、図２５に示すように、例えば、文字メタファイルは、文字そのものではなく、ページ毎の文字の順番で示すことができ、この場合、文字メタファイルには、テキストは含まれていない。ここに、図２５は、文字メタファイルの表現形式の異なる例を示す模式図であり、抽出された文字列の文字そのものではなく、文字の出現順番に対応して、左上Ｘ，Ｙ座標、右下Ｘ，Ｙ座標を付加して表現する例を示している。
【０１１４】
なお、文字メタファイルに含まれる情報である、文字毎の座標やサイズ、フォント種別については、例えば、擬似プリンタドライバ形式を用いて抽出する。擬似プリンタドライバ形式では抽出できない情報や、対応できないアプリケーションについては、第１の実施形態の場合と同様に、そのファイルフォーマットを解釈し、情報抽出が可能な公開されている別のソフトウェアを擬似プリンタドライバ形式と併用しても良い。あるいは、当該ファイルフォーマットを解釈し、情報の抽出が可能な独自に作成した専用ソフトウェアと、前記擬似プリンタドライバ形式とを併用しても良い。
【０１１５】
サーバ１３３は、メール処理手段１３１によって登録された画像とテキストと文字メタファイルとを、アクセス要求があった携帯情報端末１３２に対して、ネットワーク１３４を介して送信するデータ送信手段１３０７を少なくとも含んで構成されている。
【０１１６】
携帯情報端末１３２は、メール受信手段１３０８、複合データダウンロード手段１３０９、複合データ表示手段１３１０、スクロール手段１３１１、ページ切替手段１３１２を少なくとも含んで構成されている。メール受信手段１３０８、スクロール手段１３１１、ページ切替手段１３１２は、第１の実施形態のメール受信手段１１０８、スクロール手段１１１１、ページ切替手段１１１２と全く同等であり、ここでの重複する説明は省略する。
【０１１７】
複合データダウンロード手段１３０９は、ユーザがユーザ操作部１３６により指定した文書ファイル（画像及びテキスト）のダウンロード指示に従って、ネットワーク１３４を介して、サーバ１３３にアクセスして、サーバ１３３から画像及びテキストをダウンロードする際に、当該画像及びテキストと共にメール処理手段１３１によって登録されている前記文字メタファイルも同時にダウンロードするものである。
【０１１８】
また、複合データ表示手段１３１０は、ユーザ操作部１３６の操作に応じて、サーバ１３３からダウンロードした画像とテキストとを同時に画面表示するか、または、切り替えて画面表示すると共に、テキストを表示する際に、一緒にダウンロードした文字メタファイルに記述されている、文字の位置、サイズ、フォント種別などに従って、文字を配置するものである。なお、当該文字メタファイルで指定されたフォント種別が、携帯情報端末１３２に用意されていない場合は、ユーザが前以て定めたか、あるいは、当該携帯情報端末１３２の製造時に前以て定められた設定に従って、代替フォントを用いることとしても良い。
【０１１９】
（第４の実施形態）
次に、第４の実施形態の構成について、図４を用いて説明する。本実施形態は、第２の実施形態と第３の実施形態とを複合した形態であり、本実施形態においては、文書ファイルの画像イメージとテキストと文字メタファイルとを登録したサーバから、表示したい文書ファイルの情報を検索してダウンロードしやすくするために、登録された画像とテキストと文字メタファイルとの一覧を、携帯情報端末に表示し、検索指示をして携帯情報端末に表示した文書ファイルの画像イメージ中から抽出したテキストを画像上の文書の配置と似た配置で表示することにより、画像上の文書すなわち文書ファイル中の文字列とテキストとの対応をより確実に得ることが可能となる例を示している。
【０１２０】
図４は、本発明による文書ファイル閲覧システムのブロック構成に関する第４の実施形態を示すブロック図である。図４に示す第４の実施形態においては、文書ファイル閲覧システム１４０は、第２の実施形態と同様に、パーソナルコンピュータ１４５から受信した文書ファイルに関するデータを生成する文書ファイル処理手段１４１と、文書ファイルを閲覧する携帯情報端末１４２と、文書ファイルに関するデータを登録するサーバ１４３と、これらを相互に接続するネットワーク１４４と、を少なくとも含んで構成されている。サーバ１４３は、例えばＷｅｂサーバとして構成する。
【０１２１】
文書ファイル処理手段１４１は、画像変換手段１４０２、テキスト抽出手段１４０３、データ登録手段１４０４、アクセス情報生成手段１４０５、一覧生成手段１４０６、文字メタファイル抽出手段１４１３を少なくとも含んで構成されている。画像変換手段１４０２、テキスト抽出手段１４０３、アクセス情報生成手段１４０５、一覧生成手段１４０６のそれぞれは、図２にて示した第２の実施形態における画像変換手段１２０２、テキスト抽出手段１２０３、アクセス情報生成手段１２０５、一覧生成手段１２０６と同一のものであり、ここでの重複する説明は省略する。また、データ登録手段１４０４、文字メタファイル抽出手段１４１３のそれぞれは、図３にて示した第３の実施形態におけるデータ登録手段１３０４、文字メタファイル抽出手段１３１３と同一のものであり、ここでの重複する説明は省略する。
【０１２２】
サーバ１４３は、文書ファイル処理手段１４１によって登録された画像とテキストと文字メタファイルと一覧情報とを、アクセス要求があった携帯情報端末１４２に対して、ネットワーク１４４を介して送信するデータ送信手段１４０７を少なくとも含んで構成されている。
【０１２３】
携帯情報端末１４２は、一覧表示手段１４０８、複合データダウンロード手段１４０９、複合データ表示手段１４１０、スクロール手段１４１１、ページ切替手段１４１２を少なくとも含んで構成されている。一覧表示手段１４０８、スクロール手段１４１１、ページ切替手段１４１２のそれぞれは、第２の実施形態の一覧表示手段１２０８、スクロール手段１２１１、ページ切替手段１２１２と全く同等であり、ここでの重複する説明は省略する。また、複合データ表示手段１４１０は、図３にて示した第３の実施形態における複合データ表示手段１３１０と同一のものであり、ここでの重複する説明は省略する。
【０１２４】
また、複合データダウンロード手段１４０９は、一覧表示手段１４０８により一覧表示された文書ファイルの中から、ユーザがユーザ操作部１４６により指定した文書ファイルのダウンロード指示に従って、サーバ１４３にアクセスして、サーバ１４３から、対応した文書ファイルに関する、変換された画像と抽出されたテキストと文字メタファイルとをダウンロードするものである。なお、当該文字メタファイルで指定されたフォント種別が、携帯情報端末１４２に用意されていない場合は、第３の実施形態と同様、ユーザが前以て定めたか、あるいは、当該携帯情報端末１４２の製造時に前以て定められた設定に従って、代替フォントを用いることとしても良い。
【０１２５】
（第５の実施形態）
次に、第５の実施形態の構成について、図５を用いて説明する。本実施形態は、図３に示した第３の実施形態のうち、携帯情報端末１３２のみが異なっており、携帯情報端末１５２として、同期スクロール手段１５１４を更に備えることによって、複合データ表示手段１３１０が表示する画像上の文章とそれに対応するテキストとが同時にスクロールされるようにし、画像上の文章とテキストとの対応をより確実に得ることが可能となる例を示している。
【０１２６】
図５は、本発明による文書ファイル閲覧システムのブロック構成に関する第５の実施形態を示すブロック図である。図５に示す第５の実施形態においては、第３の実施形態と同様、文書ファイル閲覧システム１５０は、パーソナルコンピュータ１３５から受信した文書ファイルに関するデータを生成するメール処理手段１３１と、文書ファイルを閲覧する携帯情報端末１５２と、文書ファイルに関するデータを登録するサーバ１３３と、これらを相互に接続するネットワーク１５４と、を少なくとも含んで構成されている。
【０１２７】
サーバ１３３は、メール処理手段１３１によって登録された画像とテキストと文字メタファイルとを、アクセス要求があった携帯情報端末１３２に対して、ネットワーク１５４を介して送信するデータ送信手段１３０７を少なくとも含んで構成されている。
【０１２８】
携帯情報端末１５２は、メール受信手段１５０８、複合データダウンロード手段１５０９、複合データ表示手段１５１０、スクロール手段１５１１、ページ切替手段１５１２、同期スクロール手段１５１４を少なくとも含んで構成されている。メール受信手段１５０８、複合データダウンロード手段１５０９、複合データ表示手段１５１０、スクロール手段１５１１、ページ切替手段１５１２のそれぞれは、図３にて示した第３の実施形態におけるメール受信手段１３０８、複合データダウンロード手段１３０９、複合データ表示手段１３１０、スクロール手段１３１１、ページ切替手段１３１２と全く同等であり、ここでの重複する説明は省略する。
【０１２９】
同期スクロール手段１５１４は、テキストと画像とを同時に表示する際に、複合データダウンロード手段１５０９がネットワーク１５４を介してサーバ１３３からダウンロードした文字メタファイルに基づいて、画像とそれに対応するテキストとが、常に画面上に同時に表示されるように、複合データ表示手段１５１０及びスクロール手段１５１１と連携して、テキストと画像とを同期してスクロールするものである。
【０１３０】
同期したスクロールとは、例えば、図２６で示すように、携帯情報端末１５２上のテキスト表示領域内において、ユーザがスクロールバーをスライドしたり、カーソルキーを特定方向に連続して移動したりすることなどにより、テキストをスクロールする際、画像表示領域内の、対応するテキスト部分が、常に、テキスト表示領域内のテキストと同じような位置にくるように、自動的にスクロールすることである。図２６は、テキスト表示領域内のテキストと画像表示領域内のテキストとを同期スクロールさせる動作例を示す模式図であり、テキスト表示領域内のテキスト（文字）をスクロールすると、テキスト表示領域内のテキスト（文字）に対応する文字が表示されるように、画像表示領域も同時にスクロールする場合を例示している。
【０１３１】
同期したスクロールは、例えば、テキスト表示領域内に表示されている文字に対応する画像表示領域内の文字の座標を文字メタファイルから読み取ることによって実現することができる。これとは反対に、ユーザが画像表示領域内の画像をスクロールさせた場合には、画像表示領域内のテキストと対応する、テキスト表示領域内のテキストが、常に表示されるように、テキスト表示領域内のテキストをスクロールさせることもできる。このようにして、画像とテキストとを同期させてスクロールすることにより、文書内容をより正確に把握することができるようになる。
【０１３２】
また、同期したスクロールについては、例えば、ユーザが無効にすることができる。同期スクロールを無効にした場合は、、第１乃至第４の実施形態の場合と同様に、画像とテキストとをそれぞれ独立させてスクロールすることができるようになる。
【０１３３】
本実施形態は、メール処理手段１３１と携帯情報端末１３２とから構成される第３の実施形態を基にして、同期スクロール手段１５１４を追加して備えた文書ファイル閲覧システム１５０であるが、メール受信手段１５０８を一覧表示手段１４０８に入れ替えれば、文書ファイル処理手段と携帯情報端末とから構成される文書閲覧システムとすることができる。すなわち、文書ファイル処理手段１４１と携帯情報端末１４２とから構成される第４の実施形態を基にして、同期スクロール手段１５１４を追加して、テキストと対応する画像とを同期スクロールする文書ファイル閲覧システムとすることもできる。
【０１３４】
（第６の実施形態）
次に、第６の実施形態の構成について、図６を用いて説明する。本実施形態は、図５に示した第５の実施形態のうち、携帯情報端末１５２のみが異なっており、携帯情報端末１６２として、指定範囲識別手段１６１５、テキストマーク手段１６１６を更に備えることによって、ユーザが画像上の指定した範囲の文章をより確実に判読できるようにする例を示している。
【０１３５】
図６は、本発明による文書ファイル閲覧システムのブロック構成に関する第６の実施形態を示すブロック図である。図６に示す第６の実施形態においては、第５の実施形態と同様、文書ファイル閲覧システム１６０は、パーソナルコンピュータ１３５から受信した文書ファイルに関するデータを生成するメール処理手段１３１と、文書ファイルを閲覧する携帯情報端末１６２と、文書ファイルに関するデータを登録するサーバ１３３と、これらを相互に接続するネットワーク１６４と、を少なくとも含んで構成されている。
【０１３６】
サーバ１３３は、メール処理手段１３１によって登録された画像とテキストと文字メタファイルとを、アクセス要求があった携帯情報端末１６２に対して、ネットワーク１６４を介して送信するデータ送信手段１３０７を少なくとも含んで構成されている。
【０１３７】
携帯情報端末１６２は、メール受信手段１６０８、複合データダウンロード手段１６０９、複合データ表示手段１６１０、スクロール手段１６１１、ページ切替手段１６１２、同期スクロール手段１６１４、指定範囲識別手段１６１５、テキストマーク手段１６１６を少なくとも含んで構成されている。メール受信手段１６０８、複合データダウンロード手段１６０９、複合データ表示手段１６１０、スクロール手段１６１１、ページ切替手段１６１２、同期スクロール手段１６１４のそれぞれは、図５にて示した第５の実施形態におけるメール受信手段１５０８、複合データダウンロード手段１５０９、複合データ表示手段１５１０、スクロール手段１５１１、ページ切替手段１５１２、同期スクロール手段１５１４と全く同等であり、ここでの重複する説明は省略する。
【０１３８】
指定範囲識別手段１６１５は、表示中のテキスト表示領域の内、ユーザがカーソルキーやポインティングデバイスや、タッチペンなどによるユーザ操作部１６６からの操作入力に従って、テキスト表示領域内のテキストを指定した部分を識別するものである。テキストマーク手段１６１６は、複合データダウンロード手段１６０９がダウンロードした文字メタファイルに基づいて、複合データ表示手段１６１０と連携して、指定範囲識別手段１６１５によってテキスト表示領域内のテキストの指定した部分について、反転表示や枠で囲む表示などを実施し、同時に、対応する画像表示領域内のテキスト表示位置においても、反転表示や枠で囲む表示などを実施するものである。
【０１３９】
テキストマーク手段１６１６は、例えば、図２７で示すように、テキスト表示領域の任意の文字や行を、ユーザが例えばカーソルで指定すると、文字メタファイルに記述されている文字の座標情報に基づいて、画像表示領域内の対応する文字、または、その文字を含む単語、または、その文字を含む行、または、その文字を含む段落を、枠で囲んだり、色や濃淡を反転したりする。図２７は、テキスト表示領域内のテキストをマークした際に、画像表示領域内の対応するテキストもマークする動作例を示す模式図であり、テキスト表示領域の行を枠で指定した場合、画像表示領域内の対応するテキストも枠で囲まれる例を示している。
【０１４０】
なお、枠で囲むか反転表示させるかは、ユーザが指定できるようにしている。また、枠の色や枠の線の形状、太さ、反転表示時の色などについては、ユーザが自由に設定できるようにしても良い。ここで、画像とテキストとが同期スクロールしないような設定をしている場合であっても、枠で囲んだり反転表示したりできるようにしても良い。これとは反対に、表示されている画像内にあるテキストに対応する、テキスト表示領域内のテキストに対して、枠で囲んだり、反転表示させたり、フォントスタイルや太さを変えたりしても良い。
【０１４１】
このようにして、画像とテキストとで対応する部分にマークを付与することにより、文書内容をより正確に把握することができるようになる。
【０１４２】
本実施形態は、メール処理手段１３１と携帯情報端末１５２とから構成される第５の実施形態を基にして、指定範囲識別手段１６１５とテキストマーク手段１６１６とを追加して備えた文書ファイル閲覧システム１６０であるが、メール受信手段１６０８を一覧表示手段１４０８に入れ替えれば、文書ファイル処理手段と携帯情報端末とから構成される文書閲覧システムとすることができる。すなわち、文書ファイル処理手段１４１と携帯情報端末１４２とから構成される第４の実施形態を基にして、指定範囲識別手段１６１５とテキストマーク手段１６１６とを追加して、ユーザが指定したテキストを枠で囲んだり反転表示したりする文書ファイル閲覧システムとすることもできる。
【０１４３】
（第７の実施形態）
次に、第７の実施形態の構成について、図７を用いて説明する。本実施形態は、図３に示した第３の実施形態のうち、携帯情報端末１３２のみが異なっており、携帯情報端末１７２として、テキスト上書き手段１７１７を更に備えることによって、画像表示領域内のテキスト表示領域を上書きすることを可能にし、画像上の文章をより確実に判読できるようにする例を示している。
【０１４４】
図７は、本発明による文書ファイル閲覧システムのブロック構成に関する第７の実施形態を示すブロック図である。図７に示す第７の実施形態においては、第３の実施形態と同様、文書ファイル閲覧システム１７０は、パーソナルコンピュータ１３５から受信した文書ファイルに関するデータを生成するメール処理手段１３１と、文書ファイルを閲覧する携帯情報端末１７２と、文書ファイルに関するデータを登録するサーバ１３３と、これらを相互に接続するネットワーク１７４と、を少なくとも含んで構成されている。
【０１４５】
サーバ１３３は、メール処理手段１３１によって登録された画像とテキストと文字メタファイルとを、アクセス要求があった携帯情報端末１７２に対して、ネットワーク１７４を介して送信するデータ送信手段１３０７を少なくとも含んで構成されている。
【０１４６】
携帯情報端末１７２は、メール受信手段１７０８、複合データダウンロード手段１７０９、複合データ表示手段１７１０、スクロール手段１７１１、ページ切替手段１７１２、テキスト上書き手段１７１７を少なくとも含んで構成されている。メール受信手段１７０８、複合データダウンロード手段１７０９、複合データ表示手段１７１０、スクロール手段１７１１、ページ切替手段１７１２のそれぞれは、図３にて示した第３の実施形態におけるメール受信手段１３０８、複合データダウンロード手段１３０９、複合データ表示手段１３１０、スクロール手段１３１１、ページ切替手段１３１２と全く同等であり、ここでの重複する説明は省略する。
【０１４７】
テキスト上書き手段１７１７は、複合データダウンロード手段１７０９がダウンロードした文字メタファイルに基づいて、複合データ表示手段１７１０と連携して、画像表示領域内のテキスト表示領域を削除し、代わりに、当該文字メタファイルに基づいて、対応するテキストについて、よりサイズが大きいといった、視認性の高いフォントの文字を画像表示領域内のテキスト表示領域に上書き表示するものである。ここで、画像表示領域内のテキスト表示領域については、文字メタファイル内の文字の座標から判別することができる。また、テキスト表示領域の削除方法としては、例えば、単純にテキスト部分を背景と同じ色で塗りつぶす方法がある。
【０１４８】
なお、視認性の高いフォントとは、例えば、太いフォントや、サイズの大きいフォント、ゴシックなどの見やすいデザインのフォントなどを指している。あるいは、色を例えば赤くしても良い。どのようなフォントで代替するかは、ユーザが前以て指定したり、携帯情報端末１７２の製造時に前以て指定しておいても良い。
【０１４９】
本実施形態は、メール処理手段１３１と携帯情報端末１３２とから構成される第３の実施形態を基にして、テキスト上書き手段１７１７を追加して備えた文書ファイル閲覧システム１７０であるが、メール受信手段１７０８を一覧表示手段１４０８に入れ替えれば、文書ファイル処理手段と携帯情報端末とから構成される文書閲覧システムとすることができる。すなわち、文書ファイル処理手段１４１と携帯情報端末１４２とから構成される第４の実施形態を基にして、テキスト上書き手段１７１７を追加して、画像中のテキストを視認性の高いフォントに置き換える文書ファイル閲覧システムとすることもできる。
【０１５０】
また、第５、第６の実施形態に対して、テキスト上書き手段１７１７を追加することにより、同様に、画像中のテキストを、視認性の高いフォントに置き換える新たな実施形態を構成することもできる。
【０１５１】
（第８の実施形態）
次に、第８の実施形態の構成について、図８を用いて説明する。本実施形態は、図３に示した第３の実施形態のうち、携帯情報端末１３２のみが異なっており、携帯情報端末１８２として、指定範囲識別手段１８１５、テキスト上書き手段１８１７を更に備えることによって、画像表示領域内のユーザが指定した範囲のテキストを上書きすることを可能にし、画像上の文章をより確実に判読できるようにする例を示している。
【０１５２】
図８は、本発明による文書ファイル閲覧システムのブロック構成に関する第８の実施形態を示すブロック図である。図８に示す第８の実施形態においては、第３の実施形態と同様、文書ファイル閲覧システム１８０は、パーソナルコンピュータ１３５から受信した文書ファイルに関するデータを生成するメール処理手段１３１と、文書ファイルを閲覧する携帯情報端末１８２と、文書ファイルに関するデータを登録するサーバ１３３と、これらを相互に接続するネットワーク１８４と、を少なくとも含んで構成されている。
【０１５３】
サーバ１３３は、メール処理手段１３１によって登録された画像とテキストと文字メタファイルとを、アクセス要求があった携帯情報端末１８２に対して、ネットワーク１８４を介して送信するデータ送信手段１３０７を少なくとも含んで構成されている。
【０１５４】
携帯情報端末１８２は、メール受信手段１８０８、複合データダウンロード手段１８０９、複合データ表示手段１８１０、スクロール手段１８１１、ページ切替手段１８１２、指定範囲識別手段１８１５、テキスト上書き手段１８１７を少なくとも含んで構成されている。メール受信手段１８０８、複合データダウンロード手段１８０９、複合データ表示手段１８１０、スクロール手段１８１１、ページ切替手段１８１２のそれぞれは、図３にて示した第３の実施形態におけるメール受信手段１３０８、複合データダウンロード手段１３０９、複合データ表示手段１３１０、スクロール手段１３１１、ページ切替手段１３１２と全く同等であり、ここでの重複する説明は省略する。
【０１５５】
指定範囲識別手段１８１５は、図６にて示した第６の実施形態における指定範囲識別手段１６１５と同等であり、表示中の画像表示領域内のテキスト表示領域の内、ユーザがカーソルキーやポインティングデバイスや、タッチペンなどによるユーザ操作部１８６からの操作入力に従って、画像表示領域内のテキスト表示領域にあるテキストを指定した部分を識別するものである。
【０１５６】
テキスト上書き手段１８１７は、図７にて示した第７の実施形態におけるテキスト上書き手段１７１７とほぼ同等であり、複合データダウンロード手段１８０９がダウンロードした文字メタファイルに基づいて、複合データ表示手段１８１０と連携して、指定範囲識別手段１８１５によってユーザが指定した範囲の画像表示領域内のテキストを削除し、代わりに、当該文字メタファイルに基づいて、対応するテキスト部分について、よりサイズが大きいといった、視認性の高いフォントの文字を画像表示領域内の指定範囲に上書き表示するものである。
【０１５７】
視認性の高いフォントへの変更方法については、第７の実施形態と全く同様である。ただし、第７の実施形態の場合、画像表示領域内の全てのテキストを視認性の高いフォントへ変更するものであったが、本実施形態の場合は、ユーザが指定した部分のテキストのみを、視認性の高いフォントへ変更するものである。
【０１５８】
本実施形態は、メール処理手段１３１と携帯情報端末１３２とから構成される第３の実施形態を基にして、指定範囲識別手段１８１５とテキスト上書き手段１８１７とを追加して備えた文書ファイル閲覧システム１８０であるが、メール受信手段１８０８を一覧表示手段１４０８に入れ替えれば、文書ファイル処理手段と携帯情報端末とから構成される文書閲覧システムとすることができる。すなわち、文書ファイル処理手段１４１と携帯情報端末１４２とから構成される第４の実施形態を基にして、指定範囲識別手段１８１５とテキスト上書き手段１８１７とを追加して、画像中のテキストのうち指定した範囲を視認性の高いフォントに置き換える文書ファイル閲覧システムとすることもできる。
【０１５９】
また、第５、第６の実施形態に対して、指定範囲識別手段１８１５とテキスト上書き手段１８１７とを追加することにより、同様に、画像中のテキストのうち指定した範囲を、視認性の高いフォントに置き換える新たな実施形態を構成することもできる。
【０１６０】
（第９の実施形態）
次に、第９の実施形態の構成について、図９を用いて説明する。本実施形態は、図３に示した第３の実施形態のうち、メール処理手段１３１のみが異なっており、メール処理手段１９１として、データ制限保持手段１９１８、画像サイズ調整手段１９１９、テキスト圧縮手段１９２０、ページ数調整手段１９２１、データ種別選択手段１９２２を更に備えることによって、ユーザが文書ファイルの中身をより多く把握することを可能にする例を示している。
【０１６１】
図９は、本発明による文書ファイル閲覧システムのブロック構成に関する第９の実施形態を示すブロック図である。図９に示す第９の実施形態においては、第３の実施形態と同様、文書ファイル閲覧システム１９０は、パーソナルコンピュータ１９５から受信した文書ファイルに関するデータを生成するメール処理手段１９１と、文書ファイルを閲覧する携帯情報端末１９２と、文書ファイルに関するデータを登録するサーバ１９３と、これらを相互に接続するネットワーク１９４と、を少なくとも含んで構成されている。サーバ１９３は、例えばＷｅｂサーバとして構成する。
【０１６２】
メール処理手段１９１とサーバ１９３とは、第３の実施形態と同様、例えば、パーソナルコンピュータやワークステーションなどから構成される。また、メール処理手段１９１とサーバ１９３とは、ネットワーク１９４を介して互いに接続されていても良いし、同一コンピュータシステム内で直接通信可能なように構成しても良い。図９は、直接通信する場合を例示している。
【０１６３】
一方、携帯情報端末１９２は、第３の実施形態と同様、例えば、携帯電話やＰＤＡ（Ｐｅｒｓｏｎａｌ  Ｄｉｇｉｔａｌ  Ａｓｓｉｓｔａｎｔｓ）、ノートＰＣなどから構成され、第３の実施形態の図３に示す携帯情報端末１３２と同一のブロックからなっている。携帯情報端末１９２は、メール処理手段１９１やサーバ１９３とは、無線あるいは有線などから構成されるネットワーク１９４を介して接続される。
【０１６４】
メール処理手段１９１は、メール分離手段１９０１、画像変換手段１９０２、テキスト抽出手段１９０３、データ登録手段１９０４、添付ファイル情報付加手段１９０５、メール送信手段１９０６、文字メタファイル抽出手段１９１３、データ制限保持手段１９１８、画像サイズ調整手段１９１９、テキスト圧縮手段１９２０、ページ数調整手段１９２１、データ種別選択手段１９２２を少なくとも含んで構成されている。
【０１６５】
メール分離手段１９０１、画像変換手段１９０２、テキスト抽出手段１９０３、データ登録手段１９０４、添付ファイル情報付加手段１９０５、メール送信手段１９０６、文字メタファイル抽出手段１９１３のそれぞれは、図３にて示した第３の実施形態におけるメール分離手段１３０１、画像変換手段１３０２、テキスト抽出手段１３０３、データ登録手段１３０４、添付ファイル情報付加手段１３０５、メール送信手段１３０６、文字メタファイル抽出手段１３１３と全く同等であり、ここでの重複する説明は省略する。
【０１６６】
データ制限保持手段１９１８は、あらかじめ設定した、ファイルサイズ、画像サイズ、ページ数といったダウンロードするデータについての制限を、データ制限として保持するものである。画像サイズ調整手段１９１９は、データ制限保持手段１９１８に保持されているデータ制限に収まるように、画像圧縮のアルゴリズムや、色数、画素サイズを変更するように、画像変換手段１９０２に対して指示するものである。
【０１６７】
データ制限保持手段１９１８に保持されるデータ制限については、例えば、ＣＳＶ形式やＸＭＬ形式のファイルとして保存する。ここで、データ制限内のファイルサイズについては、例えば、バイト単位で記述する。画像サイズについては、例えば、画像縦横それぞれの画素数で記述する。この他、画像の色数や、透過画像を示すビットの有無を、データ制限の一つとしても良い。これらのデータ制限については、変換する文書ファイル全体に適用しても良いし、ページ単位で適用することにしても良い。
【０１６８】
また、テキスト圧縮手段１９２０は、データ制限保持手段１９１８に保持されているデータ制限に収まるように、テキスト抽出手段１９０３によって抽出されたテキストや、文字メタファイル抽出手段１９１３によって抽出された文字メタファイルを圧縮して、データ登録手段１９０４に引き渡すものである。画像圧縮のアルゴリズムについては、ＪＰＥＧ、ＪＰＥＧ２０００、ＧＩＦ、ＰＮＧなど数多くの方法が提案されており、それらを適用することができる。
【０１６９】
また、色数を減らすことによっても、画像サイズを小さくすることができる。一方、文字メタファイルの圧縮方法については、ランレングス法など、一般的なデータ圧縮法として提案されている数多くの手法を適用することができる。
【０１７０】
ページ数調整手段１９２１は、データ制限保持手段１９１８に保持されているデータ制限に収まるようにページ数を増減することを画像変換手段１９０２に指示するものである。ページ数の調整方法については、例えば、全ページを画像に変換し、全ページからテキストや文字メタファイルを抽出した後、ファイルサイズを算出し、その合計が、データ制限保持手段１９１８に保持されているデータ制限に収まるまで、順に終わりの方のページからデータを削除する方法がある。
【０１７１】
また、１ページごとに順次ファイルサイズを算出し、その合計値が、データ制限保持手段１９１８に保持されているデータ制限を越えた段階で、画像変換手段１９０２による変換を停止し、変換した最後のページをさらに削除する方法もある。特定の画像フォーマット変換手法では、出力後のファイルサイズを指定できるものもあるが、正確に一致することは少ない。ただし、ある程度の目安にはなるので、変換時に変換後のサイズを一旦指定して、変換後に、データ制限保持手段１９１８に保持されているデータ制限に収まるように、ページ数を微調整する方法もある。
【０１７２】
また、データ種別選択手段１９２２は、データ制限保持手段１９１８に保持されているデータ制限に収まるように、画像、テキスト、文字メタファイルから、ダウンロードすべきデータの組み合わせを選択して、選択したデータだけをデータ登録手段１９０４に対して引き渡すものである。データ種別選択手段１９２２では、例えば、画像のみ、あるいは、テキストのみ、文字メタファイルのみ、という選択を行うものであっても良い。
【０１７３】
本実施形態は、メール処理手段１３１と携帯情報端末１３２とから構成される第３の実施形態を基にして、データ制限保持手段１９１８、画像サイズ調整手段１９１９、テキスト圧縮手段１９２０、ページ数調整手段１９２１、データ種別選択手段１９２２を追加して備えた文書ファイル閲覧システム１９０であるが、第１、第２、第４〜第８の実施形態のいずれかに対して、データ制限保持手段１９１８、画像サイズ調整手段１９１９、テキスト圧縮手段１９２０、ページ数調整手段１９２１、データ種別選択手段１９２２を追加して、本実施形態と同様、あらかじめ設定したデータ制限に収まるようにデータを削減する、新たな実施形態の文書閲覧システムを構成することができる。
【０１７４】
すなわち、本実施形態は、メール処理手段１３１と携帯情報端末１３２とから構成される図３に示す第３の実施形態を基にした文書ファイル閲覧システム１９０であるが、例えば、添付ファイル情報付加手段１９０５とメール送信手段１９０６とをアクセス情報生成手段１４０５と一覧生成手段１４０６とに入れ替えれば、文書ファイル処理手段１４１と携帯情報端末１４２とから構成される図４に示す第４の実施形態を基にした、文書ファイル処理手段と携帯情報端末とから構成され、あらかじめ設定したデータ制限に収まるようにデータを削減する、新たな文書ファイル閲覧システムとすることもできる。
【０１７５】
（第１０の実施形態）
次に、第１０の実施形態の構成について、図１０を用いて説明する。本実施形態は、図３に示した第３の実施形態のうち、メール処理手段１３１と携帯情報端末１３２とが異なっており、メール処理手段２０１として、データ制限保持手段２０１８、画像サイズ調整手段２０１９、テキスト圧縮手段２０２０、ページ数調整手段２０２１、データ種別選択手段２０２２、データ制限受信手段２０２３を、また、携帯情報端末２０２として、データ制限作成手段２０２４、データ制限送信手段２０２５を更に備えることによって、ユーザが携帯情報端末２０２から必要なデータサイズを自由に指定することができ、かつ、ユーザが文書ファイルの中身をより多く把握することを可能とする例を示している。
【０１７６】
図１０は、本発明による文書ファイル閲覧システムのブロック構成に関する第１０の実施形態を示すブロック図である。図１０に示す第１０の実施形態においては、第３の実施形態と同様、文書ファイル閲覧システム２００は、パーソナルコンピュータ２０５から受信した文書ファイルに関するデータを生成するメール処理手段２０１と、文書ファイルを閲覧する携帯情報端末２０２と、文書ファイルに関するデータを登録するサーバ２０３と、これらを相互に接続するネットワーク２０４と、を少なくとも含んで構成されている。サーバ２０３は、例えばＷｅｂサーバとして構成する。
【０１７７】
メール処理手段２０１とサーバ２０３とは、第３の実施形態と同様、例えば、パーソナルコンピュータやワークステーションなどから構成される。また、メール処理手段２０１とサーバ２０３とは、ネットワーク２０４を介して互いに接続されていても良いし、同一コンピュータシステム内で直接通信可能なように構成しても良い。図１０は、直接通信する場合を例示している。
【０１７８】
一方、携帯情報端末２０２は、第３の実施形態と同様、例えば、携帯電話やＰＤＡ（Ｐｅｒｓｏｎａｌ  Ｄｉｇｉｔａｌ  Ａｓｓｉｓｔａｎｔｓ）、ノートＰＣなどから構成される。携帯情報端末２０２は、メール処理手段２０１やサーバ２０３とは、無線あるいは有線などから構成されるネットワーク２０４を介して接続される。
【０１７９】
メール処理手段２０１は、メール分離手段２００１、画像変換手段２００２、テキスト抽出手段２００３、データ登録手段２００４、添付ファイル情報付加手段２００５、メール送信手段２００６、文字メタファイル抽出手段２０１３、データ制限保持手段２０１８、画像サイズ調整手段２０１９、テキスト圧縮手段２０２０、ページ数調整手段２０２１、データ種別選択手段２０２２、データ制限受信手段２０２３を少なくとも含んで構成されている。
【０１８０】
メール分離手段２００１、画像変換手段２００２、テキスト抽出手段２００３、データ登録手段２００４、添付ファイル情報付加手段２００５、メール送信手段２００６、文字メタファイル抽出手段２０１３のそれぞれは、図３にて示した第３の実施形態におけるメール分離手段１３０１、画像変換手段１３０２、テキスト抽出手段１３０３、データ登録手段１３０４、添付ファイル情報付加手段１３０５、メール送信手段１３０６、文字メタファイル抽出手段１３１３と全く同等であり、また、データ制限保持手段２０１８、画像サイズ調整手段２０１９、テキスト圧縮手段２０２０、ページ数調整手段２０２１、データ種別選択手段２０２２は、図９にて示した第９の実施形態におけるデータ制限保持手段１９１８、画像サイズ調整手段１９１９、テキスト圧縮手段１９２０、ページ数調整手段１９２１、データ種別選択手段１９２２と全く同等であり、ここでの重複する説明は省略する。なお、データの削減方法については、第９の実施形態で説明した方法と同じ方法を用いても良い。
【０１８１】
データ制限受信手段２０２３は、携帯情報端末２０２からネットワーク２０４を介して受け取ったデータ制限を、データ制限保持手段２０１８に引き渡すものである。
【０１８２】
一方、携帯情報端末２０２においては、メール受信手段２００８、複合データダウンロード手段２００９、複合データ表示手段２０１０、スクロール手段２０１１、ページ切替手段２０１２、データ制限作成手段２０２４、データ制限送信手段２０２５を少なくとも含んで構成されている。メール受信手段２００８、複合データダウンロード手段２００９、複合データ表示手段２０１０、スクロール手段２０１１、ページ切替手段２０１２は、図３にて示した第３の実施形態におけるメール受信手段１３０８、複合データダウンロード手段１３０９、複合データ表示手段１３１０、スクロール手段１３１１、ページ切替手段１３１２と全く同等であり、ここでの重複する説明は省略する。
【０１８３】
データ制限作成手段２０２４は、キー入力や、ボタン選択のユーザ操作部２０６の入力操作などにより、ユーザが、メール処理手段２０１のデータ制限保持手段２０１８に保持されるべきデータ制限を作成するものである。データ制限送信手段２０２５は、データ制限作成手段２０２４にて作成されたデータ制限を、ネットワーク２０４を介してメール処理手段２０１のデータ制限受信手段２０２３に対して送信するものである。
【０１８４】
以上のような構成からなる本実施形態の文書ファイル閲覧システム２００は、データ制限作成手段２０２４とデータ制限送信手段２０２５とを携帯情報端末２０２に更に備え、データ制限受信手段２０２３をメール処理手段２０１に更に備えることによって、メール処理手段２０１のデータ制限保持手段２０１８に保持されるべきデータ制限（データサイズ）を携帯情報端末２０２のユーザが当該携帯情報端末２０２から任意の値に設定することができる点が、図９に示す第９の実施形態の場合と異なっている。
【０１８５】
本実施形態は、メール処理手段１３１と携帯情報端末１３２とから構成される第３の実施形態を基にして、メール処理手段２０１として、データ制限保持手段２０１８、画像サイズ調整手段２０１９、テキスト圧縮手段２０２０、ページ数調整手段２０２１、データ種別選択手段２０２２、データ制限受信手段２０２３を、メール処理手段１３１に追加し、また、携帯情報端末２０２として、データ制限作成手段２０２４、データ制限送信手段２０２５を携帯情報端末１３２に追加した文書ファイル閲覧システム２００であるが、第１、第２、第４〜第８の実施形態のいずれかに対して、データ制限保持手段２０１８、画像サイズ調整手段２０１９、テキスト圧縮手段２０２０、ページ数調整手段２０２１、データ種別選択手段２０２２、データ制限受信手段２０２３と、データ制限作成手段２０２４、データ制限送信手段２０２５とを追加して、本実施形態と同様、ユーザがあらかじめ任意の値に設定したデータ制限に収まるようにデータを削減する、新たな実施形態の文書閲覧システムを構成することができる。
【０１８６】
すなわち、本実施形態は、メール処理手段１３１と携帯情報端末１３２とから構成される図３に示す第３の実施形態を基にした文書ファイル閲覧システム２００であるが、例えば、添付ファイル情報付加手段２００５とメール送信手段２００６とをアクセス情報生成手段１４０５と一覧生成手段１４０６とに入れ替え、メール受信手段２００８を一覧表示手段１４０８に入れ替えれば、文書ファイル処理手段１４１と携帯情報端末１４２とから構成される図４に示す第４の実施形態を基にした、文書ファイル処理手段と携帯情報端末とから構成され、ユーザがあらかじめ任意の値に設定したデータ制限に収まるようにデータを削減する、新たな文書ファイル閲覧システムとすることもできる。
【０１８７】
（第１１の実施形態）
次に、第１１の実施形態の構成について、図１１を用いて説明する。本実施形態は、図３に示した第３の実施形態のうち、携帯情報端末１３２のみが異なっており、携帯情報端末２１２として、表示領域保持手段２１２６、表示領域設定手段２１２７を更に備えることによって、ユーザが見やすい位置（場所）としてあらかじめ設定している表示領域に画像とテキストとを表示し、ユーザに対するストレスを低減させることを可能とし、文書ファイルの中身をより効率的に把握できるようにする例を示している。
【０１８８】
図１１は、本発明による文書ファイル閲覧システムのブロック構成に関する第１１の実施形態を示すブロック図である。図１１に示す第１１の実施形態においては、第３の実施形態と同様、文書ファイル閲覧システム２１０は、パーソナルコンピュータ１３５から受信した文書ファイルに関するデータを生成するメール処理手段１３１と、文書ファイルを閲覧する携帯情報端末２１２と、文書ファイルに関するデータを登録するサーバ１３３と、これらを相互に接続するネットワーク２１４と、を少なくとも含んで構成されている。
【０１８９】
サーバ１３３は、メール処理手段１３１によって登録された画像とテキストと文字メタファイルとを、アクセス要求があった携帯情報端末２１２に対して、ネットワーク２１４を介して送信するデータ送信手段１３０７を少なくとも含んで構成されている。
【０１９０】
携帯情報端末２１２は、メール受信手段２１０８、複合データダウンロード手段２１０９、複合データ表示手段２１１０、スクロール手段２１１１、ページ切替手段２１１２、表示領域保持手段２１２６、表示領域設定手段２１２７を少なくとも含んで構成されている。メール受信手段２１０８、複合データダウンロード手段２１０９、複合データ表示手段２１１０、スクロール手段２１１１、ページ切替手段２１１２のそれぞれは、図３にて示した第３の実施形態におけるメール受信手段１３０８、複合データダウンロード手段１３０９、複合データ表示手段１３１０、スクロール手段１３１１、ページ切替手段１３１２と全く同等であり、ここでの重複する説明は省略する。
【０１９１】
表示領域保持手段２１２６は、画像とテキストとを同時に表示する際に、ユーザがあらかじめ指定した、画像表示領域とテキスト表示領域とのそれぞれのサイズ及び位置と、領域の個数とを表示領域の設定情報として保持するものである。表示領域設定手段２１２７は、表示領域保持手段２１２６にあらかじめ保持されている表示領域か、あるいは、表示の都度ユーザが指定した表示領域に従って、複合データ表示手段２１１０に対して表示すべき領域を指示するものである。
【０１９２】
表示領域の指定とは、例えば、図２２（Ａ）乃至（Ｃ）に示したような、画像表示領域とテキスト表示領域との複数の配置方法の中から、いずれかの配置方法をユーザが選択することができたり、または、任意の配置方法をユーザが指定することができる。
【０１９３】
図２２（Ａ）乃至（Ｃ）のようにあらかじめ用意された配置方法の中から選択する場合、例えば、各配置方法におけるデザイン画像（表示画面例）を表示し、ユーザがカーソルキーやマウスなどのユーザ操作部２１６の操作入力によって指定する方法を用いることができる。一方、任意の配置方法をユーザが指定する方法としては、例えば、ユーザがキー操作やマウス操作、タッチパネル操作などのユーザ操作部２１６の操作入力によって、画像表示領域やテキスト表示領域の各表示領域を移動する方法を用いることができる。
【０１９４】
本実施形態は、メール処理手段１３１と携帯情報端末１３２とから構成される第３の実施形態を基にして、携帯情報端末２１２として、表示領域保持手段２１２６、表示領域設定手段２１２７を携帯情報端末１３２に追加した文書ファイル閲覧システム２１０であるが、第１、第２、第４〜第１０の実施形態のいずれかに対して、表示領域保持手段２１２６、表示領域設定手段２１２７を追加して、本実施形態と同様、ユーザ指定に基づく、携帯情報端末上での、画像表示領域とテキスト表示領域それぞれのサイズ及び位置、その個数を変更することができる、新たな実施形態の文書閲覧システムを構成することができる。
【０１９５】
すなわち、本実施形態は、メール処理手段１３１と携帯情報端末１３２とから構成される図３に示す第３の実施形態を基にした文書ファイル閲覧システム２１０であるが、例えば、メール受信手段２１０８を一覧表示手段１４０８に入れ替えれば、文書ファイル処理手段１４１と携帯情報端末１４２とから構成される図４に示す第４の実施形態を基にした、文書ファイル処理手段と携帯情報端末とから構成され、ユーザ指定に基づく、携帯情報端末上での、画像表示領域とテキスト表示領域それぞれのサイズ及び位置、その個数を変更することができる、新たな文書ファイル閲覧システムとすることもできる。
【０１９６】
（第１２の実施形態）
次に、第１２の実施形態の構成について、図１２を用いて説明する。本実施形態は、図３に示した第３の実施形態のうち、携帯情報端末１３２のみが異なっており、携帯情報端末２２２として、画像変換手段２２２８を更に備えることによって、画像をより見やすく変換し、ユーザが画像の中身をより確実に把握することができるようにする例を示している。
【０１９７】
図１２は、本発明による文書ファイル閲覧システムのブロック構成に関する第１２の実施形態を示すブロック図である。図１２に示す第１２の実施形態においては、第３の実施形態と同様、文書ファイル閲覧システム２２０は、パーソナルコンピュータ１３５から受信した文書ファイルに関するデータを生成するメール処理手段１３１と、文書ファイルを閲覧する携帯情報端末２２２と、文書ファイルに関するデータを登録するサーバ１３３と、これらを相互に接続するネットワーク２２４と、を少なくとも含んで構成されている。
【０１９８】
サーバ１３３は、メール処理手段１３１によって登録された画像とテキストと文字メタファイルとを、アクセス要求があった携帯情報端末２２２に対して、ネットワーク２２４を介して送信するデータ送信手段１３０７を少なくとも含んで構成されている。
【０１９９】
携帯情報端末２２２は、メール受信手段２２０８、複合データダウンロード手段２２０９、複合データ表示手段２２１０、スクロール手段２２１１、ページ切替手段２２１２、画像変換手段２２２８を少なくとも含んで構成されている。メール受信手段２２０８、複合データダウンロード手段２２０９、複合データ表示手段２２１０、スクロール手段２２１１、ページ切替手段２２１２のそれぞれは、図３にて示した第３の実施形態におけるメール受信手段１３０８、複合データダウンロード手段１３０９、複合データ表示手段１３１０、スクロール手段１３１１、ページ切替手段１３１２と全く同等であり、ここでの重複する説明は省略する。
【０２００】
画像変換手段２２２８は、ユーザが見やすいように、ユーザの指示に基づいて、または、自動的に、画像を拡大、縮小、回転及び変形などを行う画像変換を実施し、その画像変換結果を複合データ表示手段２２１０に引き渡すものである。画像変換手段２２２８は、例えばアフィン変換により、画像を任意の形に変形させることができる。また、自動的な変換とは、例えば、画像が画像表示領域より小さい場合には、画像表示領域に丁度収まるように自動的に拡大したり、画像が逆さまに回転している状態になっている場合、正位になるように自動的に回転させたりするものである。ここで、画像の回転を自動的に検出するためには、例えば、文字認識や画像認識による、画像の向きの検出を行う方法を用いれば良い。
【０２０１】
本実施形態は、メール処理手段１３１と携帯情報端末１３２とから構成される第３の実施形態を基にして、携帯情報端末２２２として、画像変換手段２２２８を携帯情報端末１３２に追加した文書ファイル閲覧システム２２０であるが、第１、第２、第４〜第１１の実施形態のいずれかに対して、画像変換手段２２２８を追加して、本実施形態と同様、ユーザ指定に基づいて、あるいは、自動的に、携帯情報端末上で、画像をより見やすく変換することができる、新たな実施形態の文書閲覧システムを構成することができる。
【０２０２】
すなわち、本実施形態は、メール処理手段１３１と携帯情報端末１３２とから構成される図３に示す第３の実施形態を基にした文書ファイル閲覧システム２２０であるが、例えば、メール受信手段２２０８を一覧表示手段１４０８に入れ替えれば、文書ファイル処理手段１４１と携帯情報端末１４２とから構成される図４に示す第４の実施形態を基にした、文書ファイル処理手段と携帯情報端末とから構成され、ユーザ指定に基づいて、あるいは、自動的に、携帯情報端末上で、画像をより見やすく変換することができる、新たな文書ファイル閲覧システムとすることもできる。
【０２０３】
（第１３の実施形態）
次に、第１３の実施形態の構成について、図１３を用いて説明する。本実施形態は、図３に示した第３の実施形態のうち、携帯情報端末１３２のみが異なっており、携帯情報端末２３２として、画像処理手段２３２９を更に備えることによって、画像をより見やすくし、ユーザが画像の中身をより確実に把握できるようにする例を示している。
【０２０４】
図１３は、本発明による文書ファイル閲覧システムのブロック構成に関する第１３の実施形態を示すブロック図である。図１３に示す第１３の実施形態においては、第３の実施形態と同様、文書ファイル閲覧システム２３０は、パーソナルコンピュータ１３５から受信した文書ファイルに関するデータを生成するメール処理手段１３１と、文書ファイルを閲覧する携帯情報端末２３２と、文書ファイルに関するデータを登録するサーバ１３３と、これらを相互に接続するネットワーク２３４と、を少なくとも含んで構成されている。
【０２０５】
サーバ１３３は、メール処理手段１３１によって登録された画像とテキストと文字メタファイルとを、アクセス要求があった携帯情報端末２３２に対して、ネットワーク２３４を介して送信するデータ送信手段１３０７を少なくとも含んで構成されている。
【０２０６】
携帯情報端末２３２は、メール受信手段２３０８、複合データダウンロード手段２３０９、複合データ表示手段２３１０、スクロール手段２３１１、ページ切替手段２３１２、画像処理手段２３２９を少なくとも含んで構成されている。メール受信手段２３０８、複合データダウンロード手段２３０９、複合データ表示手段２３１０、スクロール手段２３１１、ページ切替手段２３１２のそれぞれは、図３にて示した第３の実施形態におけるメール受信手段１３０８、複合データダウンロード手段１３０９、複合データ表示手段１３１０、スクロール手段１３１１、ページ切替手段１３１２と全く同等であり、ここでの重複する説明は省略する。
【０２０７】
画像処理手段２３２９は、ユーザが見やすいように、ユーザの指示に基づいて、または、自動的に、画像の濃淡補正や、色彩補正、ボケ補正、ノイズ除去などの画像処理を実施し、その画像処理結果を複合データ表示手段２３１０に引き渡すものである。画像の濃淡補正としては、例えば、ガンマ補正や、ヒストグラム平坦化を用いる。
【０２０８】
また、色彩補正としては、例えば、彩度を強調する補正を行う。また、画像認識により、対象物を認識し、例えば、対象物が人物の顔などの場合、より自然な肌色になるように、色彩を調整する方法もある。
【０２０９】
また、ボケ補正としては、例えば、数多くの提案がなされているいずれかのエッジ強調法を用いる。また、ウィーナーフィルタを用いても良い。ノイズ除去としては、移動平均法やメディアンフィルタを初めとして数多く提案されている平滑化法を用いる。
【０２１０】
以上のような画像処理を自動的に実施する場合、前以て設定しておいたパラメータに基づいて実施するようにする。また、ユーザが指示する場合、ユーザがキー操作、マウス操作、タッチパネル操作などのユーザ操作部２３６の操作入力により、任意の画像処理用のパラメータを指定する。
【０２１１】
本実施形態は、メール処理手段１３１と携帯情報端末１３２とから構成される第３の実施形態を基にして、携帯情報端末２３２として、画像処理手段２３２９を携帯情報端末１３２に追加した文書ファイル閲覧システム２３０であるが、第１、第２、第４〜第１２の実施形態のいずれかに対して、画像処理手段２３２９を追加して、本実施形態と同様、ユーザ指定に基づいて、あるいは、自動的に、携帯情報端末上で、画像をより見やすく画像処理することができる、新たな実施形態の文書閲覧システムを構成することができる。
【０２１２】
すなわち、本実施形態は、メール処理手段１３１と携帯情報端末１３２とから構成される図３に示す第３の実施形態を基にした文書ファイル閲覧システム２３０であるが、例えば、メール受信手段２３０８を一覧表示手段１４０８に入れ替えれば、文書ファイル処理手段１４１と携帯情報端末１４２とから構成される図４に示す第４の実施形態を基にした、文書ファイル処理手段と携帯情報端末とから構成され、ユーザ指定に基づいて、あるいは、自動的に、携帯情報端末上で、画像をより見やすく画像処理することができる、新たな文書ファイル閲覧システムとすることもできる。
【０２１３】
（第１４の実施形態）
次に、第１４の実施形態の構成について、図１４を用いて説明する。本実施形態は、図３に示した第３の実施形態のうち、携帯情報端末１３２のみが異なっており、携帯情報端末２４２として、フォント調整手段２４３０を更に備えることによって、テキストのフォントをより見やすくし、ユーザがテキストの中身をより確実に把握できるようにする例を示している。
【０２１４】
図１４は、本発明による文書ファイル閲覧システムのブロック構成に関する第１４の実施形態を示すブロック図である。図１４に示す第１４の実施形態においては、第３の実施形態と同様、文書ファイル閲覧システム２４０は、パーソナルコンピュータ１３５から受信した文書ファイルに関するデータを生成するメール処理手段１３１と、文書ファイルを閲覧する携帯情報端末２４２と、文書ファイルに関するデータを登録するサーバ１３３と、これらを相互に接続するネットワーク２４４と、を少なくとも含んで構成されている。
【０２１５】
サーバ１３３は、メール処理手段１３１によって登録された画像とテキストと文字メタファイルとを、アクセス要求があった携帯情報端末２４２に対して、ネットワーク２４４を介して送信するデータ送信手段１３０７を少なくとも含んで構成されている。
【０２１６】
携帯情報端末２４２は、メール受信手段２４０８、複合データダウンロード手段２４０９、複合データ表示手段２４１０、スクロール手段２４１１、ページ切替手段２４１２、フォント調整手段２４３０を少なくとも含んで構成されている。メール受信手段２４０８、複合データダウンロード手段２４０９、複合データ表示手段２４１０、スクロール手段２４１１、ページ切替手段２４１２のそれぞれは、図３にて示した第３の実施形態におけるメール受信手段１３０８、複合データダウンロード手段１３０９、複合データ表示手段１３１０、スクロール手段１３１１、ページ切替手段１３１２と全く同等であり、ここでの重複する説明は省略する。
【０２１７】
フォント調整手段２４３０は、ユーザが見やすいように、ユーザの指示に基づいて、または、自動的に、テキスト表示領域のフォントサイズやフォント種別、書体を変更するようにフォントを調整し、その調整結果を複合データ表示手段２４１０に対して指示するものである。フォントサイズやフォント種別、書体を自動的に設定する場合は、前以て定めておいた設定のフォントに基づいてテキストを表示する。一方、ユーザが指示する場合は、ユーザがキー操作、マウス操作、タッチパネル操作などのユーザ操作部２４６の操作入力により、任意のフォントの設定を指定する。
【０２１８】
本実施形態は、メール処理手段１３１と携帯情報端末１３２とから構成される第３の実施形態を基にして、携帯情報端末２４２として、フォント調整手段２４３０を携帯情報端末１３２に追加した文書ファイル閲覧システム２４０であるが、第１、第２、第４〜第１３の実施形態のいずれかに対して、フォント調整手段２４３０を追加して、本実施形態と同様、ユーザ指定に基づいて、あるいは、自動的に、携帯情報端末上で、テキストのフォントをより見やすいフォントに変更調整することができる、新たな実施形態の文書閲覧システムを構成することができる。
【０２１９】
すなわち、本実施形態は、メール処理手段１３１と携帯情報端末１３２とから構成される図３に示す第３の実施形態を基にした文書ファイル閲覧システム２４０であるが、例えば、メール受信手段２４０８を一覧表示手段１４０８に入れ替えれば、文書ファイル処理手段１４１と携帯情報端末１４２とから構成される図４に示す第４の実施形態を基にした、文書ファイル処理手段と携帯情報端末とから構成され、ユーザ指定に基づいて、あるいは、自動的に、携帯情報端末上で、テキストのフォントをより見やすいフォントに変更調整することができる、新たな文書ファイル閲覧システムとすることもできる。
【０２２０】
（第１５の実施形態）
次に、第１５の実施形態の構成について、図１５を用いて説明する。本実施形態は、図３に示した第３の実施形態のうち、携帯情報端末１３２のみが異なっており、携帯情報端末２５２として、自動テキストスクロール手段２５３１を更に備えることによって、テキストを自動的にスクロールして、閲覧すべきテキストを素早く見ることができ、ユーザが迅速にテキストの中身を把握できるようにする例を示している。
【０２２１】
図１５は、本発明による文書ファイル閲覧システムのブロック構成に関する第１５の実施形態を示すブロック図である。図１５に示す第１５の実施形態においては、第３の実施形態と同様、文書ファイル閲覧システム２５０は、パーソナルコンピュータ１３５から受信した文書ファイルに関するデータを生成するメール処理手段１３１と、文書ファイルを閲覧する携帯情報端末２５２と、文書ファイルに関するデータを登録するサーバ１３３と、これらを相互に接続するネットワーク２５４と、を少なくとも含んで構成されている。
【０２２２】
サーバ１３３は、メール処理手段１３１によって登録された画像とテキストと文字メタファイルとを、アクセス要求があった携帯情報端末２５２に対して、ネットワーク２５４を介して送信するデータ送信手段１３０７を少なくとも含んで構成されている。
【０２２３】
携帯情報端末２５２は、メール受信手段２５０８、複合データダウンロード手段２５０９、複合データ表示手段２５１０、スクロール手段２５１１、ページ切替手段２５１２、自動テキストスクロール手段２５３１を少なくとも含んで構成されている。メール受信手段２５０８、複合データダウンロード手段２５０９、複合データ表示手段２５１０、スクロール手段２５１１、ページ切替手段２５１２のそれぞれは、図３にて示した第３の実施形態におけるメール受信手段１３０８、複合データダウンロード手段１３０９、複合データ表示手段１３１０、スクロール手段１３１１、ページ切替手段１３１２と全く同等であり、ここでの重複する説明は省略する。
【０２２４】
自動テキストスクロール手段２５３１は、ユーザが見やすいように、自動的に、テキストをスクロールするものである。自動的なテキストスクロールは、例えば、ユーザがテキスト表示するページを切り替えたタイミングで開始する。あるいは、例えば、ユーザが特定のボタンを押すと、スクロールを開始するものである。
【０２２５】
本実施形態は、メール処理手段１３１と携帯情報端末１３２とから構成される第３の実施形態を基にして、携帯情報端末２５２として、自動テキストスクロール手段２５３１を携帯情報端末１３２に追加した文書ファイル閲覧システム２５０であるが、第１、第２、第４〜第１４の実施形態のいずれかに対して、自動テキストスクロール手段２５３１を追加して、本実施形態と同様、携帯情報端末上で、テキストを自動的にスクロールすることができる、新たな実施形態の文書閲覧システムを構成することができる。
【０２２６】
すなわち、本実施形態は、メール処理手段１３１と携帯情報端末１３２とから構成される図３に示す第３の実施形態を基にした文書ファイル閲覧システム２５０であるが、例えば、メール受信手段２５０８を一覧表示手段１４０８に入れ替えれば、文書ファイル処理手段１４１と携帯情報端末１４２とから構成される図４に示す第４の実施形態を基にした、文書ファイル処理手段と携帯情報端末とから構成され、携帯情報端末上で、テキストを自動的にスクロールすることができる、新たな文書ファイル閲覧システムとすることもできる。
【０２２７】
（第１６の実施形態）
次に、第１６の実施形態の構成について、図１６を用いて説明する。本実施形態は、図３に示した第３の実施形態のうち、メール処理手段１３１と携帯情報端末１３２とが異なっており、メール処理手段２６１として、画像分割設定保持手段２６３２、画像分割手段２６３３をメール処理手段１３１に更に追加し、また、携帯情報端末２６２として、画像再構成手段２６３４を携帯情報端末１３２に追加すると共に、複合データダウンロード手段１３０９の代わりに分割複合データダウンロード手段２６０９を用いることによって、画像表示に必要なメモリを節約したメモリ搭載量の小さい携帯情報端末であっても、画像を表示することを可能にするとともに、画像ファイルとして必要な部分しか読み込まないことにより、画像ファイル読み込み時間及び表示処理時間を短縮し、高速表示を可能としている例を示している。
【０２２８】
図１６は、本発明による文書ファイル閲覧システムのブロック構成に関する第１６の実施形態を示すブロック図である。図１６に示す第１６の実施形態においては、第３の実施形態と同様、文書ファイル閲覧システム２６０は、パーソナルコンピュータ２６５から受信した文書ファイルに関するデータを生成するメール処理手段２６１と、文書ファイルを閲覧する携帯情報端末２６２と、文書ファイルに関するデータを登録するサーバ２６３と、これらを相互に接続するネットワーク２６４と、を少なくとも含んで構成されている。サーバ２６３は、例えばＷｅｂサーバとして構成する。
【０２２９】
メール処理手段２６１とサーバ２６３とは、第３の実施形態と同様、例えば、パーソナルコンピュータやワークステーションなどから構成される。また、メール処理手段２６１とサーバ２６３とは、ネットワーク２６４を介して互いに接続されていても良いし、同一コンピュータシステム内で直接通信可能なように構成しても良い。図１６は、直接通信する場合を例示している。
【０２３０】
一方、携帯情報端末２６２は、第３の実施形態と同様、例えば、携帯電話やＰＤＡ（Ｐｅｒｓｏｎａｌ  Ｄｉｇｉｔａｌ  Ａｓｓｉｓｔａｎｔｓ）、ノートＰＣなどから構成される。携帯情報端末２６２は、メール処理手段２６１やサーバ２６３とは、無線あるいは有線などから構成されるネットワーク２６４を介して接続される。
【０２３１】
メール処理手段２６１は、メール分離手段２６０１、画像変換手段２６０２、テキスト抽出手段２６０３、データ登録手段２６０４、添付ファイル情報付加手段２６０５、メール送信手段２６０６、文字メタファイル抽出手段２６１３、画像分割設定保持手段２６３２、画像分割手段２６３３を少なくとも含んで構成されている。
【０２３２】
メール分離手段２６０１、画像変換手段２６０２、テキスト抽出手段２６０３、データ登録手段２６０４、添付ファイル情報付加手段２６０５、メール送信手段２６０６、文字メタファイル抽出手段２６１３のそれぞれは、図３にて示した第３の実施形態におけるメール分離手段１３０１、画像変換手段１３０２、テキスト抽出手段１３０３、データ登録手段１３０４、添付ファイル情報付加手段１３０５、メール送信手段１３０６、文字メタファイル抽出手段１３１３と全く同等であり、ここでの重複する説明は省略する。
【０２３３】
画像分割設定保持手段２６３２は、ユーザが指定した画像サイズまたは画像分割数を、画像分割設定として保持するものである。また、画像分割手段２６３３は、画像変換手段２６０２が生成した画像を、画像分割設定保持手段２６３２に設定保持されている画像分割設定に従って分割し、分割画像としてデータ登録手段２６０４に引き渡すものである。なお、データ登録手段２６０４が、画像分割手段２６３３によって分割された、文書ファイルに関する分割画像及び分割テキストを、サーバ２６３に登録する際に、文字メタファイル抽出手段２６１３によって抽出された当該文書ファイルに関する文字メタファイルと、画像分割手段２６３３によって分割する際に用いた画像分割設定に関する情報も、同時に、サーバ２６３に登録する。
【０２３４】
画像分割設定は、例えば、図２８に示すように、画像の縦横方向に特定個数ずつの画素単位で分割するように設定する。特定の画素単位で分割した場合に端数となる領域については、その領域部分のみは、端数の画素数が示すサイズの画像となる。図２８は、画像の縦横をあらかじめ定めた画素数単位に分割する分割例を示す模式図であり、横方向４２０画素×縦方向３５０画素の画像について、横方向を１２０画素単位ごとに、縦方向を１００画素単位ごとに分割している例を示している。図２８に示すように、横方向の端数となる第４番目の領域は、１２０画素ではなく、端数の６０画素となり、一方、縦方向の端数となる第４番目の領域は、１００画素ではなく、端数の５０画素となっている。
【０２３５】
あるいは、特定の画素単位で分割する代わりに、画像の縦横方向を特定の個数に画像を分割するようにしても良い。例えば、図２９に示すように、縦方向を３分割に、横方向を４分割に、といったように分割する。これらの分割数で割り切れない画素の場合、その端数の画素分は、いずれかの分割画像に含めるようにする。図２９は、画像の縦横をあらかじめ定めた分割数に分割する分割例を示す模式図であり、横方向１０００画素×縦方向１０００画素の画像について、横方向を３分割、縦方向を４分割している例を示している。図２９に示すように、端数が生じる横方向の１０００画素の画像を３分割する場合、２つの分割画像については３３３画素であり、残りの１つの分割画像のみを３３４画素としている。
【０２３６】
サーバ２６３は、メール処理手段２６１によって登録された分割画像と分割テキストと文字メタファイルと画像分割設定とを、アクセス要求があった携帯情報端末２６２に対して、ネットワーク２６４を介して送信するデータ送信手段２６０７を少なくとも含んで構成されている。
【０２３７】
一方、携帯情報端末２６２においては、メール受信手段２６０８、分割複合データダウンロード手段２６０９、複合データ表示手段２６１０、スクロール手段２６１１、ページ切替手段２６１２、画像再構成手段２６３４を少なくとも含んで構成されている。メール受信手段２６０８、複合データ表示手段２６１０、スクロール手段２６１１、ページ切替手段２６１２は、図３にて示した第３の実施形態におけるメール受信手段１３０８、複合データ表示手段１３１０、スクロール手段１３１１、ページ切替手段１３１２と全く同等であり、ここでの重複する説明は省略する。
【０２３８】
分割複合データダウンロード手段２６０９は、ユーザがユーザ操作部２６６により指定した文書ファイル（画像及びテキスト）のダウンロード指示に従って、ネットワーク２６４を介して、サーバ２６３にアクセスして、サーバ２６３から分割画像及び分割テキストをダウンロードする際に、当該分割画像及び分割テキストと共にメール処理手段２６１によって登録されている文字メタファイル及び画像分割設定も同時にダウンロードするものである。
【０２３９】
また、画像再構成手段２６３４は、分割した画像から、表示に必要な部分のみを選択して再構成し、複合データ表示手段２６１０に引き渡すものである。すなわち、画像再構成手段２６３４は、例えば、画像表示領域での表示に必要な部分のみを用いて、表示用の画像を再構成する。例えば、図３０に示すように、画像表示領域に必要な部分は、Ａ，Ｂ，Ｃ，Ｄの４つの領域にそれぞれ含まれている一部分のみであり、他のＥ，Ｆの領域は表示しない場合は、Ｅ，Ｆの領域の画像を用いずに、これらＡ，Ｂ，Ｃ，Ｄの４つの領域の画像部分のみを用いて、画像を再構成する。Ｅ，Ｆの領域の画像のような不要な部分を用いることなく再構成するため、メモリ消費量が少なく、また、画像読み出し処理及び画像表示処理負担も少なくすることができる。図３０は、元画像を複数の領域に分割した分割画像のうち、表示に用いる領域の分割画像のみを選択する例を示す模式図である。
【０２４０】
従って、画像表示に必要なメモリを節約したメモリ搭載量の小さい携帯情報端末であっても、画像を表示することが可能である。また、画像ファイルとして必要な部分しか読み込まないことにより、画像ファイル読み込み時間及び表示処理時間を短縮し、高速表示をすることも可能としている。
【０２４１】
本実施形態は、メール処理手段１３１と携帯情報端末１３２とから構成される第３の実施形態を基にして、メール処理手段２６１として、画像分割設定保持手段２６３２、画像分割手段２６３３をメール処理手段１３１に、また、携帯情報端末２６２として、画像再構成手段２６３４を携帯情報端末１３２に追加すると共に、複合データダウンロード手段１３０９の代わりに分割複合データダウンロード手段２６０９を用いた文書ファイル閲覧システム２６０であるが、第１、第２、第４〜第１５の実施形態のいずれかに対して、画像分割設定保持手段２６３２、画像分割手段２６３３、画像再構成手段２６３４を追加すると共に、分割複合データダウンロード手段２６０９を用いることにより、本実施形態と同様、メモリ搭載量の小さい携帯情報端末であっても、画像を表示することを可能にするとともに、画像ファイルとして必要な部分しか読み込まないことにより、画像ファイル読み込み時間及び表示処理時間を短縮し、高速表示を可能とする、新たな実施形態の文書閲覧システムを構成することができる。
【０２４２】
すなわち、本実施形態は、メール処理手段１３１と携帯情報端末１３２とから構成される図３に示す第３の実施形態を基にした文書ファイル閲覧システム２６０であるが、例えば、添付ファイル情報付加手段２６０５とメール送信手段２６０６とをアクセス情報生成手段１４０５と一覧生成手段１４０６とに入れ替え、メール受信手段２６０８を一覧表示手段１４０８に入れ替えれば、文書ファイル処理手段１４１と携帯情報端末１４２とから構成される図４に示す第４の実施形態を基にした、文書ファイル処理手段と携帯情報端末とから構成され、メモリ搭載量の小さい携帯情報端末であっても、画像を表示することを可能にするとともに、画像ファイルとして必要な部分しか読み込まないことにより、画像ファイル読み込み時間及び表示処理時間を短縮し、高速表示を可能とする、新たな文書ファイル閲覧システムとすることもできる。
【０２４３】
（第１７の実施形態）
次に、第１７の実施形態の構成について、図１７を用いて説明する。本実施形態は、図３に示した第３の実施形態のうち、メール処理手段１３１と携帯情報端末１３２とが異なっており、メール処理手段２７１として、ファイルサイズ設定保持手段２７３５、ファイル分割手段２７３６をメール処理手段１３１に更に追加し、また、携帯情報端末２７２として、ファイル再構成手段２７３７を携帯情報端末１３２に追加すると共に、複合データダウンロード手段１３０９の代わりに分割複合データダウンロード手段２７０９を用いることによって、通信時に転送可能なファイルサイズが制限されている携帯情報端末であっても、ファイルサイズの大きな画像を転送することができ、また、転送エラーが起こっても、ファイルを分割していない場合よりも、再送の単位が小さく、再送の遅延が小さくなることにより、早く転送・表示することを可能としている例を示している。
【０２４４】
図１７は、本発明による文書ファイル閲覧システムのブロック構成に関する第１７の実施形態を示すブロック図である。図１７に示す第１７の実施形態においては、第３の実施形態と同様、文書ファイル閲覧システム２７０は、パーソナルコンピュータ２７５から受信した文書ファイルに関するデータを生成するメール処理手段２７１と、文書ファイルを閲覧する携帯情報端末２７２と、文書ファイルに関するデータを登録するサーバ２７３と、これらを相互に接続するネットワーク２７４と、を少なくとも含んで構成されている。サーバ２７３は、例えばＷｅｂサーバとして構成する。
【０２４５】
メール処理手段２７１とサーバ２７３とは、第３の実施形態と同様、例えば、パーソナルコンピュータやワークステーションなどから構成される。また、メール処理手段２７１とサーバ２７３とは、ネットワーク２７４を介して互いに接続されていても良いし、同一コンピュータシステム内で直接通信可能なように構成しても良い。図１７は、直接通信する場合を例示している。
【０２４６】
一方、携帯情報端末２７２は、第３の実施形態と同様、例えば、携帯電話やＰＤＡ（Ｐｅｒｓｏｎａｌ  Ｄｉｇｉｔａｌ  Ａｓｓｉｓｔａｎｔｓ）、ノートＰＣなどから構成される。携帯情報端末２７２は、メール処理手段２７１やサーバ２７３とは、無線あるいは有線などから構成されるネットワーク２７４を介して接続される。
【０２４７】
メール処理手段２７１は、メール分離手段２７０１、画像変換手段２７０２、テキスト抽出手段２７０３、データ登録手段２７０４、添付ファイル情報付加手段２７０５、メール送信手段２７０６、文字メタファイル抽出手段２７１３、ファイルサイズ設定保持手段２７３５、ファイル分割手段２７３６を少なくとも含んで構成されている。
【０２４８】
メール分離手段２７０１、画像変換手段２７０２、テキスト抽出手段２７０３、データ登録手段２７０４、添付ファイル情報付加手段２７０５、メール送信手段２７０６、文字メタファイル抽出手段２７１３のそれぞれは、図３にて示した第３の実施形態におけるメール分離手段１３０１、画像変換手段１３０２、テキスト抽出手段１３０３、データ登録手段１３０４、添付ファイル情報付加手段１３０５、メール送信手段１３０６、文字メタファイル抽出手段１３１３と全く同等であり、ここでの重複する説明は省略する。
【０２４９】
ファイルサイズ設定保持手段２７３５は、ユーザが指定したファイルサイズに対する制限をファイルサイズ設定として保持するものである。また、ファイル分割手段２７３６は、ファイルサイズ設定保持手段２７３５に設定保持されているファイルサイズ設定に従って、データ登録手段２７０４がサーバ２７３に登録する、画像、テキスト、文字メタファイルを、ファイルサイズが設定した制限内に収まるように分割し、分割の前後のファイルの対応関係を、分割対応表として、分割したデータ（画像、テキスト、文字メタファイル）と共に、データ登録手段２７０４に引き渡すものである。
【０２５０】
ファイル分割する単位としては、例えば、バイト数を指定することにより、指定したバイト数を単位として分割する。あるいは、ファイルをいくつかに等分割するようにしても良い。携帯情報端末で多く使われている一般的な無線環境においては、同時に送受信可能なデータサイズが制限されており、ファイルをあらかじめ分割することにより、制限を越えないようにすることが必要である。また、送受信エラーとなった場合の再送受信も、ファイルを分割しなければ、再度、サイズの大きい元ファイルを再送受信することになるが、ファイルが分割されている場合、エラーとなった部分のみの再送受信とすることが可能になるので、再送受信に要する時間を短縮する効果もある。
【０２５１】
サーバ２７３は、メール処理手段２７１によって登録された分割画像と分割テキストと文字メタファイルと分割対応表とを、アクセス要求があった携帯情報端末２７２に対して、ネットワーク２７４を介して送信するデータ送信手段２７０７を少なくとも含んで構成されている。
【０２５２】
一方、携帯情報端末２７２においては、メール受信手段２７０８、分割複合データダウンロード手段２７０９、複合データ表示手段２７１０、スクロール手段２７１１、ページ切替手段２７１２、ファイル再構成手段２７３７を少なくとも含んで構成されている。メール受信手段２７０８、複合データ表示手段２７１０、スクロール手段２７１１、ページ切替手段２７１２は、図３にて示した第３の実施形態におけるメール受信手段１３０８、複合データ表示手段１３１０、スクロール手段１３１１、ページ切替手段１３１２と全く同等であり、ここでの重複する説明は省略する。
【０２５３】
分割複合データダウンロード手段２７０９は、ユーザがユーザ操作部２７６により指定した文書ファイル（画像及びテキスト）のダウンロード指示に従って、ネットワーク２７４を介して、サーバ２７３にアクセスして、サーバ２７３から分割ファイルをダウンロードする際に、当該分割ファイルと共にメール処理手段２７１によって登録されている文字メタファイル及び分割対応表も同時にダウンロードするものである。
【０２５４】
ファイル再構成手段２７３７は、分割複合データダウンロード手段２７０９によってダウンロードした分割対応表に従って、分割されている分割ファイルを再構成し、複合データ表示手段２７１０に引き渡すものである。
【０２５５】
本実施形態は、メール処理手段１３１と携帯情報端末１３２とから構成される第３の実施形態を基にして、メール処理手段２７１として、ファイルサイズ設定保持手段２７３５、ファイル分割手段２７３６をメール処理手段１３１に、また、携帯情報端末２７２として、ファイル再構成手段２７３７を携帯情報端末１３２に追加すると共に、複合データダウンロード手段１３０９の代わりに分割複合データダウンロード手段２７０９を用いた文書ファイル閲覧システム２７０であるが、第１、第２、第４〜第１６の実施形態のいずれかに対して、ファイルサイズ設定保持手段２７３５、ファイル分割手段２７３６、ファイル再構成手段２７３７を追加すると共に、分割複合データダウンロード手段２７０９を用いることにより、本実施形態と同様、通信時に転送可能なファイルサイズが制限されている携帯情報端末であっても、ファイルサイズの大きな画像を転送することができ、また、転送エラーが起こっても、ファイルを分割していない場合よりも、再送の単位が小さく、再送の遅延が小さくなることにより、早く転送・表示することを可能とする、新たな実施形態の文書閲覧システムを構成することができる。
【０２５６】
すなわち、本実施形態は、メール処理手段１３１と携帯情報端末１３２とから構成される図３に示す第３の実施形態を基にした文書ファイル閲覧システム２７０であるが、例えば、添付ファイル情報付加手段２７０５とメール送信手段２７０６とをアクセス情報生成手段１４０５と一覧生成手段１４０６とに入れ替え、メール受信手段２７０８を一覧表示手段１４０８に入れ替えれば、文書ファイル処理手段１４１と携帯情報端末１４２とから構成される図４に示す第４の実施形態を基にした、文書ファイル処理手段と携帯情報端末とから構成され、通信時に転送可能なファイルサイズが制限されている携帯情報端末であっても、ファイルサイズの大きな画像を転送することができ、また、転送エラーが起こっても、ファイルを分割していない場合よりも、再送の単位が小さく、再送の遅延が小さくなることにより、早く転送・表示することを可能とする、新たな文書ファイル閲覧システムとすることもできる。
【０２５７】
（第１８の実施形態）
次に、第１８の実施形態の構成について、図１８を用いて説明する。本実施形態は、図３に示した第３の実施形態のうち、メール処理手段１３１のみが異なっており、メール処理手段２８１として、文字認識手段２８３８、マッチング手段２８３９を更に備えることによって、画像中に埋め込まれた文字についてもテキストとして表示可能とする例を示している。
【０２５８】
図１８は、本発明による文書ファイル閲覧システムのブロック構成に関する第１８の実施形態を示すブロック図である。図１８に示す第１８の実施形態においては、第３の実施形態と同様、文書ファイル閲覧システム２８０は、パーソナルコンピュータ２８５から受信した文書ファイルに関するデータを生成するメール処理手段２８１と、文書ファイルを閲覧する携帯情報端末１３２と、文書ファイルに関するデータを登録するサーバ２８３と、これらを相互に接続するネットワーク２８４と、を少なくとも含んで構成されている。サーバ２８３は、例えばＷｅｂサーバとして構成する。
【０２５９】
メール処理手段２８１とサーバ２８３とは、第３の実施形態と同様、例えば、パーソナルコンピュータやワークステーションなどから構成される。また、メール処理手段２８１とサーバ２８３とは、ネットワーク２８４を介して互いに接続されていても良いし、同一コンピュータシステム内で直接通信可能なように構成しても良い。図１８は、直接通信する場合を例示している。
【０２６０】
メール処理手段２８１は、メール分離手段２８０１、画像変換手段２８０２、テキスト抽出手段２８０３、データ登録手段２８０４、添付ファイル情報付加手段２８０５、メール送信手段２８０６、文字メタファイル抽出手段２８１３、文字認識手段２８３８、マッチング手段２８３９を少なくとも含んで構成されている。
【０２６１】
メール分離手段２８０１、画像変換手段２８０２、テキスト抽出手段２８０３、データ登録手段２８０４、添付ファイル情報付加手段２８０５、メール送信手段２８０６、文字メタファイル抽出手段２８１３のそれぞれは、図３にて示した第３の実施形態におけるメール分離手段１３０１、画像変換手段１３０２、テキスト抽出手段１３０３、データ登録手段１３０４、添付ファイル情報付加手段１３０５、メール送信手段１３０６、文字メタファイル抽出手段１３１３と全く同等であり、ここでの重複する説明は省略する。
【０２６２】
文字認識手段２８３８は、文字認識により、画像の中からテキストを抽出し、文字毎の座標やフォント種別などを抽出するものである。また、マッチング手段２８３９は、文字認識手段２８３８による文字認識の結果と、文字メタファイル抽出手段２８１３により抽出された文字メタファイルとを比較し、お互いを補完し合う新たな文字メタファイルを作成して、データ登録手段２８０４に引き渡すものである。
【０２６３】
文字認識手段２８３８は、テキストが画像に埋め込まれているため、テキスト抽出手段２８０３や文字メタファイル抽出手段２８１３によって、テキストやその座標が抽出できない場合であっても、文字認識により、画像の中からテキストを抽出し、文字毎の座標を得ることができる。フォントの大きさや種別、スタイルも得ることもできる。
【０２６４】
マッチング手段２８３９は、文字認識手段２８３８による文字認識の結果と、テキスト抽出手段２８０３によって抽出されたテキストや、文字メタファイル抽出手段２８１３によって抽出された文字メタファイルとを比較し、お互いを補完する。例えば、テキスト抽出手段２８０３や文字メタファイル抽出手段２８１３では、画像中に埋め込まれた文字や、図形としてデザインされた文字をテキストとして抽出することができない場合や、特定のアプリケーションのファイルから一部の文字しか抽出できない場合がある。一方、文字認識のみでは、誤認識が含まれてしまう。
【０２６５】
すなわち、テキスト抽出手段２８０３や文字メタファイル抽出手段２８１３、あるいは、文字認識手段２８３８のいずれの場合も、１００％完全にテキスト及びその座標を抽出することができないことがあるので、マッチング手段２８３９によって、互いに補完し合うことが必要となる。例えば、図３１に示すように、テキスト抽出手段２８０３や文字メタファイル抽出手段２８１３により抽出したテキストと、文字認識手段２８３８により認識した文字列とを、マッチング手段２８３９によって互いを補完し合うことにより、より完全な文章を得る可能性を高めることができる。ここで、補完の方法としては、例えば、広く使われているＤＰマッチングなどの方法を用いることができる。
【０２６６】
図３１は、テキスト抽出手段２８０３によるテキストの抽出結果と文字認識手段２８３８による文字認識結果とをマッチング手段２８３９により補完する動作例を示す模式図であり、互いに欠落している文字列を補い合うことによって、「・・・ため、安価に検索システムを構築できる。これらの・・・」という正しいテキストを得ることができる場合を例示している。
【０２６７】
本実施形態は、メール処理手段１３１と携帯情報端末１３２とから構成される第３の実施形態を基にして、メール処理手段２８１として、文字認識手段２８３８、マッチング手段２８３９をメール処理手段１３１に追加した文書ファイル閲覧システム２８０であるが、第１、第２、第４〜第１７の実施形態のいずれかに対して、文字認識手段２８３８、マッチング手段２８３９を追加することにより、本実施形態と同様、テキスト抽出結果と文字認識結果とを互いを補完し合い、より完全な文章を得る可能性を高め、画像中に埋め込まれた文字についてもテキストとして表示可能とする、新たな実施形態の文書閲覧システムを構成することができる。
【０２６８】
すなわち、本実施形態は、メール処理手段１３１と携帯情報端末１３２とから構成される図３に示す第３の実施形態を基にした文書ファイル閲覧システム２８０であるが、例えば、添付ファイル情報付加手段２８０５とメール送信手段２８０６とをアクセス情報生成手段１４０５と一覧生成手段１４０６とに入れ替えれば、文書ファイル処理手段１４１と携帯情報端末１４２とから構成される図４に示す第４の実施形態を基にした、文書ファイル処理手段と携帯情報端末とから構成され、画像中に埋め込まれた文字についてもテキストとして表示可能とする、新たな文書ファイル閲覧システムとすることもできる。
【０２６９】
（第１９の実施形態）
次に、第１９の実施形態の構成について、図１９を用いて説明する。本実施形態は、図３に示した第３の実施形態のうち、携帯情報端末１３２のみが異なっており、携帯情報端末２９２として、自動ページ切替手段２９４０を更に備えることによって、ユーザが素早く文書ファイルの内容を概観することができるようにする例を示している。
【０２７０】
図１９は、本発明による文書ファイル閲覧システムのブロック構成に関する第１９の実施形態を示すブロック図である。図１９に示す第１９の実施形態においては、第３の実施形態と同様、文書ファイル閲覧システム２９０は、パーソナルコンピュータ１３５から受信した文書ファイルに関するデータを生成するメール処理手段１３１と、文書ファイルを閲覧する携帯情報端末２９２と、文書ファイルに関するデータを登録するサーバ１３３と、これらを相互に接続するネットワーク２９４と、を少なくとも含んで構成されている。
【０２７１】
サーバ１３３は、メール処理手段１３１によって登録された画像とテキストと文字メタファイルとを、アクセス要求があった携帯情報端末２９２に対して、ネットワーク２９４を介して送信するデータ送信手段１３０７を少なくとも含んで構成されている。
【０２７２】
携帯情報端末２９２は、メール受信手段２９０８、複合データダウンロード手段２９０９、複合データ表示手段２９１０、スクロール手段２９１１、ページ切替手段２９１２、自動ページ切替手段２９４０を少なくとも含んで構成されている。メール受信手段２９０８、複合データダウンロード手段２９０９、複合データ表示手段２９１０、スクロール手段２９１１、ページ切替手段２９１２のそれぞれは、図３にて示した第３の実施形態におけるメール受信手段１３０８、複合データダウンロード手段１３０９、複合データ表示手段１３１０、スクロール手段１３１１、ページ切替手段１３１２と全く同等であり、ここでの重複する説明は省略する。
【０２７３】
自動ページ切替手段２９４０は、自動的にページを切り替え表示するものであり、例えば、ユーザが特定のキー操作、マウス操作、タッチパネル操作などのユーザ操作部２９６の操作入力を実行することにより、自動的なページ切替を開始したり、終了したりする。ページ切替を順方向と逆方向とのいずれにするかは、例えば、ユーザが特定のキー操作、マウス操作、タッチパネル操作などのユーザ操作部２９６の操作入力をあらかじめ実行することにより、決定する。あるいは、順方向と逆方向とで、キー操作、マウス操作、タッチパネル操作の仕方や手順、あるいは、押すべきボタンが異なっていても良い。
【０２７４】
また、ページ切替の速度については、例えば、あらかじめ定めた速度か、または、ユーザが特定のキー操作や、マウス操作、タッチパネル操作などを実行することによって決定するようにしても良い。
【０２７５】
本実施形態は、メール処理手段１３１と携帯情報端末１３２とから構成される第３の実施形態を基にして、携帯情報端末２９２として、自動ページ切替手段２９４０を携帯情報端末１３２に追加した文書ファイル閲覧システム２９０であるが、第１、第２、第４〜第１８の実施形態のいずれかに対して、自動ページ切替手段２９４０を追加することにより、本実施形態と同様、ユーザが素早く文書ファイルの内容を概観することができる、新たな実施形態の文書閲覧システムを構成することができる。
【０２７６】
すなわち、本実施形態は、メール処理手段１３１と携帯情報端末１３２とから構成される図３に示す第３の実施形態を基にした文書ファイル閲覧システム２９０であるが、例えば、メール受信手段２９０８を一覧表示手段１４０８に入れ替えれば、文書ファイル処理手段１４１と携帯情報端末１４２とから構成される図４に示す第４の実施形態を基にした、文書ファイル処理手段と携帯情報端末とから構成され、ユーザが素早く文書ファイルの内容を概観することができる、新たな文書ファイル閲覧システムとすることもできる。
【０２７７】
（第２０の実施形態）
次に、第２０の実施形態の構成について、図２０を用いて説明する。本実施形態は、図３に示した第３の実施形態のうち、携帯情報端末１３２のみが異なっており、携帯情報端末３０２として、サムネイル表示手段３０４１を更に備えることによって、素早く画像全体を概観し、特定の注目すべきページを素早く見つけ出し、表示することができるようにする例を示している。
【０２７８】
図２０は、本発明による文書ファイル閲覧システムのブロック構成に関する第２０の実施形態を示すブロック図である。図２０に示す第２０の実施形態においては、第３の実施形態と同様、文書ファイル閲覧システム３００は、パーソナルコンピュータ１３５から受信した文書ファイルに関するデータを生成するメール処理手段１３１と、文書ファイルを閲覧する携帯情報端末３０２と、文書ファイルに関するデータを登録するサーバ１３３と、これらを相互に接続するネットワーク３０４と、を少なくとも含んで構成されている。
【０２７９】
サーバ１３３は、メール処理手段１３１によって登録された画像とテキストと文字メタファイルとを、アクセス要求があった携帯情報端末３０２に対して、ネットワーク３０４を介して送信するデータ送信手段１３０７を少なくとも含んで構成されている。
【０２８０】
携帯情報端末３０２は、メール受信手段３００８、複合データダウンロード手段３００９、複合データ表示手段３０１０、スクロール手段３０１１、ページ切替手段３０１２、サムネイル表示手段３０４１を少なくとも含んで構成されている。メール受信手段３００８、複合データダウンロード手段３００９、複合データ表示手段３０１０、スクロール手段３０１１、ページ切替手段３０１２のそれぞれは、図３にて示した第３の実施形態におけるメール受信手段１３０８、複合データダウンロード手段１３０９、複合データ表示手段１３１０、スクロール手段１３１１、ページ切替手段１３１２と全く同等であり、ここでの重複する説明は省略する。
【０２８１】
サムネイル表示手段３０４１は、全ページの画像を縮小画像として一覧表示し、ユーザが一覧表示された縮小画像の中から、１つの縮小画像をキー操作やマウス操作、タッチパネル操作などのユーザ操作部３０６の操作入力により選択すると、その縮小画像に対応するページの元画像及びテキストを表示するものである。
【０２８２】
縮小画像のサイズは、例えば、特定のサイズに前以て定めても良いし、または、ユーザが特定のキー操作、マウス操作、タッチパネル操作によって指定しても良い。縮小画像のサイズの指定方法としては、例えば、元画像の縦横を何分の１に縮小するかという縮尺率指定方法や、縦や横を指定したサイズ以下になるように縮小するサイズ指定方法、といった方法がある。
【０２８３】
全ての縮小画像を画像表示領域に一度には表示し切れない場合は、例えば、画像表示領域をスクロールできるようにしても良い。あるいは、全縮小画像が一覧表示できるように、自動的に、縮小画像のサイズを調整しても良い。
【０２８４】
本実施形態は、メール処理手段１３１と携帯情報端末１３２とから構成される第３の実施形態を基にして、携帯情報端末３０２として、サムネイル表示手段３０４１を携帯情報端末１３２に追加した文書ファイル閲覧システム３００であるが、第１、第２、第４〜第１９の実施形態のいずれかに対して、サムネイル表示手段３０４１を追加することにより、本実施形態と同様、素早く画像全体を概観し、特定の注目すべきページを素早く見つけ出し、表示することができる、新たな実施形態の文書閲覧システムを構成することができる。
【０２８５】
すなわち、本実施形態は、メール処理手段１３１と携帯情報端末１３２とから構成される図３に示す第３の実施形態を基にした文書ファイル閲覧システム３００であるが、例えば、メール受信手段３００８を一覧表示手段１４０８に入れ替えれば、文書ファイル処理手段１４１と携帯情報端末１４２とから構成される図４に示す第４の実施形態を基にした、文書ファイル処理手段と携帯情報端末とから構成され、素早く画像全体を概観し、特定の注目すべきページを素早く見つけ出し、表示することができる、新たな文書ファイル閲覧システムとすることもできる。
【０２８６】
（第２１の実施形態）
次に、第２１の実施形態の構成について、図２１を用いて説明する。本実施形態は、図３に示した第３の実施形態のうち、携帯情報端末１３２のみが異なっており、携帯情報端末３１２として、目次表示手段３１４２を更に備えることによって、素早くテキスト全体を概観し、特定の注目すべきページを素早く見つけ出し、表示することができるようにする例を示している。
【０２８７】
図２１は、本発明による文書ファイル閲覧システムのブロック構成に関する第２１の実施形態を示すブロック図である。図２１に示す第２１の実施形態においては、第３の実施形態と同様、文書ファイル閲覧システム３１０は、パーソナルコンピュータ１３５から受信した文書ファイルに関するデータを生成するメール処理手段１３１と、文書ファイルを閲覧する携帯情報端末３１２と、文書ファイルに関するデータを登録するサーバ１３３と、これらを相互に接続するネットワーク３１４と、を少なくとも含んで構成されている。
【０２８８】
サーバ１３３は、メール処理手段１３１によって登録された画像とテキストと文字メタファイルとを、アクセス要求があった携帯情報端末３１２に対して、ネットワーク３１４を介して送信するデータ送信手段１３０７を少なくとも含んで構成されている。
【０２８９】
携帯情報端末３１２は、メール受信手段３１０８、複合データダウンロード手段３１０９、複合データ表示手段３１１０、スクロール手段３１１１、ページ切替手段３１１２、目次表示手段３１４２を少なくとも含んで構成されている。メール受信手段３１０８、複合データダウンロード手段３１０９、複合データ表示手段３１１０、スクロール手段３１１１、ページ切替手段３１１２のそれぞれは、図３にて示した第３の実施形態におけるメール受信手段１３０８、複合データダウンロード手段１３０９、複合データ表示手段１３１０、スクロール手段１３１１、ページ切替手段１３１２と全く同等であり、ここでの重複する説明は省略する。
【０２９０】
目次表示手段３１４２は、全ページについてページ毎の概要やタイトルを一覧表示し、ユーザが、一覧の中からいずれか１つの概要やタイトルをキー操作やマウス操作、タッチパネル操作などのユーザ操作部３１６の操作入力により選択すると、その概要やタイトルに対応するページの画像及びテキストを表示するものである。
【０２９１】
一覧に表示する概要やタイトルとして、例えば、メール処理手段１３１において文字メタファイル抽出手段１３１３により文字メタファイルを抽出する際に、各ページに含まれる文章のタイトルや章、節が得られる場合は、それをタイトルとして用いる。または、抽出されたタイトルの文字列ではなく、抽出されたテキストの最初の数文字をタイトルとする方法も存在する。更に、抽出されたテキストに基づいて文書内容を解析して、自動的に要約を作成してそれを概要とする方法もある。あるいは、要約の自動的な作成方法としては、数多くの手法が提案されており、それらを利用することにしても良い。または、単純に、ページ番号をタイトルとして付加しても良い。
【０２９２】
全ての概要やタイトルを画像表示領域に一度に表示し切れない場合は、例えば、画像表示領域をスクロールできるようにしても良い。あるいは、全ての概要やタイトルが一覧できるように、自動的に、フォントのサイズを調整しても良い。
【０２９３】
本実施形態は、メール処理手段１３１と携帯情報端末１３２とから構成される第３の実施形態を基にして、携帯情報端末３１２として、目次表示手段３１４２を携帯情報端末１３２に追加した文書ファイル閲覧システム３１０であるが、第１、第２、第４〜第２０の実施形態のいずれかに対して、目次表示手段３１４２を追加することにより、本実施形態と同様、素早くテキスト全体を概観し、特定の注目すべきページを素早く見つけ出し、表示することができる、新たな実施形態の文書閲覧システムを構成することができる。
【０２９４】
すなわち、本実施形態は、メール処理手段１３１と携帯情報端末１３２とから構成される図３に示す第３の実施形態を基にした文書ファイル閲覧システム３１０であるが、例えば、メール受信手段３１０８を一覧表示手段１４０８に入れ替えれば、文書ファイル処理手段１４１と携帯情報端末１４２とから構成される図４に示す第４の実施形態を基にした、素早くテキスト全体を概観し、特定の注目すべきページを素早く見つけ出し、表示することができる、新たな文書ファイル閲覧システムとすることもできる。
【０２９５】
以上に詳細に説明したように、本発明による文書ファイル閲覧システム、文書ファイル閲覧方法、及び、文書閲覧プログラムは、パーソナルコンピュータからのメールに添付された文書ファイルを携帯情報端末でサーバを介して受信し閲覧する場合と、サーバに蓄積されたパーソナルコンピュータ用文書ファイルに関する情報を、携帯情報端末に一覧表示して、いずれかの文書ファイルを選択して閲覧する場合との２つの利用形態を想定している。パーソナルコンピュータ向きに作成された文書ファイルであっても携帯情報端末において閲覧可能とする本発明においては、次のような効果を奏することできる。
【０２９６】
第１の効果は、携帯情報端末上で、パーソナルコンピュータ用の文書ファイルを表示可能とするために、文書ファイルを、ページ毎に画像に変換する画像変換手段と、添付ファイルからテキストを抜き出すテキスト抽出手段とを、メール処理手段や文書ファイル処理手段としてあらかじめ有し、変換した画像と抽出したテキストとをサーバに登録することにより、携帯情報端末においては、サーバからダウンロードして、画像テキスト表示手段によって、変換した画像と抽出したテキストを同時に表示するか、または、切り替えて表示することを可能にすることにある。
【０２９７】
もって、携帯情報端末では、画像を高速に表示するためのハードウェアやファームウェア、基本ソフトウェアなどがあらかじめ搭載されている場合が多いので、画像を表示し、高速に文書を確認することができる。また、携帯情報端末には画像解像度の限界があるので、テキスト抽出手段により抽出したテキストを表示することにより、文字が潰れてしまって視認できなくなることを防止し、文書ファイルに記述されている内容をより確実に把握することができる。さらに、画像とテキストとを同時に表示することにより、ユーザが、画像上の文章に対するテキストを確認しやすくすることができる。
【０２９８】
第２の効果は、文書ファイルからテキストを抽出する際に、文字毎の座標やサイズ、フォント種別などの全てまたはその組み合わせの一部を抽出し、文字メタファイルとして保存する文字メタファイル抽出手段を、メール処理手段や文書ファイル処理手段としてあらかじめ有し、変換した画像と抽出したテキストと共に、抽出した文字メタファイルをもサーバに登録することにより、携帯情報端末においては、サーバからダウンロードして、複合データ表示手段によって、この文字メタファイルを解釈し、テキスト表示時に文字メタファイルに記述されている、文字の位置、サイズ、フォント種別などに従って、文字を配置して、携帯情報端末上に表示することができることにある。もって、テキストを画像上の文書の配置と似た配置で表示することができ、画像上の文章とテキストとの対応をより確実に得ることができる。
【０２９９】
第３の効果は、携帯情報端末上で、テキストと画像とを同時に表示する際に、同期スクロール手段により、テキストと画像とを同期してスクロールすることができることにある。もって、画像上の文章とそれに対応するテキストとが同時にスクロールされるので、画像上の文章とテキストとの対応をより確実に得ることができる。
【０３００】
第４の効果は、携帯情報端末のユーザが、テキストマーク手段により、テキスト表示領域内で指定したテキスト部分を反転表示させたり、枠で囲んだりした場合に、同時に、対応する画像表示領域内のテキスト表示位置においても、反転表示させたり、枠で囲んだりすることができることにある。もって、指定したテキストに対応する、画像上の文章に目印を付すことができるので、画像上の文章とテキストとの対応をより確実に得ることができる。
【０３０１】
第５の効果は、携帯情報端末上で、テキスト上書き手段により、画像表示領域中のテキスト表示領域を削除して、代わりに、よりサイズが大きいといった、視認性の高いフォントの文字を上書き表示することができることにある。もって、画像上の文章をより確実に判読できるようになる。
【０３０２】
第６の効果は、指定範囲識別手段により、携帯情報端末のユーザが指定した部分を識別し、テキスト上書き手段により、ユーザが指定した部分について、画像中のテキスト表示領域を削除して、代わりに、よりサイズが大きいといった、視認性の高いフォントの文字を上書き表示することができることにある。もって、画像上で、ユーザが指定した文章をより確実に判読できるようになる。
【０３０３】
第７の効果は、あらかじめ設定したデータ制限に収まるように、画像圧縮のアルゴリズムや、色数、画素サイズを変更する、画像サイズ調整手段と、データ制限に収まるように、抽出されたテキストや、抽出された文字メタファイルを圧縮する、テキスト圧縮手段と、データ制限に収まるように、ページ数を増減する、ページ数調整手段と、データ制限に収まるように、画像、テキスト、文字メタファイルから、ダウンロードすべきデータの組み合わせを選択する、データ種別選択手段とをメール処理手段としてあらかじめ有し、圧縮した画像サイズやテキスト、ページ数、データの組み合わせをサーバに登録することにより、携帯情報端末においては、サーバからダウンロードして、複合データ表示手段によって、確実に、文書ファイルを、携帯情報端末上に表示することができることにある。もって、ユーザが、文書ファイルの中身をより多く得られるようにすることができる。
【０３０４】
第８の効果は、データ制限作成手段により、第７の効果に示した前記データ制限をユーザが携帯情報端末から任意の値に設定することができることにある。もって、ユーザが自由に携帯情報端末から必要なデータサイズを指定することができる。
【０３０５】
第９の効果は、携帯情報端末において、表示領域保持手段の他に、表示領域設定手段を有することにより、ユーザが、画像表示領域とテキスト表示領域とのそれぞれのサイズ及び位置を設定することができることにある。もって、ユーザが見やすい配置で画像とテキストとを表示して、ユーザに対するストレスを低減させることができるため、文書ファイルの中身をより効率的に把握できるようになる。
【０３０６】
第１０の効果は、携帯情報端末において、画像変換手段により、ユーザが見やすいように、ユーザによって、または、自動的に、画像を拡大、縮小、回転及び変形させるような画像変換を行うことができることにある。もって、画像をより見やすくし、ユーザが画像の中身をより確実に把握できるようになる。
【０３０７】
第１１の効果は、携帯情報端末において、画像処理手段により、ユーザが見やすいように、ユーザによって、または、自動的に、画像の濃淡補正や、色彩補正、ボケ補正、ノイズ除去などの画像処理を実施することができることにある。もって、画像をより見やすくし、ユーザが画像の中身をより確実に把握できるようになる。
【０３０８】
第１２の効果は、携帯情報端末において、フォント調整手段により、ユーザが見やすいように、ユーザによって、または、自動的に、テキスト表示領域のフォントサイズやフォント種別、書体を変更することができることにある。もって、テキストをより見やすくし、ユーザがテキストの中身をより確実に把握できるようになる。
【０３０９】
第１３の効果は、携帯情報端末において、自動テキストスクロール手段により、ユーザが見やすいように、自動的にテキストをスクロールすることができることにある。もって、テキストを素早く見ることができ、ユーザが迅速にテキストの中身を把握できるようになる。
【０３１０】
第１４の効果は、携帯情報端末に表示する画像を画素単位で分割または等分割する、画像分割手段を、メール処理手段や文書ファイル処理手段としてあらかじめ有し、分割した画像とテキストと共に、分割画像設定に関する情報をもサーバに登録することにより、携帯情報端末においては、サーバからダウンロードして、画像再構成手段によって、分割画像設定に関する情報を基にして、分割画像の中から、表示に必要な部分のみを選択して再構成することができることにある。もって、携帯情報端末で画像表示に必要なメモリを節約するために、メモリ搭載量の小さい携帯情報端末であっても、画像を表示できるようになる。また、画像ファイルとして表示に必要な部分しか読み込まないため、画像ファイル読み込み時間及び表示処理時間を短縮することができ、高速に表示できるようになる。
【０３１１】
第１５の効果は、携帯情報端末にダウンロードする画像ファイル、及び、テキストファイル、文字メタファイルを、あらかじめ設定したバイト数単位で分割または等分割するファイル分割手段を、メール処理手段や文書ファイル処理手段としてあらかじめ有し、分割したファイルと共に、分割対応表に関する情報をもサーバに登録することにより、携帯情報端末においては、サーバからダウンロードして、ファイル再構成手段によって、分割対応表に関する情報を基にして、分割されたファイルを元に戻すことができることにある。もって、通信時に転送できるファイルサイズが制限されている携帯情報端末であっても、ファイルサイズの大きな画像を転送することができる。また、転送エラーが起こっても、再送の単位が小さく、再送の遅延を小さくすることができるので、ファイルを分割しない場合よりも早く転送・表示することができる。
【０３１２】
第１６の効果は、画像から文字認識により、テキスト及びその位置などを抽出する文字認識手段と、文字認識結果と抽出したテキストや文字メタファイルとを比較し、互いを補完し合う新たな文字メタファイルを作成する、マッチング手段とを、メール処理手段や文書ファイル処理手段としてあらかじめ有し、画像とテキストと共に、新たな文字メタファイルをもサーバに登録することにより、携帯情報端末においては、サーバからダウンロードして、複合データ表示手段により、新たな文字メタファイルを基にして、画像とテキストとで補完し合って、テキストをより正確に表示することができることにある。もって、画像中に埋め込まれた文字についても、テキストとして表示することができる。
【０３１３】
第１７の効果は、携帯情報端末において、自動ページ切替手段により、自動的にページ切替表示することができることにある。もって、素早く文書内容を概観することができる。
【０３１４】
第１８の効果は、携帯情報端末において、サムネイル表示手段により、全ページの画像を縮小画像で一覧表示し、ユーザが縮小画像の一覧の中からいずれか１つの縮小画像を選択することによって、そのページの画像及びテキストを表示することができることにある。もって、素早く画像全体を概観し、特定の注目すべきページを素早く見つけ出し、表示することができる。
【０３１５】
第１９の効果は、携帯情報端末において、目次表示手段により、全ページについてページ毎の概要やタイトルを一覧表示し、ユーザが一覧の中からいずれか１つの概要やタイトルを選択することによって、そのページの画像及びテキストを表示することができることにある。もって、素早くテキスト全体を概観し、特定の注目すべきページを素早く見つけ出し、表示することができる。
【０３１６】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることは、当業者には容易に理解できよう。
【図面の簡単な説明】
【０３１７】
【図１】本発明による文書ファイル閲覧システムのブロック構成に関する第１の実施形態を示すブロック図である。
【図２】本発明による文書ファイル閲覧システムのブロック構成に関する第２の実施形態を示すブロック図である。
【図３】本発明による文書ファイル閲覧システムのブロック構成に関する第３の実施形態を示すブロック図である。
【図４】本発明による文書ファイル閲覧システムのブロック構成に関する第４の実施形態を示すブロック図である。
【図５】本発明による文書ファイル閲覧システムのブロック構成に関する第５の実施形態を示すブロック図である。
【図６】本発明による文書ファイル閲覧システムのブロック構成に関する第６の実施形態を示すブロック図である。
【図７】本発明による文書ファイル閲覧システムのブロック構成に関する第７の実施形態を示すブロック図である。
【図８】本発明による文書ファイル閲覧システムのブロック構成に関する第８の実施形態を示すブロック図である。
【図９】本発明による文書ファイル閲覧システムのブロック構成に関する第９の実施形態を示すブロック図である。
【図１０】本発明による文書ファイル閲覧システムのブロック構成に関する第１０の実施形態を示すブロック図である。
【図１１】本発明による文書ファイル閲覧システムのブロック構成に関する第１１の実施形態を示すブロック図である。
【図１２】本発明による文書ファイル閲覧システムのブロック構成に関する第１２の実施形態を示すブロック図である。
【図１３】本発明による文書ファイル閲覧システムのブロック構成に関する第１３の実施形態を示すブロック図である。
【図１４】本発明による文書ファイル閲覧システムのブロック構成に関する第１４の実施形態を示すブロック図である。
【図１５】本発明による文書ファイル閲覧システムのブロック構成に関する第１５の実施形態を示すブロック図である。
【図１６】本発明による文書ファイル閲覧システムのブロック構成に関する第１６の実施形態を示すブロック図である。
【図１７】本発明による文書ファイル閲覧システムのブロック構成に関する第１７の実施形態を示すブロック図である。
【図１８】本発明による文書ファイル閲覧システムのブロック構成に関する第１８の実施形態を示すブロック図である。
【図１９】本発明による文書ファイル閲覧システムのブロック構成に関する第１９の実施形態を示すブロック図である。
【図２０】本発明による文書ファイル閲覧システムのブロック構成に関する第２０の実施形態を示すブロック図である。
【図２１】本発明による文書ファイル閲覧システムのブロック構成に関する第２１の実施形態を示すブロック図である。
【図２２】携帯情報端末上の画像表示領域とテキスト表示領域との配置例を示す模式図である。
【図２３】画像上の文字座標の付与方法の一例を示す模式図である。
【図２４】文字メタファイルの表現形式の一例を示す模式図である。
【図２５】文字メタファイルの表現形式の異なる例を示す模式図である。
【図２６】テキスト表示領域内のテキストと画像表示領域内のテキストとを同期スクロールさせる動作例を示す模式図である。
【図２７】テキスト表示領域内のテキストをマークした際に、画像表示領域内の対応するテキストもマークする動作例を示す模式図である。
【図２８】画像の縦横をあらかじめ定めた画素数単位に分割する分割例を示す模式図である。
【図２９】画像の縦横をあらかじめ定めた分割数に分割する分割例を示す模式図である。
【図３０】元画像を複数の領域に分割した分割画像のうち、表示に用いる領域の分割画像のみを選択する例を示す模式図である。
【図３１】テキスト抽出手段によるテキストの抽出結果と文字認識手段による文字認識結果とをマッチング手段により補完する動作例を示す模式図である。
【符号の説明】
【０３１８】
１１０，１２０，１３０，１４０，１５０，１６０，１７０，１８０，１９０，２００，２１０，２２０，２３０，２４０，２５０，２６０，２７０，２８０，２９０，３００，３１０      文書ファイル閲覧システム
１１１，１３１，１９１，２０１，２６１，２７１，２８１
メール処理手段
１１２，１２２，１３２，１４２，１５２，１６２，１７２，１８２，１９２，２０２，２１２，２２２，２３２，２４２，２５２，２６２，２７２，２９２，３０２，３１２              携帯情報端末
１１３，１２３，１３３，１４３，１９３，２０３，２６３，２７３，２８３    
サーバ
１１４，１２４，１３４，１４４，１５４，１６４，１７４，１８４，１９４,２０４，２１４，２２４，２３４，２４４，２５４，２６４，２７４，２８４，２９４，３０４，３１４      ネットワーク
１１５，１２５，１３５，１４５，１９５，２０５，２６５，２７５，２８５
パーソナルコンピュータ
１１６，１２６，１３６，１４６，１５６，１６６，１７６，１８６，２０６，２１６，２２６，２３６，２４６，２５６，２６６，２７６，２９６，３０６，３１６                      ユーザ操作部
１２１，１４１              文書ファイル処理手段
１１０１，１３０１，１９０１，２００１，２６０１，２７０１，２８０１  
メール分離手段
１１０２，１２０２，１３０２，１４０２，１９０２，２００２，２６０２，２７０２，２８０２            画像変換手段
１１０３，１２０３，１３０３，１４０３，１９０３，２００３，２６０３，２７０３，２８０３            テキスト抽出手段
１１０４，１２０４，１３０４，１４０４，１９０４，２００４，２６０４，２７０４，２８０４            データ登録手段
１１０５，１３０５，１９０５，２００５，２６０５，２７０５，２８０５  
添付ファイル情報付加手段
１１０６，１３０６，１９０６，２００６，２６０６，２７０６，２８０６  
メール送信手段
１１０７，１２０７，１３０７，１４０７，２６０７，２７０７  
データ送信手段
１１０８，１３０８，１５０８，１６０８，１７０８，１８０８，２００８，２１０８，２２０８，２３０８，２４０８，２５０８，２６０８，２７０８，２９０８，３００８，３１０８    メール受信手段
１１０９，１２０９          データダウンロード手段
１１１０，１２１０          画像テキスト表示手段
１１１１，１２１１，１３１１，１４１１，１５１１，１６１１，１７１１，１８１１，２０１１，２１１１，２２１１，２３１１，２４１１，２５１１，２６１１，２７１１，２９１１，３０１１，３１１１  
スクロール手段
１１１２，１２１２，１３１２，１４１２，１５１２，１６１２，１７１２，１８１２，２０１２，２１１２，２２１２，２３１２，２４１２，２５１２，２６１２，２７１２，２９１２，３０１２，３１１２  
ページ切替手段
１２０５，１４０５          アクセス情報生成手段
１２０６，１４０６          一覧生成手段
１２０８，１４０８          一覧表示手段
１３０９，１４０９，１５０９，１６０９，１７０９，１８０９，２００９，２１０９，２２０９，２３０９，２４０９，２５０９，２９０９，３００９，３１０９                        複合データダウンロード手段
１３１０，１４１０，１５１０，１６１０，１７１０，１８１０，２０１０，２１１０，２２１０，２３１０，２４１０，２５１０，２６１０，２７１０，２９１０，３０１０，３１１０    複合データ表示手段
１３１３，１４１３，１９１３,２０１３，２６１３，２７１３，２８１３  
文字メタファイル抽出手段
１５１４，１６１４          同期スクロール手段
１６１５，１８１５          指定範囲識別手段
１６１６                    テキストマーク手段
１７１７，１８１７          テキスト上書き手段
１９１８，２０１８          データ制限保持手段
１９１９，２０１９          画像サイズ調整手段
１９２０，２０２０          テキスト圧縮手段
１９２１，２０２１          ページ数調整手段
１９２２，２０２２          データ種別選択手段
２０２３                    データ制限受信手段
２０２４                    データ制限作成手段
２０２５                    データ制限送信手段
２１２６                    表示領域保持手段
２１２７                    表示領域設定手段
２２２８                    画像変換手段
２３２９                    画像処理手段
２４３０                    フォント調整手段
２５３１                    自動テキストスクロール手段
２６０９，２７０９          分割複合データダウンロード手段
２６３２                    画像分割設定保持手段
２６３３                    画像分割手段
２６３４                    画像再構成手段
２７３５                    ファイルサイズ設定保持手段
２７３６                    ファイル分割手段
２７３７                    ファイル再構成手段
２８３８                    文字認識手段
２８３９                    マッチング手段
２９４０                    自動ページ切替手段
３０４１                    サムネイル表示手段
３１４２                    目次表示手段
【図１】
2007199983.tif 000003
【図２】
2007199983.tif 000004
【図３】
2007199983.tif 000005
【図４】
2007199983.tif 000006
【図５】
2007199983.tif 000007
【図６】
2007199983.tif 000008
【図７】
2007199983.tif 000009
【図８】
2007199983.tif 000010
【図９】
2007199983.tif 000011
【図１０】
2007199983.tif 000012
【図１１】
2007199983.tif 000013
【図１２】
2007199983.tif 000014
【図１３】
2007199983.tif 000015
【図１４】
2007199983.tif 000016
【図１５】
2007199983.tif 000017
【図１６】
2007199983.tif 000018
【図１７】
2007199983.tif 000019
【図１８】
2007199983.tif 000020
【図１９】
2007199983.tif 000021
【図２０】
2007199983.tif 000022
【図２１】
2007199983.tif 000023
【図２２】
2007199983.tif 000024
【図２３】
2007199983.tif 000025
【図２４】
2007199983.tif 000026
【図２５】
2007199983.tif 000027
【図２６】
2007199983.tif 000028
【図２７】
2007199983.tif 000029
【図２８】
2007199983.tif 000030
【図２９】
2007199983.tif 000031
【図３０】
2007199983.tif 000032
【図３１】
2007199983.tif 000033